(57)【要約】本願は、信号伝送方法、関連するデバイス、及びシステムを開示する。方法は、端末によって、時点ｎで、リンク再設定を開始するために使用されるリンク再設定要求情報をネットワークデバイスへ送信することと、端末によって、ＰＤＣＣＨを復調するために使用される第１参照信号と、第１閾値を満足する参照信号である第２参照信号とのＱＣＬ情報を含む第１情報に基づいて、時点ｎの後の第１期間中にＰＤＣＣＨを検出すること、及び／又は端末によって、ＰＤＳＣＨを復調するために使用される第３参照信号と、第２閾値を満足する参照信号である第４参照信号とのＱＣＬ情報を含む第２情報に基づいて、時点ｎの後の第２期間中にＰＤＳＣＨを検出することとを含む。本願が実施されるとき、端末は、リンクが機能しなくなった後かつリンクが正常に回復される前の期間中に適切にＰＤＣＣＨ／ＰＤＳＣＨを受信することができ、それによって、リンク信頼性は改善される。
2021503811.tif 000002
【特許請求の範囲】
【請求項１】
信号伝送方法であって、
端末デバイスによって、時点ｎで、リンク再設定を開始するために使用されるリンク再設定要求情報をネットワークデバイスへ送信することと、
前記端末デバイスによって第１情報に基づいて前記時点ｎの後の第１期間中に物理ダウンリンク制御チャネルＰＤＣＣＨを検出することであり、前記第１情報は、前記ＰＤＣＣＨを復調するために使用される第１参照信号と、第１閾値を満足する参照信号である第２参照信号との疑似コロケーションＱＣＬ仮定情報を有する、前記ＰＤＣＣＨを検出すること、及び／又は
前記端末デバイスによって第２情報に基づいて前記時点ｎの後の第２期間中に物理ダウンリンク共有チャネルＰＤＳＣＨを検出することであり、前記第２情報は、前記ＰＤＳＣＨを復調するために使用される第３参照信号と、第２閾値を満足する参照信号である第４参照信号との疑似コロケーションＱＣＬ仮定情報を有する、前記ＰＤＳＣＨを検出することと
を有する方法。
【請求項２】
前記第２参照信号は、前記リンク再設定要求情報に関連したダウンリンク参照信号を有する、
請求項１に記載の方法。
【請求項３】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項１に記載の方法。
【請求項４】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項１乃至３のうちいずれか一項に記載の方法。
【請求項５】
前記端末デバイスによって、前記第１期間の前記終了時点の後に、前記第１シグナリングによって示された前記ＰＤＣＣＨ  ＱＣＬ情報に基づいて前記ＰＤＣＣＨを検出することを更に有する、
請求項４に記載の方法。
【請求項６】
前記第４参照信号は、前記リンク再設定要求情報に関連したダウンリンク参照信号を有する、
請求項１に記載の方法。
【請求項７】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項１に記載の方法。
【請求項８】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項１に記載の方法。
【請求項９】
前記端末デバイスによって、前記第２期間中に、前記ネットワークデバイスによって送信された第２シグナリングを受信することを更に有し、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定され、
前記端末デバイスによって第２情報に基づいて前記時点ｎの後の第２期間中に物理ダウンリンク共有チャネルＰＤＳＣＨを検出することは、
前記端末デバイスによって、前記第２情報であるデフォルトＱＣＬ情報に基づいて、前記時点ｎの後の前記第２期間中に前記ＰＤＳＣＨを検出することを有し、あるいは、
前記端末デバイスによって第２情報に基づいて前記時点ｎの後の第２期間中に物理ダウンリンク共有チャネルＰＤＳＣＨを検出することは、
前記端末デバイスによって、前記時点ｎの後の前記第２期間中に、前記ＴＣＩ状態によって示されるＰＤＳＣＨ  ＱＣＬが無効であると仮定し、前記第２情報であるデフォルトＱＣＬに基づいて前記ＰＤＳＣＨを検出することを有する、
請求項６又は７に記載の方法。
【請求項１０】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項１、６、７、８、又は９に記載の方法。
【請求項１１】
前記端末デバイスによって、前記第２期間の前記終了時点の後に、前記ネットワークデバイスによって送信された第４シグナリングを受信することであり、前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用される、前記第４シグナリングを受信することと、
前記端末デバイスによって、前記第４シグナリングによって示される前記ＰＤＳＣＨ  ＱＣＬ情報に基づいて前記ＰＤＳＣＨを検出することと
を更に有する請求項１０に記載の方法。
【請求項１２】
前記端末デバイスによって前記第１期間中に第１制御リソースセットを検出することを更に有し、
前記第１制御リソースセットは、前記ネットワークデバイスによって前記端末デバイスのために設定されたリソースセットであり、リンク再設定応答情報を送信するために使用される、
請求項４に記載の方法。
【請求項１３】
前記端末デバイスによって前記第１期間の前記終了時点の後に第２制御リソースセットを検出することを更に有し、
前記第２制御リソースセットは、リンク故障が起きているリソースセットである、
請求項１２に記載の方法。
【請求項１４】
前記端末デバイスによって、前記第１制御リソースセットを使用することによって前記ネットワークデバイスによって送信される、前記第２制御リソースセットのＱＣＬ情報を受信することを更に有する、
請求項１３に記載の方法。
【請求項１５】
信号伝送方法であって、
ネットワークデバイスによって、時点ｎで端末デバイスによって送信された、リンク再設定を開始するために使用されるリンク再設定要求情報を受信することと、
前記ネットワークデバイスによって第１情報に基づいて前記時点ｎの後の第１期間中に物理ダウンリンク制御チャネルＰＤＣＣＨを送信することであり、前記第１情報は、前記ＰＤＣＣＨを復調するために使用される第１参照信号と、第１閾値を満足する参照信号である第２参照信号との疑似コロケーションＱＣＬ仮定情報を有する、前記ＰＤＣＣＨを送信すること、及び／又は
前記ネットワークデバイスによって第２情報に基づいて前記時点ｎの後の第１期間中に物理ダウンリンク共有チャネルＰＤＳＣＨを送信することであり、前記第２情報は、前記ＰＤＳＣＨを復調するために使用される第３参照信号と、第２閾値を満足する参照信号である第４参照信号との疑似コロケーションＱＣＬ仮定情報を有する、前記ＰＤＳＣＨを送信することと
を有する方法。
【請求項１６】
前記第１閾値を満足する前記参照信号は、前記リンク再設定要求情報に関連したダウンリンク参照信号を有する、
請求項１５に記載の方法。
【請求項１７】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項１５に記載の方法。
【請求項１８】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項１５乃至１７のうちいずれか一項に記載の方法。
【請求項１９】
前記ネットワークデバイスによって、前記第１期間の前記終了時点の後に、前記第１シグナリングによって示された前記ＰＤＣＣＨ  ＱＣＬ情報に基づいて前記ＰＤＣＣＨを送信することを更に有する、
請求項１８に記載の方法。
【請求項２０】
前記第４参照信号は、前記リンク再設定要求情報に関連したダウンリンク参照信号を有する、
請求項１５に記載の方法。
【請求項２１】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項１５に記載の方法。
【請求項２２】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項１５に記載の方法。
【請求項２３】
前記ネットワークデバイスによって、前記第２期間中に、前記端末デバイスへ第２シグナリングを送信することを更に有し、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定される、
請求項２０又は２１に記載の方法。
【請求項２４】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項１５、２０、２１、２２、又は２３に記載の方法。
【請求項２５】
前記ネットワークデバイスによって、前記第２期間の前記終了時点の後に、前記端末デバイスへ第４シグナリングを送信することであり、前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用される、前記第４シグナリングを送信することと、
前記ネットワークデバイスによって、前記第４シグナリングによって示される前記ＰＤＳＣＨ  ＱＣＬ情報に基づいて前記ＰＤＳＣＨを送信することと
を更に有する請求項２４に記載の方法。
【請求項２６】
前記ネットワークデバイスによって前記第１期間中に第１制御リソースセットを送信することを更に有し、
前記第１制御リソースセットは、前記ネットワークデバイスによって前記端末デバイスのために設定されたリソースセットであり、リンク再設定応答情報を送信するために使用される、
請求項１８に記載の方法。
【請求項２７】
前記ネットワークデバイスによって前記第１期間の前記終了時点の後に第２制御リソースセットを送信することを更に有し、
前記第２制御リソースセットは、リンク故障が起きているリソースセットである、
請求項２６に記載の方法。
【請求項２８】
前記ネットワークデバイスによって、前記第１制御リソースセットを使用することによって前記端末デバイスへ前記第２制御リソースセットのＱＣＬ情報を送信することを更に有する、
請求項２７に記載の方法。
【請求項２９】
時点ｎで、リンク再設定を開始するために使用されるリンク再設定要求情報をネットワークデバイスへ送信するよう構成される送信ユニットと、
第１情報に基づいて前記時点ｎの後の第１期間中に物理ダウンリンク制御チャネルＰＤＣＣＨを検出するよう構成され、前記第１情報は、前記ＰＤＣＣＨを復調するために使用される第１参照信号と、第１閾値を満足する参照信号である第２参照信号との疑似コロケーションＱＣＬ仮定情報を有する、検出ユニット、及び／又は
第２情報に基づいて前記時点ｎの後の第２期間中に物理ダウンリンク共有チャネルＰＤＳＣＨを検出することであり、前記第２情報は、前記ＰＤＳＣＨを復調するために使用される第３参照信号と、第２閾値を満足する参照信号である第４参照信号との疑似コロケーションＱＣＬ仮定情報を有する、検出ユニットと
を有する端末デバイス。
【請求項３０】
前記第２参照信号は、前記リンク再設定要求情報に関連したダウンリンク参照信号を有する、
請求項２９に記載の端末デバイス。
【請求項３１】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項２９に記載の端末デバイス。
【請求項３２】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項２９乃至３１のうちいずれか一項に記載の端末デバイス。
【請求項３３】
前記検出ユニットは、前記端末デバイスによって、前記第１期間の前記終了時点の後に、前記第１シグナリングによって示された前記ＰＤＣＣＨ  ＱＣＬ情報に基づいて前記ＰＤＣＣＨを検出するよう更に構成される、
請求項３２に記載の端末デバイス。
【請求項３４】
前記第４参照信号は、前記リンク再設定要求情報に関連したダウンリンク参照信号を有する、
請求項２９に記載の端末デバイス。
【請求項３５】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項２９に記載の端末デバイス。
【請求項３６】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項２９に記載の端末デバイス。
【請求項３７】
前記端末デバイスは、
前記第２期間中に、前記ネットワークデバイスによって送信された第２シグナリングを受信するよう構成される受信ユニットを更に有し、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定され、
前記検出ユニットが、第２情報に基づいて前記時点ｎの後の第２期間中に物理ダウンリンク共有チャネルＰＤＳＣＨを検出するよう構成されることは、
前記第２情報であるデフォルトＱＣＬ情報に基づいて、前記時点ｎの後の前記第２期間中に前記ＰＤＳＣＨを検出することを有し、あるいは、
前記検出ユニットが、第２情報に基づいて前記時点ｎの後の第２期間中に物理ダウンリンク共有チャネルＰＤＳＣＨを検出するよう構成されることは、
前記時点ｎの後の前記第２期間中に、前記ＴＣＩ状態によって示されるＰＤＳＣＨ  ＱＣＬが無効であると仮定し、前記第２情報であるデフォルトＱＣＬに基づいて前記ＰＤＳＣＨを検出することを有する、
請求項３４又は３５に記載の端末デバイス。
【請求項３８】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項２９、３４、３５、３６、又は３７に記載の端末デバイス。
【請求項３９】
前記端末は、
前記第２期間の前記終了時点の後に、前記ネットワークデバイスによって送信された第４シグナリングを受信するよう構成される受信ユニットを更に有し、
前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用され、
前記検出ユニットは、前記第４シグナリングによって示される前記ＰＤＳＣＨ  ＱＣＬ情報に基づいて前記ＰＤＳＣＨを検出するよう更に構成される、
請求項３８に記載の端末デバイス。
【請求項４０】
前記検出ユニットは、前記第１期間中に第１制御リソースセットを検出するよう更に構成され、
前記第１制御リソースセットは、前記ネットワークデバイスによって前記端末デバイスのために設定されたリソースセットであり、リンク再設定応答情報を送信するために使用される、
請求項３２に記載の端末デバイス。
【請求項４１】
前記検出ユニットは、前記第１期間の前記終了時点の後に第２制御リソースセットを検出するよう更に構成され、
前記第２制御リソースセットは、リンク故障が起きているリソースセットである、
請求項４０に記載の端末デバイス。
【請求項４２】
前記第１制御リソースセットを使用することによって前記ネットワークデバイスによって送信される、前記第２制御リソースセットのＱＣＬ情報を受信するよう構成される受信ユニットを更に有する、
請求項４１に記載の端末デバイス。
【請求項４３】
時点ｎで端末デバイスによって送信された、リンク再設定を開始するために使用されるリンク再設定要求情報を受信するよう構成される受信ユニットと、
第１情報に基づいて前記時点ｎの後の第１期間中に物理ダウンリンク制御チャネルＰＤＣＣＨを送信するよう構成され、前記第１情報は、前記ＰＤＣＣＨを復調するために使用される第１参照信号と、第１閾値を満足する参照信号である第２参照信号との疑似コロケーションＱＣＬ仮定情報を有する、送信ユニット、及び／又は
第２情報に基づいて前記時点ｎの後の第１期間中に物理ダウンリンク共有チャネルＰＤＳＣＨを送信するよう構成され、前記第２情報は、前記ＰＤＳＣＨを復調するために使用される第３参照信号と、第２閾値を満足する参照信号である第４参照信号との疑似コロケーションＱＣＬ仮定情報を有する、送信ユニットと
を有するネットワークデバイス。
【請求項４４】
前記第１閾値を満足する前記参照信号は、前記リンク再設定要求情報に関連したダウンリンク参照信号を有する、
請求項４３に記載のネットワークデバイス。
【請求項４５】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項４３に記載のネットワークデバイス。
【請求項４６】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項４３乃至４５のうちいずれか一項に記載のネットワークデバイス。
【請求項４７】
前記送信ユニットは、前記第１期間の前記終了時点の後に、前記第１シグナリングによって示された前記ＰＤＣＣＨ  ＱＣＬ情報に基づいて前記ＰＤＣＣＨを送信するよう更に構成される、
請求項４６に記載のネットワークデバイス。
【請求項４８】
前記第４参照信号は、前記リンク再設定要求情報に関連したダウンリンク参照信号を有する、
請求項４３に記載のネットワークデバイス。
【請求項４９】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項４３に記載のネットワークデバイス。
【請求項５０】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項４３に記載のネットワークデバイス。
【請求項５１】
前記送信ユニットは、前記第２期間中に、前記端末デバイスへ第２シグナリングを送信するよう更に構成され、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定される、
請求項４８又は４９に記載のネットワークデバイス。
【請求項５２】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項４３、４８、４９、５０、又は５１に記載のネットワークデバイス。
【請求項５３】
前記送信ユニットは、前記第２期間の前記終了時点の後に、前記端末デバイスへ第４シグナリングを送信するよう更に構成され、前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用され、
前記送信ユニットは、前記第４シグナリングによって示される前記ＰＤＳＣＨ  ＱＣＬ情報に基づいて前記ＰＤＳＣＨを送信するよう更に構成される、
請求項５２に記載のネットワークデバイス。
【請求項５４】
前記送信ユニットは、前記第１期間中に第１制御リソースセットを送信するよう更に構成され、
前記第１制御リソースセットは、前記ネットワークデバイスによって前記端末デバイスのために設定されたリソースセットであり、リンク再設定応答情報を送信するために使用される、
請求項４６に記載のネットワークデバイス。
【請求項５５】
前記送信ユニットは、前記第１期間の前記終了時点の後に第２制御リソースセットを送信するよう更に構成され、
前記第２制御リソースセットは、リンク故障が起きているリソースセットである、
請求項５４に記載のネットワークデバイス。
【請求項５６】
前記送信ユニットは、前記第１制御リソースセットを使用することによって前記端末デバイスへ前記第２制御リソースセットのＱＣＬ情報を送信するよう更に構成される、
請求項５５に記載のネットワークデバイス。
【請求項５７】
プロセッサ、メモリ、受信器、及び送信器を有し、
前記メモリは、プログラムコードを記憶するよう構成され、
前記プロセッサは、前記メモリ内の前記プログラムコードを呼び出して、
時点ｎで、リンク再設定を開始するために使用されるリンク再設定要求情報をネットワークデバイスへ送信するように、前記送信器を制御する動作と、
第１情報に基づいて前記時点ｎの後の第１期間中に物理ダウンリンク制御チャネルＰＤＣＣＨを検出する動作であり、前記第１情報は、前記ＰＤＣＣＨを復調するために使用される第１参照信号と、第１閾値を満足する参照信号である第２参照信号との疑似コロケーションＱＣＬ仮定情報を有する、前記ＰＤＣＣＨを検出する動作、及び／又は
第２情報に基づいて前記時点ｎの後の第２期間中に物理ダウンリンク共有チャネルＰＤＳＣＨを検出する動作であり、前記第２情報は、前記ＰＤＳＣＨを復調するために使用される第３参照信号と、第２閾値を満足する参照信号である第４参照信号との疑似コロケーションＱＣＬ仮定情報を有する、前記ＰＤＳＣＨを検出する動作と
を実行するよう構成される、
端末デバイス。
【請求項５８】
前記第２参照信号は、前記リンク再設定要求情報に関連したダウンリンク参照信号を有する、
請求項５７に記載の端末デバイス。
【請求項５９】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項５７に記載の端末デバイス。
【請求項６０】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項５７乃至５９のうちいずれか一項に記載の端末デバイス。
【請求項６１】
前記プロセッサは、前記第１期間の前記終了時点の後に、前記第１シグナリングによって示された前記ＰＤＣＣＨ  ＱＣＬ情報に基づいて前記ＰＤＣＣＨを検出するよう更に構成される、
請求項６０に記載の端末デバイス。
【請求項６２】
前記第４参照信号は、前記リンク再設定要求情報に関連したダウンリンク参照信号を有する、
請求項５７に記載の端末デバイス。
【請求項６３】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項５７に記載の端末デバイス。
【請求項６４】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項５７に記載の端末デバイス。
【請求項６５】
前記プロセッサは、前記第２期間中に、前記ネットワークデバイスによって送信された第２シグナリングを受信するように、前記受信器を制御するよう更に構成され、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定され、
前記プロセッサが、第２情報に基づいて前記時点ｎの後の第２期間中に物理ダウンリンク共有チャネルＰＤＳＣＨを検出するよう構成されることは、
前記第２情報であるデフォルトＱＣＬ情報に基づいて、前記時点ｎの後の前記第２期間中に前記ＰＤＳＣＨを検出することを有し、あるいは、
前記プロセッサが、第２情報に基づいて前記時点ｎの後の第２期間中に物理ダウンリンク共有チャネルＰＤＳＣＨを検出するよう構成されることは、
前記時点ｎの後の前記第２期間中に、前記ＴＣＩ状態によって示されるＰＤＳＣＨ  ＱＣＬが無効であると仮定し、前記第２情報であるデフォルトＱＣＬに基づいて前記ＰＤＳＣＨを検出することを有する、
請求項６２又は６３に記載の端末デバイス。
【請求項６６】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項５７、６２、６３、６４、又は６５に記載の端末デバイス。
【請求項６７】
前記プロセッサは、
前記第２期間の前記終了時点の後に、前記ネットワークデバイスによって送信された第４シグナリングを受信するように、前記受信器を制御し、前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用され、
前記第４シグナリングによって示される前記ＰＤＳＣＨ  ＱＣＬ情報に基づいて前記ＰＤＳＣＨを検出する
よう更に構成される、
請求項６６に記載の端末デバイス。
【請求項６８】
前記プロセッサは、前記第１期間中に第１制御リソースセットを検出するよう更に構成され、
前記第１制御リソースセットは、前記ネットワークデバイスによって前記端末デバイスのために設定されたリソースセットであり、リンク再設定応答情報を送信するために使用される、
請求項６０に記載の端末デバイス。
【請求項６９】
前記プロセッサは、前記第１期間の前記終了時点の後に第２制御リソースセットを検出するよう更に構成され、
前記第２制御リソースセットは、リンク故障が起きているリソースセットである、
請求項６８に記載の端末デバイス。
【請求項７０】
前記プロセッサは、前記第１制御リソースセットを使用することによって前記ネットワークデバイスによって送信される、前記第２制御リソースセットのＱＣＬ情報を受信するように、前記受信器を制御するよう更に構成される、
請求項６９に記載の端末デバイス。
【請求項７１】
プロセッサ、メモリ、受信器、及び送信器を有し、
前記メモリは、プログラムコードを記憶するよう構成され、
前記プロセッサは、前記メモリ内の前記プログラムコードを呼び出して、
時点ｎで端末デバイスによって送信された、リンク再設定を開始するために使用されるリンク再設定要求情報を受信するように、前記受信器を制御する動作と、
第１情報に基づいて前記時点ｎの後の第１期間中に物理ダウンリンク制御チャネルＰＤＣＣＨを送信し、前記第１情報は、前記ＰＤＣＣＨを復調するために使用される第１参照信号と、第１閾値を満足する参照信号である第２参照信号との疑似コロケーションＱＣＬ仮定情報を有する、ように、前記送信器を制御する動作、及び／又は
第２情報に基づいて前記時点ｎの後の第１期間中に物理ダウンリンク共有チャネルＰＤＳＣＨを送信し、前記第２情報は、前記ＰＤＳＣＨを復調するために使用される第３参照信号と、第２閾値を満足する参照信号である第４参照信号との疑似コロケーションＱＣＬ仮定情報を有する、ように、前記送信器を制御する動作と
を実行するよう構成される、
ネットワークデバイス。
【請求項７２】
前記第１閾値を満足する前記参照信号は、前記リンク再設定要求情報に関連したダウンリンク参照信号を有する、
請求項７１に記載のネットワークデバイス。
【請求項７３】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項７１に記載のネットワークデバイス。
【請求項７４】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項７１乃至７３のうちいずれか一項に記載のネットワークデバイス。
【請求項７５】
前記プロセッサは、前記第１期間の前記終了時点の後に、前記第１シグナリングによって示された前記ＰＤＣＣＨ  ＱＣＬ情報に基づいて前記ＰＤＣＣＨを送信するように、前記送信器を制御するよう更に構成される、
請求項７４に記載のネットワークデバイス。
【請求項７６】
前記第４参照信号は、前記リンク再設定要求情報に関連したダウンリンク参照信号を有する、
請求項７１に記載のネットワークデバイス。
【請求項７７】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項７１に記載のネットワークデバイス。
【請求項７８】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項７１に記載のネットワークデバイス。
【請求項７９】
前記プロセッサは、前記第２期間中に前記端末デバイスへ第２シグナリングを送信するように、前記送信器を制御するよう更に構成され、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定される、
請求項７６又は７７に記載のネットワークデバイス。
【請求項８０】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項７１、７６、７７、７８、又は７９に記載のネットワークデバイス。
【請求項８１】
前記プロセッサは、前記第２期間の前記終了時点の後に前記端末デバイスへ第４シグナリングを送信するように、前記送信器を制御するよう更に構成され、
前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用され、
前記プロセッサは、前記第４シグナリングによって示される前記ＰＤＳＣＨ  ＱＣＬ情報に基づいて前記ＰＤＳＣＨを送信するように、前記送信器を制御するよう更に構成される、
請求項８０に記載のネットワークデバイス。
【請求項８２】
前記プロセッサは、前記第１期間中に第１制御リソースセットを送信するように、前記送信器を制御するよう更に構成され、
前記第１制御リソースセットは、前記ネットワークデバイスによって前記端末デバイスのために設定されたリソースセットであり、リンク再設定応答情報を送信するために使用される、
請求項７４に記載のネットワークデバイス。
【請求項８３】
前記プロセッサは、前記第１期間の前記終了時点の後に第２制御リソースセットを送信するように、前記送信器を制御するよう更に構成され、
前記第２制御リソースセットは、リンク故障が起きているリソースセットである、
請求項８２に記載のネットワークデバイス。
【請求項８４】
前記プロセッサは、前記第１制御リソースセットを使用することによって前記端末デバイスへ前記第２制御リソースセットのＱＣＬ情報を送信するように、前記送信器を制御するよう更に構成される、
請求項８３に記載のネットワークデバイス。
【請求項８５】
時点ｎで、リンク再設定を開始するために使用されるリンク再設定要求情報をネットワークデバイスへ送信するように、送信器を制御することと、
第１情報に基づいて前記時点ｎの後の第１期間中に物理ダウンリンク制御チャネルＰＤＣＣＨを検出することであり、前記第１情報は、前記ＰＤＣＣＨを復調するために使用される第１参照信号と、第１閾値を満足する参照信号である第２参照信号との疑似コロケーションＱＣＬ仮定情報を有する、前記ＰＤＣＣＨを検出すること、及び／又は
第２情報に基づいて前記時点ｎの後の第２期間中に物理ダウンリンク共有チャネルＰＤＳＣＨを検出することであり、前記第２情報は、前記ＰＤＳＣＨを復調するために使用される第３参照信号と、第２閾値を満足する参照信号である第４参照信号との疑似コロケーションＱＣＬ仮定情報を有する、前記ＰＤＳＣＨを検出することと
を行うよう構成されるプロセッサ。
【請求項８６】
前記第２参照信号は、前記リンク再設定要求情報に関連したダウンリンク参照信号を有する、
請求項８５に記載のプロセッサ。
【請求項８７】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項８５に記載のプロセッサ。
【請求項８８】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項５７乃至５９のうちいずれか一項に記載のプロセッサ。
【請求項８９】
前記プロセッサは、前記第１期間の前記終了時点の後に、前記第１シグナリングによって示された前記ＰＤＣＣＨ  ＱＣＬ情報に基づいて前記ＰＤＣＣＨを検出するよう更に構成される、
請求項８８に記載のプロセッサ。
【請求項９０】
前記第４参照信号は、前記リンク再設定要求情報に関連したダウンリンク参照信号を有する、
請求項８５に記載のプロセッサ。
【請求項９１】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項８５に記載のプロセッサ。
【請求項９２】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項８５に記載のプロセッサ。
【請求項９３】
前記プロセッサは、前記第２期間中に、前記ネットワークデバイスによって送信された第２シグナリングを受信するように、受信器を制御するよう更に構成され、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定され、
前記プロセッサが、第２情報に基づいて前記時点ｎの後の第２期間中に物理ダウンリンク共有チャネルＰＤＳＣＨを検出するよう構成されることは、
前記第２情報であるデフォルトＱＣＬ情報に基づいて、前記時点ｎの後の前記第２期間中に前記ＰＤＳＣＨを検出することを有し、あるいは、
前記プロセッサが、第２情報に基づいて前記時点ｎの後の第２期間中に物理ダウンリンク共有チャネルＰＤＳＣＨを検出するよう構成されることは、
前記時点ｎの後の前記第２期間中に、前記ＴＣＩ状態によって示されるＰＤＳＣＨ  ＱＣＬが無効であると仮定し、前記第２情報であるデフォルトＱＣＬに基づいて前記ＰＤＳＣＨを検出することを有する、
請求項９０又は９１に記載のプロセッサ。
【請求項９４】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項８５、９０、９１、９２、又は９３に記載のプロセッサ。
【請求項９５】
前記プロセッサは、
前記第２期間の前記終了時点の後に、前記ネットワークデバイスによって送信された第４シグナリングを受信するように、受信器を制御し、前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用され、
前記第４シグナリングによって示される前記ＰＤＳＣＨ  ＱＣＬ情報に基づいて前記ＰＤＳＣＨを検出する
よう更に構成される、
請求項９４に記載のプロセッサ。
【請求項９６】
前記プロセッサは、前記第１期間中に第１制御リソースセットを検出するよう更に構成され、
前記第１制御リソースセットは、前記ネットワークデバイスによって前記端末デバイスのために設定されたリソースセットであり、リンク再設定応答情報を送信するために使用される、
請求項８８に記載のプロセッサ。
【請求項９７】
前記プロセッサは、前記第１期間の前記終了時点の後に第２制御リソースセットを検出するよう更に構成され、
前記第２制御リソースセットは、リンク故障が起きているリソースセットである、
請求項９６に記載のプロセッサ。
【請求項９８】
前記プロセッサは、前記第１制御リソースセットを使用することによって前記ネットワークデバイスによって送信される、前記第２制御リソースセットのＱＣＬ情報を受信するように、前記受信器を制御するよう更に構成される、
請求項９７に記載のプロセッサ。
【請求項９９】
時点ｎで端末デバイスによって送信された、リンク再設定を開始するために使用されるリンク再設定要求情報を受信するように、受信器を制御することと、
第１情報に基づいて前記時点ｎの後の第１期間中に物理ダウンリンク制御チャネルＰＤＣＣＨを送信し、前記第１情報は、前記ＰＤＣＣＨを復調するために使用される第１参照信号と、第１閾値を満足する参照信号である第２参照信号との疑似コロケーションＱＣＬ仮定情報を有する、ように、送信器を制御すること、及び／又は
第２情報に基づいて前記時点ｎの後の第１期間中に物理ダウンリンク共有チャネルＰＤＳＣＨを送信し、前記第２情報は、前記ＰＤＳＣＨを復調するために使用される第３参照信号と、第２閾値を満足する参照信号である第４参照信号との疑似コロケーションＱＣＬ仮定情報を有する、ように、送信器を制御することと
を行うよう構成されるプロセッサ。
【請求項１００】
前記第１閾値を満足する前記参照信号は、前記リンク再設定要求情報に関連したダウンリンク参照信号を有する、
請求項９９に記載のプロセッサ。
【請求項１０１】
前記第２参照信号は、チャネル品質が前記第１閾値よりも高く、前記端末デバイスによって、リンク故障が起きた後かつ前記リンク再設定要求情報が送信される前に受信される参照信号を有し、あるいは、
前記第２参照信号は、チャネル品質が前記第１閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第２参照信号は、チャネル品質が前記第１閾値よりも高く、前記端末デバイスによって前記第１期間中に受信される参照信号を有し、あるいは、
前記第２参照信号は、チャネル品質が前記第１閾値よりも高くかつ前記端末デバイスによって前記第１期間中に受信される参照信号の中で、チャネル品質が最も良い参照信号を有する、
請求項９９に記載のプロセッサ。
【請求項１０２】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項９９乃至１０１のうちいずれか一項に記載のプロセッサ。
【請求項１０３】
前記プロセッサは、前記第１期間の前記終了時点の後に、前記第１シグナリングによって示された前記ＰＤＣＣＨ  ＱＣＬ情報に基づいて前記ＰＤＣＣＨを送信するように、前記送信器を制御するよう更に構成される、
請求項１０２に記載のプロセッサ。
【請求項１０４】
前記第４参照信号は、前記リンク再設定要求情報に関連したダウンリンク参照信号を有する、
請求項９９に記載のプロセッサ。
【請求項１０５】
前記第４参照信号は、前記ＰＤＣＣＨとのＱＣＬ関係を満足する参照信号を有し、あるいは、
前記第４参照信号は、初期アクセスプロセスにおいて前記端末デバイスによって受信される参照信号を有し、あるいは、
前記第４参照信号は、チャネル品質が前記第２閾値よりも高く、前記端末デバイスによって、リンク故障が起きた後かつ前記リンク再設定要求情報が送信される前に受信される参照信号を有し、あるいは、
前記第４参照信号は、チャネル品質が前記第２閾値よりも高く、かつ、前記端末デバイスによって、リンク故障が起きた後かつ前記リンク再設定要求情報が送信される前に受信される参照信号の中で、チャネル品質が最も良い参照信号を有し、あるいは、
前記第４参照信号は、チャネル品質が前記第２閾値よりも高く、前記端末デバイスによって前記第２期間中に受信される参照信号を有し、あるいは、
前記第４参照信号は、チャネル品質が前記第２閾値よりも高くかつ前記端末デバイスによって前記第２期間中に受信される参照信号の中で、チャネル品質が最も良い参照信号を有する、
請求項９９に記載のプロセッサ。
【請求項１０６】
前記第４参照信号は、伝送設定指示テーブルＴＣＩテーブルにおいてデフォルト状態で示され、前記ＴＣＩテーブルは、前記ネットワークデバイスによって、前記端末デバイスのために、前記第２期間の終了時点の前に設定され、
前記デフォルト状態で示される前記第４参照信号は、前記ＰＤＣＣＨとのＱＣＬ関係を満足する参照信号、又は初期アクセスプロセスにおいて前記端末デバイスによって受信される参照信号を有する、
請求項９９に記載のプロセッサ。
【請求項１０７】
前記プロセッサは、前記第２期間中に前記端末デバイスへ第２シグナリングを送信するように、前記送信器を制御するよう更に構成され、
前記第２シグナリングは、レイヤ−１シグナリングを有し、前記第２シグナリングは、伝送設定指示状態ＴＣＩ状態を示すために使用され、該ＴＣＩ状態は、前記ＰＤＳＣＨのＱＣＬ情報を示すために使用され、前記ＴＣＩ状態は、ＴＣＩテーブル内の状態であり、該ＴＣＩテーブルは、前記ネットワークデバイスによって、前記端末デバイスのために、前記第２期間の終了時点の前に設定される、
請求項１０４又は１０５に記載のプロセッサ。
【請求項１０８】
前記第２期間の終了時点は、前記端末デバイスが前記ネットワークデバイスによって送信された第３シグナリングを受信する時点であり、前記第３シグナリングは、レイヤ−３シグナリング及びレイヤ−２シグナリングのうちの少なくとも１つを有し、前記第３シグナリングは、前記ＰＤＳＣＨのＴＣＩテーブルを示すために使用され、前記ＴＣＩテーブルは、前記ＰＤＳＣＨの候補ＱＣＬ情報を示すために使用される、
請求項９９、１０４、１０５、１０６、又は１０７に記載のプロセッサ。
【請求項１０９】
前記プロセッサは、前記第２期間の前記終了時点の後に前記端末デバイスへ第４シグナリングを送信するように、前記送信器を制御するよう更に構成され、
前記第４シグナリングは、レイヤ−１シグナリングを有し、前記第４シグナリングは、前記第３シグナリングによって示される前記ＴＣＩテーブル内のＴＣＩ状態を示すために使用され、該ＴＣＩ状態は、前記ＰＤＳＣＨのＱＣＬ情報を示すために使用され、
前記プロセッサは、前記第４シグナリングによって示される前記ＰＤＳＣＨ  ＱＣＬ情報に基づいて前記ＰＤＳＣＨを送信するように、前記送信器を制御するよう更に構成される、
請求項１０８に記載のプロセッサ。
【請求項１１０】
前記プロセッサは、前記第１期間中に第１制御リソースセットを送信するように、前記送信器を制御するよう更に構成され、
前記第１制御リソースセットは、前記ネットワークデバイスによって前記端末デバイスのために設定されたリソースセットであり、リンク再設定応答情報を送信するために使用される、
請求項１０２に記載のプロセッサ。
【請求項１１１】
前記プロセッサは、前記第１期間の前記終了時点の後に第２制御リソースセットを送信するように、前記送信器を制御するよう更に構成され、
前記第２制御リソースセットは、リンク故障が起きているリソースセットである、
請求項１１０に記載のプロセッサ。
【請求項１１２】
前記プロセッサは、前記第１制御リソースセットを使用することによって前記端末デバイスへ前記第２制御リソースセットのＱＣＬ情報を送信するように、前記送信器を制御するよう更に構成される、
請求項１１１に記載のプロセッサ。
【請求項１１３】
端末デバイス及びネットワークデバイスを有し、
前記端末デバイスは、請求項２９乃至４２のうちいずれか一項に記載の端末デバイスであり、前記ネットワークデバイスは、請求項４３乃至５６のうちいずれか一項に記載のネットワークデバイスであり、あるいは、
前記端末デバイスは、請求項５７乃至７０のうちいずれか一項に記載の端末デバイスであり、前記ネットワークデバイスは、請求項７１乃至８４のうちいずれか一項に記載のネットワークデバイスである、
通信システム。
【請求項１１４】
コンピュータプログラムを記憶しており、該コンピュータプログラムがプロセッサによって実行される場合に、請求項１乃至１４のうちいずれか一項に記載の方法が実行される、
コンピュータ記憶媒体。
【請求項１１５】
コンピュータプログラムを記憶しており、該コンピュータプログラムがプロセッサによって実行される場合に、請求項１５乃至２８のうちいずれか一項に記載の方法が実行される、
コンピュータ記憶媒体。
【請求項１１６】
命令を有するコンピュータプログラム製品であって、
前記コンピュータプログラム製品がコンピュータで実行される場合に、該コンピュータは、請求項１乃至１４のうちいずれか一項に記載の方法を実行する、
コンピュータプログラム製品。
【請求項１１７】
命令を有するコンピュータプログラム製品であって、
前記コンピュータプログラム製品がコンピュータで実行される場合に、該コンピュータは、請求項１５乃至２８のうちいずれか一項に記載の方法を実行する、
コンピュータプログラム製品。
【請求項１１８】
プロセッサと、該プロセッサと結合された１つ以上のインターフェイスとを有し、
前記プロセッサは、メモリからプログラムコードを呼び出して、請求項１乃至１４のうちいずれか一項に記載の方法を実行するよう構成され、
前記インターフェイスは、前記プロセッサの処理結果を出力するよう構成される、
装置。
【請求項１１９】
プロセッサと、該プロセッサと結合された１つ以上のインターフェイスとを有し、
前記プロセッサは、メモリからプログラムコードを呼び出して、請求項１５乃至２８のうちいずれか一項に記載の方法を実行するよう構成され、
前記インターフェイスは、前記プロセッサの処理結果を出力するよう構成される、
装置。
【発明の詳細な説明】
【技術分野】
【０００１】
本願は、無線通信技術の分野に、特に、信号伝送方法、関連するデバイス、及びシステムに関係がある。
【背景技術】
【０００２】
移動体サービスの発展は、無線通信におけるデータレート及び効率に対して、より高い要件を課す。データレート及び効率を改善する方法は、非常に広いバンド幅を持った周波数バンドを使用することである。しかし、伝搬経路損失は、無線通信のための周波数が増大すると大きくなる。結果として、伝搬到着距離は、相対的に短くなり、サービスエリア（カバレッジエリア）は、より小さくなる。ビームフォーミング技術は、伝搬経路損失を軽減し、かつ、伝搬到着距離が短くされるという問題を解決するために使用される重要な技術の１つである。
【０００３】
ビームフォーミングは、送信端によって行われる送信ビームフォーミングと、受信端によって行われる受信ビームフォーミングとに分けられ得る。送信ビームフォーミング中には、複数のアンテナが、指向性を強化するように、エリアに届く特定方向における集中伝搬のために、通常は使用される。複数のアンテナが配置される形は、アンテナアレイと呼ばれることがあり、アレイに含まれる各アンテナは、アンテナ要素（array  element）と呼ばれることがある。アンテナアレイは、複数のタイプ、例えば、線形アレイ又は平面アレイ、に構成され得る。送信ビームフォーミングが使用される場合に、伝送距離は、信号指向性が強化されるにつれて長くなる。その上、信号は、指示された方向以外の方向へはほとんど送信されないので、ピア受信端での信号に対する干渉は、相当に低減される。受信端は、受信アンテナアレイを使用することによって受信信号に対してビームフォーミングを実行し得る。受信ビームフォーミング中に、電波は、対応する方向から発せられた受信信号の感度を強化し、受信信号から、対応する方向以外の方向から発せられた信号を除いて、干渉信号を遮る利得をもたらすように、特定の方向において集中的に受信される。
【０００４】
基地局及び端末が通信のためにビームを使用する場合に、通信プロセスにおける故障による遮断及び高周波チャネルでの回折能力の悪さのために、現在のサービスのビームは遮られ、信号伝送は継続不可能である。結果として、通信は、不意に中断される可能性がある。言い換えると、リンク故障が起こる。リンク故障が起きた後かつ新しいリンクが適切に使用される前の期間中に、端末が、基地局によって配信された物理ダウンリンク制御チャネル（Physical  Downlink  Control  Channel，ＰＤＣＣＨ）又は物理ダウンリンク共有チャネル（Physical  Downlink  Shared  Channel，ＰＤＳＣＨ）をいかにして受信するかは、現在解決される必要がある技術的課題である。
【発明の概要】
【０００５】
本願は、リンク故障が起きた後かつリンク通信が正常に回復される前の期間中に、端末デバイスがネットワークデバイスによって配信されたＰＤＣＣＨ／ＰＤＳＣＨを適切に受信することができ、それによってリンク信頼性を改善するように、信号伝送方法、関連するデバイス、及びシステムを提供する。
【０００６】
第１の態様に従って、本願は、信号伝送方法を提供する。方法は端末側に適用され、端末デバイスによって、時点ｎで、リンク再設定を開始するために使用されるリンク再設定要求情報をネットワークデバイスへ送信することと、端末デバイスによって第１情報に基づいて時点ｎの後の第１期間中にＰＤＣＣＨを検出すること、及び／又は端末デバイスによって第２情報に基づいて時点ｎの後の第２期間中にＰＤＳＣＨを検出することとを含んでよい。ここで、第１情報は、第１参照情報及び第２参照情報の疑似コロケーション（Quasi  Co-location，ＱＣＬ）仮定情報を含む。第１参照情報は、ＰＤＣＣＨを復調するために使用され、言い換えると、第１参照信号は、ＰＤＣＣＨの復調参照信号（Demodulation  Reference  Signal，ＤＭＲＳ）である。第２参照信号は、第１閾値を満足する参照信号である。第２情報は、第３参照信号及び第４参照信号のＱＣＬ情報を含む。第３参照信号は、ＰＤＳＣＨを復調するために使用され、言い換えると、第３参照信号は、ＰＤＳＣＨのＤＭＲＳである。第４参照信号は、第２閾値を満足する参照信号である。
【０００７】
第２の態様に従って、本願は、信号伝送方法を提供する。方法はネットワークデバイス側に適用され、ネットワークデバイスによって、時点ｎで端末デバイスによって送信された、リンク再設定を開始するために使用されるリンク再設定要求情報を受信することと、ネットワークデバイスによって第１情報に基づいて時点ｎの後の第１期間中に物理ダウンリンク制御チャネルＰＤＣＣＨを送信すること、及び／又はネットワークデバイスによって第２情報に基づいて時点ｎの後の第１期間中に物理ダウンリンク共有チャネルＰＤＳＣＨを送信することとを含んでよい。ここで、第１情報は、第１参照信号及び第２参照信号の疑似コロケーション（Quasi  Co-location，ＱＣＬ）仮定情報を含む。第１参照信号は、ＰＤＣＣＨを復調するために使用され、言い換えると、第１参照信号は、ＰＤＣＣＨの復調参照信号（Demodulation  Reference  Signal，ＤＭＲＳ）である。第２参照信号は、第１閾値を満足する参照信号である。第２情報は、第３参照信号及び第４参照信号のＱＣＬ情報を含む。第３参照信号は、ＰＤＳＣＨを復調するために使用され、言い換えると、第３参照信号は、ＰＤＳＣＨのＤＭＲＳである。第４参照信号は、第２閾値を満足する参照信号である。
【０００８】
疑似コロケーションＱＣＬ仮定情報は、コロケーション（Quasi-Co-Location）仮定とも呼ばれることがある。ＱＣＬ情報は、端末デバイスの受信側の受信プロセス及びビームフォーミング情報を示すことを支援するために使用される。
【０００９】
ＱＣＬ情報を端末デバイス側に示すためにネットワークデバイス側によって使用されるオーバーヘッドを減らすように、任意の実施では、ネットワークデバイス側は、ＰＤＣＣＨ又はＰＤＳＣＨの復調参照信号及び端末デバイスによって以前に報告された参照信号リソースの１つ以上がＱＣＬ関係を満足することを示すことができる。例えば、参照信号は、チャネル状態情報参照信号（Channel  State  Information  Reference  Signal，ＣＳＩ−ＲＳ）であってよい。ここで、夫々の報告されるＣＳＩ−ＲＳリソースインデックスは、ＣＳＩ−ＲＳリソースに基づいて実行された測定中に以前に確立された１つの送信及び受信ビーム対に対応している。ＱＣＬ関係を満足する２つの参照信号又はチャネルは、同じ受信ビーム情報を有していることが理解されるべきである。従って、参照信号リソースインデックスに基づいて、ＵＥは、インターフェイスを通じて、ＰＤＣＣＨ又はＰＤＳＣＨを受信する受信ビームに関する情報を取得することができる。
【００１０】
例えば、復調参照信号（Demodulation  Reference  Signal，ＤＭＲＳ）を受信するために端末デバイスによって使用される受信ビームは、端末デバイスによって以前に報告されておりかつＣＳＩ−ＲＳに基づいた測定で取得される複数の送信及び受信ビーム対の中の受信ビームと同じである。具体的に言えば、ＱＣＬ情報は、端末デバイスによって報告された次の：第２参照信号のビームグループインデックス番号、第２参照信号のリソースインデックス番号、第２参照信号のポート番号、及び第２参照信号のポートグループ番号、中の少なくとも１つを含んでよく、第２参照信号は、端末デバイスによって以前に報告されておりかつＣＳＩ−ＲＳに基づいた測定において取得される複数の送信及び受信ビーム対の中に１つに対応している。ここで、端末デバイスによって報告される第２参照信号のビームグループインデックス番号は、端末デバイスによって報告される第２参照信号のリソースセットインデックス番号と同等である。端末デバイスによって報告される第２参照信号のリソースインデックス番号は、ＵＥの報告に基づく複数のリソースインデックス番号セットの中の相対インデックス番号であってよい。例えば、端末デバイスが、第２参照信号の４つの絶対リソースインデックス番号｛１，５，７，９｝を報告する場合に、端末デバイスによって報告された結果に従って、第２参照信号の相対リソースインデックス番号は、｛０，１，２，３｝の中のいずれか１つである。相対リソースインデックス番号０は、端末デバイスによって報告される第２参照信号のリソースインデックス番号１に対応しており、相対リソースインデックス番号１は、端末デバイスによって報告される第２参照信号のリソースインデックス番号５に対応しており、相対リソースインデックス番号２は、端末デバイスによって報告される第２参照信号のリソースインデックス番号７に対応しており、相対リソースインデックス番号３は、端末デバイスによって報告される第２参照信号のリソースインデックス番号９に対応している。
【００１１】
任意に、ＱＣＬ情報はまた、いくつかの空間特徴パラメータ、例えば、到来角ＡｏＡ（angle  of  arrival）、ドミナント到来角Dominant  AoA、平均到来角、到来角のパワー角スペクトル（Power  angular  spectrum  (PAS)  of  AoA）、発射角ＡｏＤ（angle  of  departure）、ドミナント発射角、平均発射角、発射角のパワー角スペクトル、端末送信ビームフォーミング、端末受信ビームフォーミング、空間チャネル相関、基地局送信ビームフォーミング、基地局受信ビームフォーミング、平均チャネル利得、平均チャネル遅延、遅延拡散delay  spread、ドップラー拡散Doppler  spread、及び空間受信パラメータ（spatial  Rx  parameters）を含んでもよい。これらの空間特徴パラメータは、第１参照信号のアンテナポートと第２参照信号のアンテナポートとの間の空間チャネルの特徴を記述する。これは、端末がＱＣＬ情報に基づいて受信側での受信処理プロセス又はビームフォーミングプロセスを完了することを助ける。
【００１２】
本願で、端末デバイスが第１情報に基づいてＰＤＣＣＨを検出することは、端末デバイスが１つ以上の特定の受信ビームを使用して第２参照信号を受信する場合に、端末デバイスがその１つ以上の特定の受信ビームを使用してＰＤＣＣＨを受信／復号することを意味する。言い換えると、ＰＤＣＣＨ及び第２参照信号は、ＱＣＬ関係を満足し、あるいは、ＰＤＣＣＨのＤＭＲＳ及び第２参照信号は、ＱＣＬ関係を満足する。
【００１３】
本願で、端末デバイスが第２情報に基づいてＰＤＳＣＨを検出することは、端末デバイスが１つ以上の特定の受信ビームを使用して第４参照信号を受信する場合に、端末デバイスがその１つ以上の特定の受信ビームを使用してＰＤＳＣＨを受信／復号することを意味する。言い換えると、ＰＤＳＣＨ及び第４参照信号は、ＱＣＬ関係を満足し、あるいは、ＰＤＣＣＨのＤＭＲＳ及び第４参照信号は、ＱＣＬ関係を満足する。
【００１４】
第１の態様で記載される方法が実行される場合に、リンク故障が起きた後かつリンク通信が正常に回復される前の期間中に、端末デバイスは、ネットワークデバイスによって配信されたＰＤＣＣＨ／ＰＤＳＣＨを適切に受信することができ、それによって、リンク信頼性は改善される。
【００１５】
以下は、２つの物理ダウンリンクチャネル：ＰＤＣＣＨ及びＰＤＳＣＨの観点から、本願の情報指示方法を別々に説明する。
【００１６】
シナリオ１：端末デバイスは、リンク故障が起きた後かつリンク通信が正常に回復される前の期間中に、ネットワークデバイスによって配信されたＰＤＣＣＨを受信する。
【００１７】
以下は、本願で記載される第２参照信号に関連したいくつかの場合について記載する。
【００１８】
場合１：第２参照信号は、リンク再設定要求情報に関連したダウンリンク参照信号を含む。リンク再設定要求情報に関連したダウンリンク参照信号は、リンク再設定要求情報を送信する前に、端末デバイスが、良いチャネル品質／信号品質を有するダウンリンク参照信号を識別（又は選択）、すなわち、良いチャネル品質を有するダウンリンクビーム（ここでは、ネットワークデバイスの送信ビームを意味する）を選択するために、ネットワークデバイスによって周期的に配信されるダウンリンク参照信号の品質を測定する、ことを意味する。それから、端末デバイスは、リンク再設定要求情報の伝送信頼性を確かにするために、良いチャネル品質を有するダウンリンクビームに対応するアップリンクビーム（ここでは、端末送信ビームを意味する）を使用することによって、リンク再設定要求情報を送信する。ダウンリンクビーム及びダウンリンクビームに対応するアップリンクビームは、一致関係にあるビーム対である。ビーム対は、ビーム訓練プロセスにおいてネットワークデバイス及び端末デバイスによって前もって決定される。ビーム対訓練プロセスは、端末デバイスがリンク再設定要求情報を送信するプロセスより前である。良いチャネル品質／信号品質を有する識別された（又は選択された）ダウンリンク参照信号は、リンク再設定要求情報に関連したダウンリンク参照信号である。
【００１９】
この場合に、端末デバイスが特定の送信ビームを使用してリンク再設定要求情報を送信する場合に、端末デバイスは、その特定の送信ビームに対応する受信ビームを使用して、ネットワークデバイスによって送信されたＰＤＣＣＨを受信する。各端末送信ビームは、受信ビームに対応していることが留意されるべきである。ここで、端末送信ビームが端末受信ビームに対応していることは、同じ指向性を有していることを意味する。任意に、端末送信ビーム及び端末送信ビームに対応する端末受信ビームは、同じビームであってよく、同じトランシーバ装置を共有することができる。任意に、端末ビームに対応するアンテナポート及び対応する端末受信ビームに対応するアンテナポートは、ＱＣＬを満足し得る。
【００２０】
場合２：第２参照信号は、チャネル品質が第１閾値よりも高く、端末デバイスによって、リンク故障が起きた後かつリンク再設定要求情報が送信される前に受信される参照信号を含む。
【００２１】
この場合に、通信リンク障害（又は通信リンク故障、ビーム障害、ビーム故障、リンク障害、リンク故障、通信障害、通信故障、などと呼ばれる）がネットワークデバイスのダウンリンクビームで起こったことを端末デバイスが検出した後、かつ、端末デバイスがリンク再設定要求情報を送信する前に、端末デバイスは新しいビームを識別し得る。具体的に言えば、ネットワークデバイスは、ダウンリンク参照信号を周期的に送信し、通信のためにネットワークデバイスによって目下使用されているダウンリンクビームで通信リンク障害が起きたことを端末デバイスが検出した後、端末デバイスは、ネットワークデバイスによって送信されたダウンリンク参照信号のチャネル品質を測定して、チャネル品質が第１閾値よりも高い参照信号を識別し、それから、端末デバイスは、チャネル品質が第１閾値よりも高い参照信号の受信ビームを使用して、ネットワークデバイスによって送信されたＰＤＣＣＨを受信する。言い換えると、この時点で、ＰＤＣＣＨのＤＭＲＳ及び参照信号はＱＣＬ関係を満足すると仮定する。ここで、ＱＣＬ関係を満足するとは、端末デバイスが特定の受信ビームを使用して、チャネル品質が第１閾値よりも高い参照信号を受信する場合に、端末デバイスがその特定の受信ビームを使用して、ネットワークデバイスによって送信されたＰＤＣＣＨを受信することを意味する。
【００２２】
場合３：第２参照信号は、チャネル品質が第１閾値よりも高く、かつ、端末デバイスによって、リンク故障が起きた後かつリンク再設定要求情報が送信される前に受信される参照信号の中で、チャネル品質が最も良い参照信号を含む。
【００２３】
この場合に、通信リンク故障がネットワークデバイスのダウンリンクビームで起こったことを端末デバイスが検出した後、かつ、端末デバイスがリンク再設定要求情報を送信する前に、端末デバイスは、新しいビームを識別し得る。具体的に言えば、ネットワークデバイスは、ダウンリンク参照信号を周期的に送信し、通信のためにネットワークデバイスによって目下使用されているダウンリンクビームでリンク障害／故障が起こったことを端末デバイスが検出した後、端末デバイスは、ネットワークデバイスによって送信されたダウンリンク参照信号のチャネル品質を測定して、チャネル品質が最も良い参照信号を識別し、それから、端末デバイスは、チャネル品質が最も良い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビームを使用して、チャネル品質が最も良い参照信号を受信する場合に、端末デバイスがその特定の受信ビームを使用して、ネットワークデバイスによって送信されたＰＤＣＣＨを受信することを意味する。ここで、チャネル品質が最も良いダウンリンク参照信号は、チャネル品質が第１閾値よりも高くかつ端末デバイスによって測定される複数の参照信号の中で最良のチャネル品質を有している参照信号を意味する。本願で、チャネル品質が良い参照信号及び信号品質が良い参照信号は、同じ意味として理解されてよく、いずれも、参照信号のチャネル品質情報（例えば、参照信号受信電力（Reference  Signal  Received  Power，ＲＳＲＰ）又はチャネル品質インジケータ（Channel  Quality  Indicator，ＣＱＩ））が前もってセットされた閾値よりも高いことを意味する。
【００２４】
場合４：第２参照信号は、チャネル品質が第１閾値よりも高く、端末デバイスによって第１期間中に受信される参照信号を含む。
【００２５】
この場合に、端末デバイスは、端末デバイスがリンク再設定要求情報を送信した後に、新しいビームを訓練し得る。具体的に言えば、端末デバイスによって送信されたリンク再設定要求情報を受信した後、ネットワークデバイスはダウンリンク参照信号を送信し、端末デバイスは、ネットワークデバイスによって送信されたダウンリンク参照信号のチャネル品質を測定して、チャネル品質が第１閾値よりも高い参照信号を識別し、それから、端末デバイスは、チャネル品質が第１閾値よりも高い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビームを使用して、チャネル品質が第１閾値よりも高い参照信号を受信する場合に、端末デバイスがその特定の受信ビームを使用して、ネットワークデバイスによって送信されたＰＤＣＣＨを受信することを意味する。
【００２６】
場合５：第２参照信号は、チャネル品質が第１閾値よりも高くかつ端末デバイスによって第１期間中に受信される参照信号の中で、チャネル品質が最も良い参照信号を含む。
【００２７】
この場合に、端末デバイスは、端末デバイスがリンク再設定要求情報を送信した後に、新しいビームを訓練し得る。具体的に言えば、端末デバイスによって送信されたリンク再設定要求情報を受信した後、ネットワークデバイスはダウンリンク参照信号を送信し、端末デバイスは、ネットワークデバイスによって送信されたダウンリンク参照信号のチャネル品質を測定して、チャネル品質が最も良い参照信号を識別し、それから、端末デバイスは、チャネル品質が最も良い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビームを使用して、チャネル品質が最も良い参照信号を受信する場合に、端末デバイスがその特定の受信ビームを使用して、ネットワークデバイスによって送信されたＰＤＣＣＨを受信することを意味する。ここで、チャネル品質が最も良いダウンリンク参照信号は、チャネル品質が第１閾値よりも高くかつ端末デバイスによって測定される複数の参照信号の中で最良のチャネル品質を有している参照信号を意味する。本願で、チャネル品質が良い参照信号及び信号品質が良い参照信号は、同じ意味として理解されてよく、いずれも、参照信号のチャネル品質情報（例えば、参照信号受信電力（Reference  Signal  Received  Power，ＲＳＲＰ）又はチャネル品質インジケータ（Channel  Quality  Indicator，ＣＱＩ））が前もってセットされた閾値よりも高いことを意味する。
【００２８】
本願において、第１期間の開始時点は時点ｎであり、第１期間の終了時点は、端末デバイスがネットワークデバイスによって送信された第１シグナリングを受信する時点であり、第１シグナリングは、ＰＤＣＣＨのＱＣＬ情報を示すために使用される。第１シグナリングは、端末デバイスによって送信されたリンク再設定要求情報を受信した後に、ネットワークデバイスによって端末デバイスのために再設定されたＱＣＬ情報である。第１シグナリングは、レイヤ−３シグナリング（ＲＲＣシグナリングを含むが限られない）、レイヤ−２シグナリング（ＭＡＣ−ＣＥシグナリングを含むが限られない）、及びレイヤ−１シグナリング（ＤＣＩシグナリングを含むが限られない）のうちの少なくとも１つを含む。
【００２９】
任意に、本願における第１閾値は、ネットワークデバイスによって設定されてよく、あるいは、事前に定義されてよい。
【００３０】
任意に、第１期間の終了時点の後に、すなわち、端末デバイスが、ネットワークデバイスによって再設定されたＰＤＣＣＨ  ＱＣＬ情報を受信した後に、通信リンクは正常に回復し、ネットワークデバイスは、第１シグナリングによって示されるＰＤＣＣＨ  ＱＣＬ情報に基づいてＰＤＣＣＨを送信し、端末デバイスは、ネットワークデバイスによって再設定されたＰＤＣＣＨ  ＱＣＬ情報に基づいて、ネットワークデバイスによって送信されたＰＤＣＣＨを検出する。
【００３１】
シナリオ２：端末デバイスは、リンク故障が起きた後かつリンク通信が正常に回復される前の期間中に、ネットワークデバイスによって配信されたＰＤＳＣＨを受信する。
【００３２】
以下は、第２閾値を満足しかつ本願で記載される参照信号に関連したいくつかの場合について記載する。
【００３３】
場合１：第４参照信号は、リンク再設定要求情報に関連したダウンリンク参照信号を含む。リンク再設定要求情報に関連したダウンリンク参照信号は、リンク再設定要求情報を送信する前に、端末デバイスが、良いチャネル品質／信号品質を有するダウンリンク参照信号を識別（又は選択）、すなわち、良いチャネル品質を有するダウンリンクビーム（ここでは、ネットワークデバイスの送信ビームを意味する）を選択するために、ネットワークデバイスによって周期的に配信されるダウンリンク参照信号の品質を測定する、ことを意味する。それから、端末デバイスは、リンク再設定要求情報の伝送信頼性を確かにするために、良いチャネル品質を有するダウンリンクビームに対応するアップリンクビーム（ここでは、端末送信ビームを意味する）を使用することによって、リンク再設定要求情報を送信する。ダウンリンクビーム及びダウンリンクビームに対応するアップリンクビームは、一致関係にあるビーム対である。ビーム対は、ビーム訓練プロセスにおいてネットワークデバイス及び端末デバイスによって前もって決定される。ビーム対訓練プロセスは、端末デバイスがリンク再設定要求情報を送信するプロセスより前である。良いチャネル品質／信号品質を有する識別された（又は選択された）ダウンリンク参照信号は、リンク再設定要求情報に関連したダウンリンク参照信号である。
【００３４】
この場合に、端末デバイスが特定の送信ビームを使用してリンク再設定要求情報を送信する場合に、端末デバイスは、その特定の送信ビームに対応する受信ビームを使用して、ネットワークデバイスによって送信されたＰＤＣＣＨを受信する。
【００３５】
場合２：第４参照信号は、チャネル品質が第２閾値よりも高く、端末デバイスによって、リンク故障が起きた後かつリンク再設定要求情報が送信される前に受信される参照信号を含む。
【００３６】
この場合に、通信リンク障害（又は通信リンク故障、ビーム障害、ビーム故障、リンク障害、リンク故障、通信障害、通信故障、などと呼ばれる）がネットワークデバイスのダウンリンクビームで起こったことを端末デバイスが検出した後、かつ、端末デバイスがリンク再設定要求情報を送信する前に、端末デバイスは新しいビームを識別し得る。具体的に言えば、ネットワークデバイスは、ダウンリンク参照信号を周期的に送信し、通信のためにネットワークデバイスによって目下使用されているダウンリンクビームで通信リンク障害が起きたことを端末デバイスが検出した後、端末デバイスは、ネットワークデバイスによって送信されたダウンリンク参照信号のチャネル品質を測定して、チャネル品質が第２閾値よりも高い参照信号を識別し、それから、端末デバイスは、チャネル品質が第２閾値よりも高い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号はＱＣＬ関係を満足すると仮定する。ここで、ＱＣＬ関係を満足するとは、端末デバイスが特定の受信ビームを使用して、チャネル品質が第２閾値よりも高い参照信号を受信する場合に、端末デバイスがその特定の受信ビームを使用して、ネットワークデバイスによって送信されたＰＤＳＣＨを受信することを意味する。
【００３７】
場合３：第４参照信号は、チャネル品質が第２閾値よりも高く、かつ、端末デバイスによって、リンク故障が起きた後かつリンク再設定要求情報が送信される前に受信される参照信号の中で、チャネル品質が最も良い参照信号を含む。
【００３８】
この場合に、通信リンク故障がネットワークデバイスのダウンリンクビームで起こったことを端末デバイスが検出した後、かつ、端末デバイスがリンク再設定要求情報を送信する前に、端末デバイスは、新しいビームを識別し得る。具体的に言えば、ネットワークデバイスは、ダウンリンク参照信号を周期的に送信し、通信のためにネットワークデバイスによって目下使用されているダウンリンクビームでリンク障害／故障が起こったことを端末デバイスが検出した後、端末デバイスは、ネットワークデバイスによって送信されたダウンリンク参照信号のチャネル品質を測定して、チャネル品質が最も良い参照信号を識別し、それから、端末デバイスは、チャネル品質が最も良い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号がＱＣＬ関係を満足すると仮定する。ここで、ＱＣＬ関係を満足するとは、端末デバイスが特定の受信ビームを使用して、チャネル品質が最も良い参照信号を受信する場合に、端末デバイスがその特定の受信ビームを使用して、ネットワークデバイスによって送信されたＰＤＳＣＨを受信することを意味する。ここで、チャネル品質が最も良いダウンリンク参照信号は、チャネル品質が第２閾値よりも高くかつ端末デバイスによって測定される複数の参照信号の中で最良のチャネル品質を有している参照信号を意味する。本願で、チャネル品質が良い参照信号及び信号品質が良い参照信号は、同じ意味として理解されてよく、いずれも、参照信号のチャネル品質情報（例えば、参照信号受信電力（Reference  Signal  Received  Power，ＲＳＲＰ）又はチャネル品質インジケータ（Channel  Quality  Indicator，ＣＱＩ））が前もってセットされた閾値よりも高いことを意味する。
【００３９】
場合４：第４参照信号は、チャネル品質が第２閾値よりも高く、端末デバイスによって第２期間中に受信される参照信号を含む。
【００４０】
この場合に、端末デバイスは、端末デバイスがリンク再設定要求情報を送信した後に、新しいビームを訓練し得る。具体的に言えば、端末デバイスによって送信されたリンク再設定要求情報を受信した後、ネットワークデバイスはダウンリンク参照信号を送信し、端末デバイスは、ネットワークデバイスによって送信されたダウンリンク参照信号のチャネル品質を測定して、チャネル品質が第２閾値よりも高い参照信号を識別し、それから、端末デバイスは、チャネル品質が第２閾値よりも高い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号がＱＣＬ関係を満足すると仮定する。ここで、ＱＣＬ関係を満足するとは、端末デバイスが特定の受信ビームを使用して、チャネル品質が第２閾値よりも高い参照信号を受信する場合に、端末デバイスがその特定の受信ビームを使用して、ネットワークデバイスによって送信されたＰＤＳＣＨを受信することを意味する。
【００４１】
場合５：第４参照信号は、チャネル品質が第２閾値よりも高くかつ端末デバイスによって第２期間中に受信される参照信号の中で、チャネル品質が最も良い参照信号を含む。
【００４２】
この場合に、端末デバイスは、端末デバイスがリンク再設定要求情報を送信した後に、新しいビームを訓練し得る。具体的に言えば、端末デバイスによって送信されたリンク再設定要求情報を受信した後、ネットワークデバイスはダウンリンク参照信号を送信し、端末デバイスは、ネットワークデバイスによって送信されたダウンリンク参照信号のチャネル品質を測定して、チャネル品質が最も良い参照信号を識別し、それから、端末デバイスは、チャネル品質が最も良い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号がＱＣＬ関係を満足すると仮定する。ここで、ＱＣＬ関係を満足するとは、端末デバイスが特定の受信ビームを使用して、チャネル品質が最も良い参照信号を受信する場合に、端末デバイスがその特定の受信ビームを使用して、ネットワークデバイスによって送信されたＰＤＳＣＨを受信することを意味する。ここで、チャネル品質が最も良いダウンリンク参照信号は、チャネル品質が第２閾値よりも高くかつ端末デバイスによって測定される複数の参照信号の中で最良のチャネル品質を有している参照信号を意味する。本願で、チャネル品質が良い参照信号及び信号品質が良い参照信号は、同じ意味として理解されてよく、いずれも、参照信号のチャネル品質情報（例えば、参照信号受信電力（Reference  Signal  Received  Power，ＲＳＲＰ）又はチャネル品質インジケータ（Channel  Quality  Indicator，ＣＱＩ））が前もってセットされた閾値よりも高いことを意味する。
【００４３】
本願における第１閾値及び第２閾値の値は、同じであってよく、あるいは、異なってもよい。これは、本願において制限されない。
【００４４】
場合６：第４参照信号は、ＰＤＣＣＨとのＱＣＬ関係を満足する参照信号を含み、あるいは、第２閾値を満足する参照信号は、初期アクセスプロセスにおいて端末デバイスによって受信される参照信号を含む。
【００４５】
この場合に、端末デバイスは、ＰＤＣＣＨを受信するために使用されるのと同じ受信ビームをデフォルトで使用することによって、ＰＤＳＣＨを受信する。言い換えると、端末デバイスがＰＤＣＣＨを受信するために１つ以上の特定の受信ビームを使用する場合に、端末デバイスは、その１つ以上の特定の受信ビームを使用して、ＰＤＳＣＨを受信する。代替的に、端末デバイスが初期アクセスプロセスにおいて参照信号を受信するために１つ以上の特定の受信ビームを使用する場合に、端末デバイスは、その１つ以上の特定の受信ビームを使用して、ＰＤＳＣＨを受信する。ここで、初期アクセスプロセスにおいて端末デバイスによって受信される参照信号は、制限なしに、ダウンリンク同期信号ブロック（Synchronization  Signal  block，ＳＳブロック）を含み、ＳＳブロックは、次の：セカンダリ同期信号（Secondary  Synchronization  Signal，ＳＳＳ）、プライマリ同期信号（Primary  Synchronization  Signal，ＰＳＳ）、及び物理ブロードキャストチャネル（Physical  Broadcast  Channel，ＰＢＣＨ）、のうちの少なくとも１つを含む。
【００４６】
場合７：第４参照信号は、伝送設定指示テーブル（ＴＣＩテーブル）においてデフォルト状態で示され、ＴＣＩテーブルは、ネットワークデバイスによって、端末デバイスのために、第２期間の終了時点の前に設定される。デフォルト状態で示される第４参照信号は、ＰＤＣＣＨとのＱＣＬ関係を満足する参照信号、又は初期アクセスプロセスにおいて端末デバイスによって受信される参照信号を含む。この場合は、ネットワークデバイスによって送信されるＴＣＩテーブルがデフォルト状態を含むことを意味し、デフォルト状態に対応するＴＣＩ状態のインデックス値は、例えば、００であってよい。端末デバイスは、デフォルト状態で示される受信方式を使用することによって、ＰＤＳＣＨを検出する。この場合に、第４参照信号は、ＰＤＣＣＨとのＱＣＬ関係を満足する参照信号を含む。言い換えると、端末デバイスがＰＤＣＣＨを受信するために１つ以上の特定の受信ビームを使用する場合に、端末デバイスは、その１つ以上の特定の受信ビームを使用してＰＤＳＣＨを受信する。端末デバイスがＰＤＣＣＨを受信するために１つ以上の特定の受信ビームを使用する具体的な実施については、ステップＳ７０２における記載を参照されたい。詳細は、ここで再び記載されない。代替的に、第４参照信号は、初期アクセスプロセスにおいて端末デバイスによって受信される参照信号を含む。言い換えると、端末デバイスが初期アクセスプロセスにおいて参照信号を受信するために１つ以上の特定の受信ビームを使用する場合に、端末デバイスは、その１つ以上の特定の受信ビームを使用してＰＤＳＣＨを受信する。ここで、初期アクセスプロセスにおいて端末デバイスによって受信される参照信号は、制限なしに、ダウンリンク同期信号ブロック（Synchronization  Signal  block，ＳＳブロック）を含み、ＳＳブロックは、次の：セカンダリ同期信号（Secondary  Synchronization  Signal，ＳＳＳ）、プライマリ同期信号（Primary  Synchronization  Signal，ＰＳＳ）、及び物理ブロードキャストチャネル（Physical  Broadcast  Channel，ＰＢＣＨ）、のうちの少なくとも１つを含む。
【００４７】
場合８：方法は、ネットワークデバイスによって、第２期間中に、端末デバイスへ第２シグナリングを送信することと、端末デバイスによって、第２期間中に、ネットワークデバイスによって送信された第２シグナリングを受信することとを更に含む。第２シグナリングは、レイヤ−１シグナリング（ＤＣＩシグナリングを含むが限られない）を含む。第２シグナリングは、伝送設定指示状態ＴＣＩ状態を示すために使用され、ＴＣＩ状態は、ＰＤＳＣＨのＱＣＬを示すために使用され、ＴＣＩ状態は、ＴＣＩテーブル内の状態であり、ＴＣＩテーブルは、ネットワークデバイスによって、端末デバイスのために、第２期間の終了時点の前に設定される。ここで、ＴＣＩテーブルは、実際には、専用のＣＯＲＥＳＥＴに対応するＴＣＩテーブルを意味する。この場合に、実施は次の通りである：端末デバイスは、デフォルトＱＣＬ情報に基づいて、時点ｎの後の第２期間中にＰＤＳＣＨを検出する。デフォルトＱＣＬ情報は、シナリオ２における場合１乃至場合６のうちのいずれか１つで記載される、第４参照信号及び第３参照信号のＱＣＬ仮定情報を含む。この実施は、受け取られたＴＣＩ状態によってデフォルト状態が示されるかどうかにかかわらず、端末デバイスが自動的にＴＣＩ状態をデフォルト状態と解釈し、それから、デフォルト状態によって示される受信方式を使用することによってＰＤＳＣＨを検出することを意味する。ここで、デフォルト状態によって示される受信方式を使用することによってＰＤＳＣＨを検出することは、シナリオ２における場合１乃至場合６でのいずれか１つのＰＤＳＣＨ検出方式を含む。
【００４８】
他の実施は次の通りである：端末デバイスは、時点ｎの後の第２期間中に、ＴＣＩ状態によって示されるＰＤＳＣＨ  ＱＣＬが無効であると仮定し、デフォルトＱＣＬに基づいてＰＤＳＣＨを検出する。デフォルトＱＣＬ情報は、シナリオ２における場合１乃至場合６のうちのいずれか１つで記載される、第２閾値を満足する参照信号及び第３参照信号のＱＣＬ仮定情報を含む。この実施は、端末デバイスによって受信されるＴＣＩ状態がデフォルト状態を示す場合には、端末デバイスはＴＣＩ状態を有効と識別し、それから、デフォルト状態によって示される受信方式を使用することによってＰＤＳＣＨを検出し、あるいは、端末デバイスによって受信されるＴＣＩ状態がデフォルト状態以外の他の状態を示す場合には、端末デバイスは、ＴＣＩ状態が無効であると決定し、それから、デフォルト状態によって示される受信方式を使用することによってＰＤＳＣＨを検出することを意味する。
【００４９】
本願において、第２期間の開始時点は、時点ｎであり、第２期間の終了時点は、端末デバイスがネットワークデバイスによって送信された第３シグナリングを受信する時点であり、第３シグナリングは、ＰＤＳＣＨのＴＣＩテーブルを示すために使用され、ＴＣＩテーブルは、ＰＤＳＣＨの候補ＱＣＬ情報を示すために使用される。ここで、ＴＣＩテーブルは、ネットワークデバイスによって端末デバイスのために再設定されたＴＣＩテーブルである。具体的に、制御リソースセット（Control  resource  set，ＣＯＲＥＳＥＴ）のうちの２つ、すなわち、前のＣＯＲＥＳＥＴ及び専用のＣＯＲＥＳＥＴ、が本願では使用される。前のＣＯＲＥＳＥＴは、データスケジューリングのために使用され、以前に、通信がビームリンクにおいて正常である場合に、端末デバイスのためにネットワークデバイスによって割り当てられた制御リソースセットに対応し、専用のＣＯＲＥＳＥＴは、リンク故障が起きた後にダウンリンク通信のために使用され、主として、リンク再設定応答情報を送信するためにネットワークデバイスによって使用される。ＣＯＲＥＳＥＴは、次のように説明される：制御チャネル上で端末デバイスによって実行されるブラインド検出の効率を改善するために、ＣＯＲＥＳＥＴの概念は、ＮＲ標準が策定されるプロセスで提案される。言い換えると、１つ以上の制御リソースセットは、制御エリアにおいて端末デバイスごとに分割される。ネットワークデバイスは、端末デバイスに対応するいずれか１つの制御リソースセットにおいて端末デバイスへ制御チャネルを送信し得る。その上、ネットワークデバイスは、制御リソースセットに関連した他の設定、例えば、探索空間、を端末デバイスに通知する必要がある。制御エリアにおける分割を通じて得られる複数の制御リソースセットにおいて、制御リソースセットは設定情報において異なり、例えば、周波数領域幅が異なり、時間領域長さが異なる。本願において第３シグナリングによって示されるＰＤＳＣＨ  ＴＣＩテーブルは、実際には、リンク障害／リンク故障が以前に起きた前のＣＯＲＥＳＥＴにおけるＴＣＩテーブルを意味する。ネットワークデバイスが前のＣＯＲＥＳＥＴについてＴＣＩテーブルを再設定した後、それは、以前に機能不全となったリンクが再び正常に回復されることを示す。ここで、第３シグナリングは、レイヤ−３シグナリング（ＲＲＣシグナリングを含むが限られない）及びレイヤ−２シグナリング（ＭＡＣ−ＣＥシグナリングを含むが限られない）のうちの少なくとも１つを含む。
【００５０】
本願において、第２閾値は、ネットワークデバイスによって設定されてよく、あるいは、事前に定義されてよい。
【００５１】
任意に、ネットワークデバイスは、第２期間の前記終了時点の後に、端末デバイスへ第４シグナリングを送信し、端末デバイスは、ネットワークデバイスによって送信された第４シグナリングを受信する。第４シグナリングは、第３シグナリングによって示されるＴＣＩテーブル内のＴＣＩ状態を示すために使用され、ＴＣＩ状態は、ＰＤＳＣＨのＱＣＬ情報を示すために使用される。言い換えると、端末デバイスは、ネットワークデバイスによって再設定されたＰＤＳＣＨ  ＱＣＬ情報を受信する。それから、ネットワークデバイスは、第４シグナリングによって示されるＰＤＳＣＨ  ＱＣＬ情報に基づいてＰＤＳＣＨを送信し、端末デバイスは、第４シグナリングによって示されるＰＤＳＣＨ  ＱＣＬ情報に基づいてＰＤＳＣＨを検出する。第４シグナリングは、レイヤ−１シグナリング（ＤＣＩシグナリングを含むが限られない）を含む。
【００５２】
任意に、ネットワークデバイスは、第１期間中に第１制御リソースセットを送信し、端末デバイスは、第１期間中に第１制御リソースセットを検出する。第１制御リソースセットは、ネットワークデバイスによって端末デバイスのために設定されたリソースセットであり、リンク再設定応答情報を送信するために使用される。
【００５３】
任意に、ネットワークデバイスは、第１期間の終了時点の後に第２制御リソースセットを送信し、端末デバイスは、第１期間の終了時点の後に第２制御リソースセットを検出する。第２制御リソースセットは、リンク故障が起きているリソースセット（すなわち、前のＣＯＲＥＳＥＴ）である。この場合は、ネットワークデバイスが、第２制御リソースセットの時間周波数リソースを変更せず、第２制御リソースセットについてＱＣＬを再設定して、第２制御リソースセットを回復することを意味する。このようにして、第１期間が経過した後、端末デバイスは、第２制御リソースセットを使用することによって伝送される制御情報を適切に検出することができる。他の実施では、第２制御リソースセットは、ネットワークデバイスによって再設定されたリソースセットである。言い換えると、リンク故障が起きているリソースセットは捨てられ、新しいリソースセットが、制御情報を伝送するために設定される。新しいリソースセットにおける時間周波数リソース及びＱＣＬは両方とも、リンク故障が起きているリソースセットにおけるそれらとは異なる。
【００５４】
任意に、ネットワークデバイスは、第１制御リソースセットを使用することによって端末デバイスへ第２制御リソースセットのＱＣＬ情報を送信し、端末デバイスは、第１制御リソースセットを使用することによってネットワークデバイスによって送信される、第２制御リソースセットのＱＣＬ情報を受信する。
【００５５】
任意に、第２制御リソースセットのＱＣＬ情報は、第１シグナリングによって示される上記のＰＤＣＣＨ  ＱＣＬ情報である。
【００５６】
第１の態様で記載される方法が実行される場合に、リンク故障が起きた後かつリンク通信が正常に回復される前の期間中に、端末デバイスは、ネットワークデバイスによって配信されたＰＤＣＣＨ／ＰＤＳＣＨを適切に受信することができ、それによって、リンク信頼性は改善される。
【００５７】
第３の態様に従って、本願は、端末デバイスを提供する。端末デバイスは、第１の態様で提供される信号伝送方法又は第１の態様の可能な実施のいずれか１つで提供される信号伝送方法を相応して実行するよう構成された複数の機能モジュール又はユニットを含んでよい。
【００５８】
第４の態様に従って、本願は、ネットワークデバイスを提供する。ネットワークデバイスは、第２の態様で提供される信号伝送方法又は第２の態様の可能な実施のいずれか１つで提供される信号伝送方法を相応して実行するよう構成された複数の機能モジュール又はユニットを含んでよい。
【００５９】
第５の態様に従って、本願は、第１の態様で提供される信号伝送方法を実行するよう構成された端末デバイスを提供する。端末デバイスは、メモリ、メモリと結合されたプロセッサと、トランシーバとを含んでよい。トランシーバは、他の通信デバイス（例えば、ネットワークデバイス）と通信するよう構成される。メモリは、第１の態様で提供される信号伝送方法を実施するためのコードを記憶するよう構成される。プロセッサは、メモリ内に記憶されているプログラムコードを実行、すなわち、第１の態様で提供される信号伝送方法又は第１の態様の可能な実施のいずれか１つで提供される信号伝送方法を実行するよう構成される。
【００６０】
第６の態様に従って、本願は、第２の態様で提供される信号伝送方法を実行するよう構成されたネットワークデバイスを提供する。端末デバイスは、メモリ、メモリと結合されたプロセッサと、トランシーバとを含んでよい。トランシーバは、他の通信デバイス（例えば、ネットワークデバイス）と通信するよう構成される。メモリは、第２の態様で提供される信号伝送方法を実施するためのコードを記憶するよう構成される。プロセッサは、メモリ内に記憶されているプログラムコードを実行、すなわち、第２の態様で提供される信号伝送方法又は第２の態様の可能な実施のいずれか１つで提供される信号伝送方法を実行するよう構成される。
【００６１】
第７の態様に従って、通信システムが提供される。通信システムは、端末デバイス及びネットワークデバイスを含む。
【００６２】
端末は、第３の態様又は第５の態様で記載される端末デバイスであってよく、あるいは、第４の態様又は第６態様で記載されるネットワークデバイスであってよい。
【００６３】
第８の態様に従って、コンピュータ可読記憶媒体が提供される。可読記憶媒体は、命令を記憶している。命令がコンピュータで実行される場合に、コンピュータは、第１の態様で記載される信号伝送方法を実行する。
【００６４】
第９の態様に従って、コンピュータ可読記憶媒体が提供される。可読記憶媒体は、命令を記憶している。命令がコンピュータで実行される場合に、コンピュータは、第２の態様で記載される信号伝送方法を実行する。
【００６５】
第１０の態様に従って、命令を含むコンピュータプログラム製品が提供される。コンピュータプログラム製品がコンピュータで実行される場合に、コンピュータは、第１の態様で記載される信号伝送方法を実行する。
【００６６】
第１１の態様に従って、命令を含むコンピュータプログラム製品が提供される。コンピュータプログラム製品がコンピュータで実行される場合に、コンピュータは、第２の態様で記載される信号伝送方法を実行する。
【００６７】
第１２の態様に従って、本願は、装置を提供する。装置は、プロセッサと、プロセッサと結合された１つ以上のインターフェイスとを含んでよい。プロセッサは、メモリから、第１の態様で提供される信号伝送方法を呼び出すか、あるいは、第１の態様の可能な実施のいずれか１つで提供される信号伝送方法を実施するためのプログラムを呼び出し、そして、プログラムに含まれている命令を実行するよう構成される。インターフェイスは、プロセッサの処理結果を出力するよう構成されてよい。
【００６８】
第１３の態様に従って、本願は、装置を提供する。装置は、プロセッサと、プロセッサと結合された１つ以上のインターフェイスとを含んでよい。プロセッサは、メモリから、第２の態様で提供される信号伝送方法を呼び出すか、あるいは、第２の態様の可能な実施のいずれか１つで提供される信号伝送方法を実施するためのプログラムを呼び出し、そして、プログラムに含まれている命令を実行するよう構成される。インターフェイスは、プロセッサの処理結果を出力するよう構成されてよい。
【００６９】
本願の実施形態で又は背景での技術的解決法についてより明りょうに記載するために、以下は、本願の実施形態又は背景について記載するために必要とされる添付の図面を簡単に説明する。
【図面の簡単な説明】
【００７０】
【図１】本願に従う無線通信システムの略アーキテクチャ図である。
【図２Ａ】本願で使用されるマルチビームネットワークにおけるいくつかのＰＤＣＣＨ伝送シナリオの概略図である。
【図２Ｂ】本願で使用されるマルチビームネットワークにおけるいくつかのＰＤＣＣＨ伝送シナリオの概略図である。
【図２Ｃ】本願で使用されるマルチビームネットワークにおけるいくつかのＰＤＣＣＨ伝送シナリオの概略図である。
【図２Ｄ】本願で使用されるマルチビームネットワークにおけるいくつかのＰＤＣＣＨ伝送シナリオの概略図である。
【図３】本願で使用されるビーム訓練プロセスの概略図である。
【図４】本願の実施形態に従う端末デバイスのハードウェアアーキテクチャの概略図である。
【図５】本願の実施形態に従うネットワークデバイスのハードウェアアーキテクチャの概略図である。
【図６】本願に従うビーム障害検出及びリンク回復プロセスの概略図である。
【図７】本願に従う情報指示情報の略フローチャートである。
【図８】本願に従う他の情報指示情報の略フローチャートである。
【図９】本願に従う端末デバイスの機能ブロック図である。
【図１０】本願に従うネットワークデバイスの機能ブロック図である。
【発明を実施するための形態】
【００７１】
本願の実施部分で使用される語は、本願の具体的な実施形態を説明するために使用されているすぎず、本願を制限する意図はない。
【００７２】
図１は、本願で使用される無線通信システムを示す。無線通信システムは、高周波バンドで作動してよく、ロング・ターム・エボリューション（Long  Term  Evolution，ＬＴＥ）システムに制限されず、将来の進化した第５世代（the  5th  Generation，５Ｇ）移動体通信システム、ニュー・ラジオ（New  Radio，ＮＲ）システム、マシン間（Machine  to  Machine，Ｍ２Ｍ）通信システム、又はそのようなものであってもよい。図１に示されるように、無線通信システム１００は、１つ以上のネットワークデバイス１０１、１つ以上の端末１０３、及びコアネットワーク（図示せず。）を含んでよい。
【００７３】
ネットワークデバイス１０１は、基地局であってよい。基地局は、１つ以上の端末と通信するよう構成されてよく、あるいは、何らかの端末機能を備える１つ以上の基地局と通信するよう構成されてもよい（例えば、アクセス・ポイントのような、マクロ基地局とマクロ基地局との間の通信）。基地局は、時分割同期符号分割多重アクセス（Time  Division  Synchronous  Code  Division  Multiple  Access，ＴＤ−ＳＣＤＭＡ）システムにおけるベーストランシーバ局（Base  Transceiver  Station，ＢＴＳ）であってよく、あるいは、ＬＴＥシステムにおけるエボルブド・ノードＢ（Evolved  Node  B，ｅＮＢ）、又は５Ｇシステム若しくはニュー・ラジオ（ＮＲ）システムにおける基地局であってもよい。その上、基地局は、アクセス・ポイント（Access  Point，ＡＰ）、送受信ポイント（Transmission  Receive  Point，ＴＲＰ）、中央ユニット（Central  Unit，ＣＵ）、又は他のネットワークエンティティであってよく、上記のネットワークエンティティの機能の一部又は全部を含んでよい。
【００７４】
端末１０３は、無線通信システム１００の全体にわたって分布してよく、固定であってよく、あるいは、移動体であってもよい。本願のいくつかの実施形態で、端末１０３は、モバイル機器、モバイル局（mobile  station）、モバイルユニット（mobile  unit）、Ｍ２Ｍ端末、ラジオユニット、リモートユニット、端末エージェント、モバイルクライアント、又はそのようなものであってよい。
【００７５】
本願において、無線通信システム１００は、マルチビーム通信システムである。
【００７６】
ネットワークデバイス１０１は、大規模アンテナアレイを設けられ、ビームフォーミング技術を使用することによって、異なる方向においてビームを形成するようにアンテナアレイを制御し得る。セル１０７の全体をカバーするように、ネットワークデバイス１０１は、異なる方向にある複数のビームを使用する必要がある。
【００７７】
例えば、ダウンリンクプロセスで、ネットワークデバイス１０１は、無線信号（例えば、ダウンリンク参照信号（Reference  Signal，ＲＳ）及び／又はダウンリンク同期信号ブロック（Synchronization  Single  Block，ＳＳブロック））を伝送するために、異なる方向にあるビームを順次に使用してよい。このプロセスは、ビーム走査（Beam  scanning）と呼ばれる。その上、端末１０３は、伝送ビームを測定し、端末１０３によって回復され得る伝送ビームの信号品質を決定する。このプロセスは、ビーム測定（Beam  measurement）と呼ばれる。
【００７８】
将来の通信システムにおいて、端末１０３はまた、アンテナアレイを設けられてもよく、あるいは、信号を受信及び送信するように異なるビームを交換してもよい。言い換えると、無線通信システム１００において、ネットワークデバイス１０１及び端末１０３は両方とも、通信を実行するために複数のビームを使用することがある。ダウンリンク伝送プロセスにおいて、ネットワークデバイス１０１が端末１０３へＰＤＣＣＨを送信する様態は、図２Ａ乃至図２Ｄに示され得る。
【００７９】
図２Ａは、ネットワークデバイス１０１が１つの伝送ビーム（例えば、ビームａ）を使用してＰＤＣＣＨを端末１０３へ送信し、端末１０３が１つの受信ビーム（例えば、ビーム１）を使用してＰＤＣＣＨを受信することを示す。図２Ａに示されるシナリオでは、ビームａ及びビーム１がペアにされる。
【００８０】
図２Ｂは、ネットワークデバイス１０１が１つの伝送ビーム（例えば、ビームａ）を使用してＰＤＣＣＨを端末１０３へ送信し、端末１０３が複数の受信ビーム（例えば、ビーム１及びビーム３）を使用してＰＤＣＣＨを受信することを示す。図２Ｂに示されるシナリオでは、ビームａ及びビーム１がペアにされ、ビームａ及びビーム３がペアにされる。
【００８１】
図２Ｃは、ネットワークデバイス１０１が複数の伝送ビーム（例えば、ビームａ及びビームｂ）を使用してＰＤＣＣＨを端末１０３へ送信し、端末１０３が複数の受信ビーム（例えば、ビーム１及びビーム３）を使用してＰＤＣＣＨを受信することを示す。図２Ｃに示されるシナリオでは、ビームａ及びビーム１がペアにされ、ビームｂ及びビーム３がペアにされる。
【００８２】
図２Ｄは、端末１０３が複数の伝送ビーム（例えば、ビームａ及びビームｂ）を使用してＰＤＣＣＨを端末１０３へ送信し、端末１０３が同じ受信ビーム（例えば、ビーム１）を使用してＰＤＣＣＨを受信することを示す。図２Ｄに示されるシナリオでは、ビームａ及びビーム１がペアにされ、ビームｂ及びビーム１がペアにされる。
【００８３】
相応して、図２Ａ乃至図２Ｄに示される４つのＰＤＣＣＨ伝送シナリオはまた、ネットワークデバイス１０１がＰＤＳＣＨを端末１０３へ送信するシナリオにも適用可能である。詳細は、ここで記載されない。
【００８４】
区別を示す記載を容易にするために、ネットワークデバイスの送信及び受信ビームは、基地局送信ビーム（又は基地局発射ビームと呼ばれる）及び基地局受信ビームを含む基地局ビームと称され得る。１つのネットワークデバイスは、複数の基地局送信ビーム及び複数の基地局受信ビームを有してよい。端末デバイスの送信及び受信ビームは、端末送信ビーム（又は端末発射ビームと呼ばれる）及び端末受信ビームを含む端末ビームと称され得る。１つの端末デバイスは、複数の端末送信ビーム及び複数の端末受信ビームを有してよい。
【００８５】
図２Ａ乃至図２Ｄに示されるペアをなす基地局送信ビーム及び端末受信ビーム並びにペアをなす端末送信ビーム及び基地局受信ビームは、ビーム訓練プロセスでペアにされる。図３を参照すると、図３は、本願で使用されるビーム訓練プロセスである。図３に示される（ｅ）は、ネットワークデバイスによって送信されるビームが訓練されるプロセスである。ネットワークデバイスは複数のビームを送信し、端末は、ネットワークデバイスによって送信された複数のビームを測定し、ネットワークデバイスによって送信された複数のビームの中で比較的に最適であるビームをネットワークデバイスに通知する。対照的に、図３に示される（ｄ）は、端末によって送信されるビームが訓練されるプロセスである。端末は複数のビームを送信し、ネットワークデバイスは、端末によって送信された複数のビームを測定し、端末によって送信された複数のビームで比較的に最適であるビームを端末に通知する。ビーム訓練プロセスを通じて、ネットワークデバイスは、端末との通信において比較的に最適であるＮ個のビーム対（Beam  Pair  Link，ＢＰＬ）を取得する。ビーム対ＢＰＬ＜Ｂｘ，Ｂ´ｘ＞において、Ｂｘは、ネットワークデバイスの送信ビームを表し、Ｂ´ｘは、端末の受信ビームを表す。ビーム対ＢＰＬ＜Ｂｙ，Ｂ´ｙ＞において、Ｂｙは、端末の送信ビームを表し、Ｂ´ｙは、ネットワークデバイスの受信ビームを表す。端末との通信のその後のプロセスで、ネットワークデバイスは、データ伝送を実行するためにＮ個のＢＰＬを使用する。ここで言及されている比較的に最適なビームとは、ビームが比較的に高いチャネル品質情報（例えば、参照信号受信電力（Reference  Signal  Received  Power，ＲＳＲＰ）又はチャネル品質インジケータ（Channel  Quality  Indicator，ＣＱＩ））を有していることを意味する。
【００８６】
本願において、各基地局受信ビームは、１つの対応する基地局送信ビームを有している。ここで、基地局受信ビームが基地局送信ビームに対応しているとは、同じ指向性を有していることを意味する。任意に、基地局受信ビーム及び基地局受信ビームに対応する基地局送信ビームは、同じビームであってよく、同じトランシーバ装置を共有することができる。任意に、基地局受信ビームに対応するアンテナポート及び対応する基地局送信ビームに対応するアンテナポートは、疑似コロケーション（Quasi  Co-location，ＱＣＬ）を満足し得る。
【００８７】
本願において、各端末受信ビームは、１つの対応する端末送信ビームを有している。ここで、端末受信ビームが端末送信ビームに対応しているとは、同じ指向性を有していることを意味する。任意に、端末受信ビーム及び端末受信ビームに対応する端末送信ビームは、同じビームであってよく、同じトランシーバ装置を共有することができる。任意に、端末受信ビームに対応するアンテナポート及び対応する端末送信ビームに対応するアンテナポートは、ＱＣＬを満足し得る。
【００８８】
本願で言及されているビームは、参照信号リソースを使用することによって表されても、あるいは、ＱＣＬ情報を使用することによって表されてもよいことが留意されるべきである。
【００８９】
本願は、疑似コロケーション（Quasi  Co-location，ＱＣＬ）の概念に関係がある。ＱＣＬは、ビームフォーミング情報及びユーザの受信側の受信プロセスについて記載することを助けるために使用され得る。ＱＣＬ情報は、いくつかの空間特徴パラメータ、例えば、水平発射角（Azimuth  angle  of  Departure，ＡｏＤ）、垂直発射角（Zenith  angle  of  Departure，ＺｏＤ）、水平発射角度広がり（Azimuth  angle  spread  of  Departure，ＡＳＤ）、及び垂直発射角度広がり（Zenith  angle  spread  of  Departure，ＺＳＤ）などの発射角に関するパラメータ、又は水平到来角（Azimuth  angle  of  Arrival，ＡｏＡ）、垂直到来角（Zenith  angle  of  Arrival，ＺｏＡ）、水平到来角度広がり（Azimuth  angle  spread  of  Arrival，ＡＳＡ）、及び垂直到来角度広がり（Zenith  angle  spread  of  Arrival，ＺＳＡ）などの到来角に関するパラメータを含んでよい。これらの空間特徴パラメータは、参照信号（Reference  Signal，ＲＳ）のアンテナポート間の空間チャネルの特徴を示す。ＱＣＬ情報はまた、空間受信（Receive，ＲＸ）パラメータを含んでもよい。その上、ＱＣＬ情報はまた、制限なしに、次のパラメータ：遅延拡散、ドップラー拡散、ドップラー周波数シフト、平均利得、及び平均遅延、のうちの少なくとも１つを含んでもよい。任意に、ＱＣＬ情報に含まれる空間特徴パラメータはまた、上記のパラメータ以外の他のパラメータであってもよい。これは、ここで制限されない。端末にＱＣＬを示すためにネットワークデバイスによって使用されるオーバーヘッドを減らすために、候補の従来技術において、ネットワークデバイスによって端末へ送られるＱＣＬは、端末によって以前に報告されており、チャネル状態情報参照信号（Channel  State  Information  Reference  Signal，ＣＳＩ−ＲＳ）に基づいて実行される測定で取得されるＭ個の送信及び受信ビーム対のうちの１つが、ＱＣＬ関係を満足することを指示及び制限する。言い換えると、現在のデータのための復調参照信号（Demodulation  Reference  Signal，ＤＭＲＳ）の受信ビームは、端末によって以前に報告されかつＣＳＩ−ＲＳに基づく測定で取得されるＭ個の送信及び受信ビーム対の中の１つの受信ビームと同じである。例えば、端末は、ネットワークデバイスによって送信された複数のビームのＣＳＩ−ＲＳを測定して、いくつかの比較的に最適なビーム、例えば、４つのビームを選択し、それら４つの最適なビームの測定情報をネットワークデバイスに報告する。ビーム測定情報は、ビーム状態情報（Beam  Sate  Information，ＢＳＩ）であり、中身は主に、ビームの参照信号リソースインデックス及び参照信号受信電力（Reference  Signal  Received  Power，ＲＳＲＰ）を含む。ネットワークデバイスによって端末へ送られるＱＣＬは、端末によって以前に報告されかつＣＳＩ−ＲＳに基づく測定で取得される４つの送信及び受信ビーム対の中の第３のＣＳＩ−ＲＳがＱＣＬ関係を満足することを示し、それから、端末は、第３のＣＳＩ−ＲＳに対応する受信ビームを使用して、ネットワークデバイスによって配信されるＰＤＳＣＨを受信する。
【００９０】
図３に示される上記のビーム訓練プロセスを通じて、ネットワークデバイスは、端末との通信において比較的に最適であるＮ個のビーム対（Beam  Pair  Link，ＢＰＬ）を取得する。端末との通信のその後のプロセスで、ネットワークデバイスは、データ伝送を実行するためにＮ個のＢＰＬを使用する。なお、通信プロセスにおける遮断及び高周波チャネルでの回折能力の悪さのために、現在のサービスのビームは遮られ、信号伝送は継続不可能である。ビームが遮られ、通信が不意に中断される場合を回避するために、対応するメカニズムが、ビーム品質を検出し、そして、ビームが遮られる場合にリンクを直ちに回復するよう導入される必要がある。
【００９１】
ビームが遮られる場合にリンクを直ちに回復するために、ネットワークデバイスは、ビーム故障検出のために使用される参照信号リソースセット（beam  failure  detection  RS  set）及び端末デバイスとネットワークデバイスとの間のリンクを回復するために使用される参照信号リソースセット（candidate  beam  identification  RS  set）（候補参照信号リソースセットとも呼ばれる）を端末のために設定する必要がある。beam  failure  detection  RS  setの中のＲＳと、ダウンリンク物理制御チャネルＰＤＣＣＨの参照信号とは、ＱＣＬ関係を満足する。セットの中の一部又は全部の参照信号のチャネル品質情報（例えば、ＲＳＰＲ又はＣＱＩ）が、前もってセットされた閾値よりも低い場合に、通信リンク障害が起きていると決定される。本願において、通信リンク障害は、通信リンク故障、ビーム障害、ビーム故障、リンク障害、リンク故障、通信障害、通信故障、などとも呼ばれ得る。本明細書中、それらの概念は、同じ意味を有している。通信リンク障害が起きた後、端末は、通信リンクを回復するために、候補参照信号セットから、前もってセットされた閾値よりも高いチャネル品質情報（例えば、ＲＳＲＰ又はＣＱＩ）を有している参照信号を選択する必要がある。ここで、beam  failure  detection  RS  setは、ネットワークデバイスの送信ビームのチャネル品質を検出するために端末によって使用される。送信ビームは、端末と通信するときにネットワークデバイスによって使用されるビームである。candidate  beam  identification  RS  setは、通信リンク障害がネットワークデバイスの送信ビームで起きていることを端末が決定した後にリンク再設定を開始するために使用される参照信号である。本願において、リンク再設定はまた、ネットワークデバイスと端末デバイスとの間の通信の回復とも呼ばれ得る。具体的な実施では、ビーム故障検出のために使用される参照信号リソースセット及び端末デバイスとネットワークデバイスとの間のリンクを回復するために使用される参照信号リソースセットは、他の名称を有してもよい。これは、本願において特に制限されない。
【００９２】
ネットワークデバイスは、ＰＤＣＣＨ／ＰＤＳＣＨを受信するために特定の受信ビーム使用するよう端末に指示するために、ＰＤＣＣＨ／ＰＤＳＣＨのＱＣＬ関係を端末に通知する。現在の標準では、ラジオ・リソース・コントロール（Radio  Resource  Control，ＲＲＣ）制御要素（Control  Element，ＣＥ）及び／又はメディア・アクセス・コントロール（Media  Access  Control，ＭＡＣ）制御要素を含む準静的シグナリングを使用してＰＤＣＣＨのＱＣＬ関係を端末に通知することが同意されている。ＰＤＳＣＨについては、ダウンリンク物理制御情報（Downlink  Control  Information，ＤＣＩ）を含む動的シグナリング並びにＲＲＣ  ＣＥ及び／又はＭＡＣ  ＣＥが、ＰＤＳＣＨのＱＣＬ関係（ＴＣＩテーブル）を端末に通知するために使用される。
【００９３】
以下の実施形態で記載される全ての通信リンク障害は、次のシナリオを示す：ネットワークデバイスがシグナリング及び／又はデータを端末デバイスへ送るために送信ビームを使用する場合に、送信ビームは遮られるので、信号伝送は継続不可能であり、結果として、通信は中断され、端末デバイスは、ネットワークデバイスによって配信されるシグナリング及び／又はデータを適切に受信することができない。
【００９４】
図４を参照すると、図４は、本願のいくつかの実施形態で提供される端末２００を示す。図４に示されるように、端末２００は、１つ以上の端末プロセッサ２０１、メモリ２０２、通信インターフェイス２０３、受信器２０５、送信器２０６、結合器２０７、アンテナ２０８、端末インターフェイス２０２、及び入出力モジュール（音声入出力モジュール２１０、キー入力モジュール２１１、ディスプレイ２１２、などを含む）を含んでよい。これらのコンポーネントは、バス２０４を使用することによって、又は他の方法で、接続されてよい。図４では、例えば、コンポーネントは、バスを使用することによって接続されている。
【００９５】
通信インターフェイス２０３は、端末２００と他の通信デバイス、例えば、ネットワークデバイスとの間の通信のために使用されてよい。具体的に、ネットワークデバイスは、図５に示されるネットワークデバイス３００であってよい。具体的に、通信インターフェイス２０３は、ロング・ターム・エボリューション（ＬＴＥ）（４Ｇ）の通信インターフェイスであってよく、あるいは、５Ｇ又は将来のニュー・ラジオの通信インターフェイスであってもよい。端末２００は、無線通信インターフェイスに限られず、有線通信インターフェイス２０３、例えば、ローカル・エリア・ネットワーク（Local  Area  Network，ＬＡＮ）インターフェイスを設けられてよい。
【００９６】
送信器２０６は、端末プロセッサ２０１によって出力された信号を送信、例えば、ビームフォーミングを通じて指向性送信を実行するよう構成されてよい。受信器２０５は、アンテナ２０８によって受信された移動体通信信号を受信、例えば、ビームフォーミングを通じて指向性受信を実行するよう構成されてよい。本願のいくつかの実施形態で、送信器３０５／受信器３０６は、信号の指向性送信／受信を制御するように、送信される信号／受信される信号に重みベクトルＷ１，・・・，Ｗｍを乗じるよう構成されたビームフォーミングコントローラを含んでよい。本願で言及されている基地局ビームスイッチングは、信号／受信信号に重みベクトルを乗じるよう送信器３０５／受信器３０６内のビームフォーミングコントローラを使用することによって実施されてよい。
【００９７】
本願のいくつかの実施形態で、送信器２０６及び受信器２０５は、１つの無線モデムと見なされ得る。端末２００は、１つ以上の送信器２０６及び１つ以上の受信器２０５を含んでよい。アンテナ２０８は、伝送線路内の電磁エネルギを自由空間内の電磁波に変換するか、又は自由空間内の電磁波を伝送線路内の電磁エネルギに変換するよう構成されてよい。結合器２０７は、アンテナ２０８によって受信された移動体通信信号を複数のチャネルに分け、移動体通信信号を複数の受信器２０５に割り当てるよう構成される。
【００９８】
図４に示される送信器２０６及び受信器２０５に加えて、端末２００は、他の通信コンポーネント、例えば、ＧＰＳモジュール、ブルートゥース（Bluetooth）モジュール、又はワイヤレス・フィデリティ（Wireless  Fidelity，Ｗｉ−Ｆｉ）モジュールを含んでもよい。端末２００は、上記の無線通信信号に制限されず、他の無線通信信号、例えば、衛星信号又は短波信号をサポートしてもよい。端末２００は、無線通信に制限されず、有線通信をサポートするよう有線ネットワークインターフェイス（例えば、ＬＡＮインターフェイス）を設けられてもよい。
【００９９】
入出力モジュールは、端末２００と端末／外部環境との間のインタラクションを実行するよう構成されてよく、主に、音声入出力モジュール２１０、キー入力モジュール２１１、ディスプレイ２１２、などを含んでよい。具体的に、入出力モジュールはまた、カメラ、タッチスクリーン、センサ、などを含んでもよい。入出力モジュールは、端末インターフェイス２０９を使用することによって端末プロセッサ２０１と通信する。
【０１００】
メモリ２０２は、端末プロセッサ２０１と結合されており、様々なソフトウェアプログラム及び／又は複数の命令群を記憶するよう構成される。具体的に、メモリ２０２は、高速ランダム・アクセス・メモリを含んでよく、不揮発性メモリ、例えば、１つ以上の磁気ディスク記憶デバイス、フラッシュメモリデバイス、又は他の不揮発性ソリッドステート記憶デバイスを含んでもよい。メモリ２０２は、オペレーティング・システム（以降、システムと呼ばれる）、例えば、Ａｎｄｒｏｉｄ、ｉＯＳ、Ｗｉｎｄｏｗｓ、又はＬｉｎｕｘなどの埋め込みオペレーティング・システムを記憶してよい。メモリ２０２は、ネットワーク通信プログラムを更に記憶してもよい。ネットワーク通信プログラムは、１つ以上の追加デバイス、１つ以上の端末デバイス、及び１つ以上のネットワークデバイスと通信するために使用されてもよい。メモリ２０２は、端末インターフェイスプログラムを更に記憶してもよい。端末インターフェイスプログラムは、グラフィカル・オペレーティング・インターフェイスを使用することによってアプリケーションプログラムのコンテンツを鮮やかに表示し、メニュー、ダイアログボックス、又はキーなどの入力コントロールを使用することによって、アプリケーション上で端末によって実行される制御操作を受け取ってもよい。
【０１０１】
本願のいくつかの実施形態で、メモリ２０２は、本願の１つ以上の実施形態で提供される信号伝送方法を端末２００側で実装するためのプログラムを記憶するよう構成されてよい。本願の１つ以上の実施形態で提供される信号伝送方法の実装については、続く実施形態を参照されたい。
【０１０２】
端末プロセッサ２０１は、コンピュータ読み出し可能な命令を読み出し実行するよう構成されてよい。具体的に、端末プロセッサ２０１は、メモリ２１２に記憶されているプログラム、例えば、本願の１つ以上の実施形態で提供される信号伝送方法を端末２００側で実装するためのプログラムを呼び出し、プログラムに含まれている命令を実行するよう構成されてよい。
【０１０３】
端末２００は、図１に示される無線通信システム１００における端末１０３であってよく、モバイル機器、モバイル局（mobile  station）、モバイルユニット（mobile  unit）、ラジオユニット、リモートユニット、端末エージェント、モバイルクライアント、又はそのようなものとして実施されてよいことが理解され得る。
【０１０４】
図４に示される端末２００は、単に、本願の実施形態の実施であることが留意されるべきである。実際の用途では、端末２００はまた、より多い又はより少ないコンポーネントを含んでもよく、これは、ここで制限されない。
【０１０５】
図５を参照すると、図５は、本願の実施形態で提供されるネットワークデバイス３００を示す。図５に示されるように、ネットワークデバイス３００は、１つ以上のネットワークデバイスプロセッサ３０１、メモリ３０２、通信インターフェイス３０３、送信器３０５、受信器３０６、結合器３０７、及びアンテナ３０８を含んでよい。これらのコンポーネントは、バス３０４を使用することによって、又は他の方法で、接続されてよい。図５では、例えば、コンポーネントは、バスを使用することによって接続されている。
【０１０６】
通信インターフェイス３０３は、ネットワークデバイス３００と他の通信デバイス、例えば、端末デバイス又は他のネットワークデバイスとの間の通信のために使用されてよい。具体的に、端末デバイスは、図５に示される端末２００であってよい。具体的に、通信インターフェイス３０３は、ロング・ターム・エボリューション（ＬＴＥ）（４Ｇ）の通信インターフェイスであってよく、あるいは、５Ｇ又は将来のニュー・ラジオの通信インターフェイスであってもよい。ネットワークデバイス３００は、無線通信インターフェイスに限られず、有線通信をサポートするよう有線通信インターフェイス３０３を設けられてもよい。例えば、ネットワークデバイス３００と他のネットワークデバイス３００との間のバックホール接続は、有線通信接続であってよい。
【０１０７】
送信器３０５は、ネットワークデバイスプロセッサ３０１によって出力された信号を送信、例えば、ビームフォーミングを通じて指向性送信を実行するよう構成されてよい。受信器３０６は、アンテナ３０８によって受信された移動体通信信号を受信、例えば、ビームフォーミングを通じて指向性受信を実行するよう構成されてよい。本願のいくつかの実施形態で、送信器３０５／受信器３０６は、信号の指向性送信／受信を制御するように、送信される信号／受信される信号に重みベクトルＷ´１，・・・，Ｗ´ｍを乗じるよう構成されたビームフォーミングコントローラを含んでよい。本願で言及されている基地局ビームスイッチングは、信号／受信信号に重みベクトルを乗じるよう送信器３０５／受信器３０６内のビームフォーミングコントローラを使用することによって実施されてよい。
【０１０８】
本願のいくつかの実施形態で、送信器３０５及び受信器３０６は、１つの無線モデムと見なされ得る。ネットワークデバイス３００は、１つ以上の送信器３０５及び１つ以上の受信器３０６を含んでよい。アンテナ３０８は、伝送線路内の電磁エネルギを自由空間内の電磁波に変換するか、又は自由空間内の電磁波を伝送線路内の電磁エネルギに変換するよう構成されてよい。結合器３０７は、受信された移動体通信信号を複数のチャネルに分け、移動体通信信号を複数の受信器３０６に割り当てるよう構成される。
【０１０９】
メモリ３０２は、ネットワークデバイスプロセッサ３０１と結合されており、様々なソフトウェアプログラム及び／又は複数の命令群を記憶するよう構成される。具体的に、メモリ３０２は、高速ランダム・アクセス・メモリを含んでよく、不揮発性メモリ、例えば、１つ以上のディスク記憶デバイス、フラッシュメモリデバイス、又は他の不揮発性ソリッドステート記憶デバイスを含んでもよい。メモリ３０２は、オペレーティング・システム（以降、システムと呼ばれる）、例えば、ｕＣＯＳ、ＶｘＷｏｒｋｓ、又はＲＴＬｉｎｕｘなどの埋め込みオペレーティング・システムを記憶してよい。メモリ３０２は、ネットワーク通信プログラムを更に記憶してもよい。ネットワーク通信プログラムは、１つ以上の追加デバイス、１つ以上の端末デバイス、及び１つ以上のネットワークデバイスと通信するために使用されてもよい。
【０１１０】
ネットワークデバイスプロセッサ３０１は、ラジオチャネルを管理し、コール及び通信リンクを確立及び切断し、局所制御エリアにおいて端末にセルハンドオーバー制御を提供する、などのために構成されてよい。具体的に、ネットワークデバイスプロセッサ３０１は、管理モジュール／通信モジュール（Administration  Module/Communication  Module，ＡＭ／ＣＭ）（通話チャネル切り替え及び情報交換のためのセンターとして使用される）、基本モジュール（Basic  Module，ＢＭ）（コール処理、シグナリング処理、ラジオリソース管理、及び回路保守機能を完了するよう構成される）、トランスコーダ及びサブマルチプレクサ（Transcoder  and  SubMultiplexer，ＴＣＳＭ）ユニット（マルチプレキシング、デマルチプレキシング、及びトランスコーディング機能を完了するよう構成される）、などを含んでよい。
【０１１１】
本願のこの実施形態で、ネットワークデバイスプロセッサ３０１は、コンピュータ読み出し可能な命令を読み出し実行するよう構成されてよい。具体的に、ネットワークデバイスプロセッサ３０１は、メモリ３０２に記憶されているプログラム、例えば、本願の１つ以上の実施形態で提供される信号伝送方法をネットワークデバイス３２００側で実装するためのプログラムを呼び出し、プログラムに含まれている命令を実行するよう構成されてよい。
【０１１２】
ネットワークデバイス３００は、図１に示される無線通信システム１００におけるネットワークデバイス１０１であってよく、ベーストランシーバ局、無線トランシーバ、基本サービスセット（ＢＳＳ）、拡張サービスセット（ＥＳＳ）、ＮｏｄｅＢ、ｅＮｏｄｅＢ、アクセス・ポイント、ＴＲＰ、又はそのようなものとして実施されてよいことが理解され得る。
【０１１３】
図５に示されるネットワークデバイス３００は、単に、本願の実施形態の実施であることが留意されるべきである。実際の用途では、ネットワークデバイス３００はまた、より多い又はより少ないコンポーネントを含んでもよく、これは、ここで制限されない。
【０１１４】
無線通信システム１００、端末２００、及びネットワークデバイス３００に対応する実施形態に基づいて、本願の実施形態は、ビーム故障検出及びリンク回復プロセスを提供する。図６を参照すると、図６は、本願に従うビーム故障検出及びリンク回復プロセスの概略図である。図６に示されるように、方法は、次のステップを含む。
【０１１５】
Ｓ６０１．端末デバイスは、ビーム故障検出を実行し、新しいビームを識別する。
【０１１６】
本願で記載される新しいビームの識別の識別とは、通信リンク障害が起きた後、通信リンクを回復するために、端末が、前もってセットされた閾値よりも高いチャネル品質情報（例えば、ＲＳＲＰ又はＣＱＩ）を有している参照信号リソースを候補参照信号セットから選択する必要があることを意味する。
【０１１７】
具体的に、端末は、送信ビームを使用することによってネットワークデバイスによって送信されたダウンリンク参照信号の信号品質が悪化していることを検出し、これは、ネットワークデバイスの送信ビームで通信リンク障害が起きていることを示す。ここで、送信ビームは、端末デバイスと通信するためにネットワークデバイスによって使用される送信ビームである。ネットワークデバイスの送信ビームにおける通信リンク障害の発生の原因には、制限なしに、次がある：通信プロセスにおける障害による遮断及び高周波チャネル上の回折能力の悪さのために、現在のサービスのビームが遮られ、信号伝送は継続不可能である。信号品質が悪化することは、チャネル品質情報（例えば、ＲＳＰＲ又はＣＱＩ）が前もってセットされた閾値よりも低いことであってよい。
【０１１８】
リンク障害が起きた後、端末は、ネットワークデバイスによって配信されたダウンリンク参照信号を引き続き検出し、ダウンリンク参照信号の信号品質を測定して、良いチャネル／信号品質を有しているダウンリンク参照信号を識別（又は選択）する。良いチャネル／信号品質を有しているダウンリンク参照信号を識別するとは、良いチャネル品質を有している基地局送信ビームを識別することを意味する。良いチャネル品質を有している基地局送信ビームは、基地局送信ビームのチャネル品質情報（例えば、ＲＳＰＲ又はＣＱＩ）が前もってセットされた閾値よりも高いこと、又は端末が複数の基地局送信ビームのチャネル品質を成功裏に測定し、特定の基地局送信ビームのチャネル品質が複数のビームの中で最良であること、を意味する。この場合に、チャネル品質が最良である基地局送信ビームは、良いチャネル品質を有している識別された基地局送信ビームである。ここで、ネットワークデバイスは、ダウンリンク参照信号を別々に送信するために複数の送信ビームを使用してもよい。この場合に、端末は、複数の送信ビームを使用することによってネットワークデバイスによって夫々送信されたダウンリンク参照信号に基づいて複数の送信ビームのチャネル品質を測定し、良いチャネル品質を有している基地局送信ビームを選択する。本願では、チャネル品質が良いビームと、チャネル／信号品質が良いダウンリンク参照信号とは、同等の意味を有している。
【０１１９】
選択された基地局送信ビームは良い品質を有しているので、それは、基地局送信ビームに対応する端末受信ビームも良い品質を有していることを示すと理解され得る。同じく、それはまた、端末受信ビームに対応する端末送信ビームも良い品質を有していることを示す。
【０１２０】
Ｓ６０２．端末デバイスは、リンク再設定要求情報をネットワークデバイスへ送信し、このとき、送信されるリンク再設定要求情報は、リンク再設定を開始するために使用される。
【０１２１】
リンク再設定要求情報がリンク再設定を開始するために使用されるとは、リンク再設定要求情報がリンク故障又は通信故障を示すために使用されることを意味する。
【０１２２】
ここで、端末デバイスは、ステップＳ６０１で、良い品質を有している基地局送信ビームを識別し、品質が良い基地局送信ビームに対応する端末受信ビームも、良い品質を有している。従って、品質が良い端末受信ビームに対応する端末送信ビームも、良い品質を有している。端末は、良い品質を有している端末送信ビームを使用することによって、リンク再設定要求情報を送信する。
【０１２３】
本願において、基地局送信ビームは、端末受信ビームに対応している。端末の各受信ビームは、端末の１つの送信ビームに対応している。ここで、端末受信ビームが端末送信ビームに対応しているとは、同じ指向性を有していることを意味する。任意に、端末受信ビーム及び端末受信ビームに対応している端末送信ビームは、同じビームであってよく、同じトランシーバ装置を共有することができる。任意に、端末受信ビームに対応するアンテナポート及び対応する端末送信ビームに対応するアンテナポートは、疑似コロケート（ＱＣＬ）されてよい。任意に、疑似コロケーションは、次のパラメータ：到来角ＡｏＡ（angle  of  arrival）、ドミナント到来角Dominant  AoA、平均到来角、到来角のパワー角スペクトル（Power  angular  spectrum  (PAS)  of  AoA）、発射角ＡｏＤ（angle  of  departure）、ドミナント発射角、平均発射角、発射角のパワー角スペクトル、端末送信ビームフォーミング、端末受信ビームフォーミング、空間チャネル相関、基地局送信ビームフォーミング、基地局受信ビームフォーミング、平均チャネル利得、平均チャネル遅延、遅延拡散delay  spread、ドップラー拡散Doppler  spread、など、のうちの少なくとも１つが同じであるか、あるいは、決定された対応を有していることを意味する。
【０１２４】
Ｓ６０３．ネットワークデバイスは、端末デバイスのリンク再設定要求情報を受信し、ネットワークデバイスは、リンク再設定応答情報を端末へ送信する。
【０１２５】
Ｓ６０４．端末デバイスは、ネットワークデバイスによって送信されたリンク再設定応答情報を受信し、端末デバイスは、ビーム測定を実行する。
【０１２６】
具体的に、端末デバイスは、異なる送信ビームのチャネル品質を測定するために、異なる送信ビームを使用することによってネットワークデバイスによって送信されたダウンリンク参照信号を受信する。
【０１２７】
Ｓ６０５．端末デバイスは、ビーム品質を報告し、ネットワークデバイスは、端末デバイスによって報告されたビーム品質を受信する。
【０１２８】
端末デバイスは、複数の基地局送信ビームのチャネル品質を測定し、Ｍ個の比較的に最適な基地局送信ビームを選択して、ビームチャネル品質を報告する。ここで、比較的に最適なチャネル品質を有している基地局送信ビームは、基地局送信ビームのチャネル品質情報（例えば、ＲＳＰＲ又はＣＱＩ）が前もってセットされた閾値よりも高いこと、又は端末デバイスが複数の基地局送信ビームのチャネル品質を成功裏に測定し、特定の基地局送信ビームのチャネル品質が複数の基地局送信ビームの中で最良であることを意味する。この場合に、最良のチャネル品質を有している基地局送信ビームは、良いチャネル品質を有している識別された基地局送信ビームである。
【０１２９】
本願は、リンク故障／リンク障害がネットワークデバイスの送信ビームで起きた後かつ端末デバイスがネットワークデバイスによって再設定されたＱＣＬ情報を受信する前の期間中に、端末デバイスがＰＤＣＣＨ／ＰＤＳＣＨをいかにして受信／検出するか、に焦点を当てる。ここで、ネットワークデバイスの送信ビームは、端末デバイスと通信するために現在のネットワークデバイスによって使用された基地局送信ビームを意味する。リンク故障／リンク障害がビームで起きるとは、基地局によって送信されたダウンリンク参照信号のチャネル品質情報（例えば、ＲＳＰＲ又はＣＱＩ）が前もってセットされた閾値よりも低いことを端末デバイスが検出することを意味する。
【０１３０】
端末デバイスによって報告されたビームチャネル品質を受け取った後、ネットワークデバイスは、ＰＤＣＣＨ／ＰＤＳＣＨを検出するために使用されるＱＣＬ情報を端末デバイスのために再設定し得る。言い換えると、ネットワークデバイスは、ＰＤＣＣＨ／ＰＤＳＣＨを受信するために特定の受信ビームを受信するように端末デバイスに再指示する。
【０１３１】
無線通信システム１００、端末２００、及びネットワークデバイス３００に対応する実施形態に基づいて、本願の実施形態は、情報指示方法を提供する。以下は、図７及び図８を参照して、２つの物理ダウンリンクチャネル、すなわち、ＰＤＣＣＨ及びＰＤＳＣＨの観点から本願の情報指示方法を別々に説明する。
【０１３２】
図７を参照すると、図７は、本願に従う情報指示方法の略フローチャートである。方法は、ネットワークデバイスのダウンリンクビームでリンク故障／リンク障害が起きた後かつ端末デバイスがネットワークデバイスによって再設定されたＱＣＬ情報を受け取る前の期間中に、端末デバイスがネットワークデバイスによって送信されたＰＤＣＣＨをいかにして受信／検出するか、に焦点を当てる。図７に示されるように、方法は、次のステップを含む。
【０１３３】
Ｓ７０１．端末デバイスは、時点ｎでネットワークデバイスへリンク再設定要求情報を送信し、ネットワークデバイスは、時点ｎで端末デバイスによって送信されたリンク再設定要求情報を受信し、このとき、リンク再設定要求情報は、リンク再設定を開始するために使用される。
【０１３４】
本願において、リンク故障を検出した後、端末デバイスは、ビームリンク故障又は通信故障をネットワークデバイスに示すためにリンク再設定要求情報をネットワークデバイスへ送信する。リンク故障は、物理ダウンリンク制御チャネルＰＤＣＣＨを送信するためにネットワークデバイスによって使用されるビームの品質及びＰＤＣＣＨを受信するために使用されるビームの品質が悪化して特定のレベルになる場合に通信故障が起きることを意味する。言い換えると、通信故障は、ＰＤＣＣＨを送信及び受信するビーム対（Beam  Pair  Link，ＢＰＬ）の品質が悪化して極めて低いレベルになる場合に起こる。代替的に、ＰＤＣＣＨとのＱＣＬ関係を満足する全ての参照信号が、前もってセットされた閾値よりも低い場合に、リンク故障が起きていると決定される。
【０１３５】
ここで、端末デバイスは、ステップＳ６０１で、良い品質を有している基地局送信ビーム（このビームは、図２Ａ乃至図２Ｂにおけるビームｂであると仮定される）を識別し、品質が良い基地局送信ビームに対応する端末受信ビーム（このビームは、図２Ａ乃至図２Ｄにおけるビーム２であると仮定される）も、良い品質を有している。従って、品質が良い端末受信ビーム（ビーム２）に対応する端末送信ビーム（端末受信ビーム及び端末受信ビームに対応する端末送信ビームは同じビームであると仮定され、従って、端末送信ビームもビーム２である）も、良い品質を有している。端末は、良い品質を有している端末送信ビーム（ビーム２）を使用することによって、リンク再設定要求情報を送信する。
【０１３６】
端末デバイスが、良い品質を有している基地局送信ビームを識別するとは、端末デバイスが、良い信号品質を有しているダウンリンク参照信号（又はダウンリンク参照信号リース）を識別することを意味する。
【０１３７】
端末デバイスは、良い品質を有している識別された端末受信ビームに対応する端末送信ビームを使用することによって、リンク再設定要求情報を送信する。この場合に、ダウンリンクビーム情報（制限なしに、参照信号リソースの参照信号リソースインデックス及び／又はチャネル品質を含む）は、ネットワークデバイスへ暗黙的又は明示的にフィードバックされてよい。物理ランダムアクセスチャネル（Physical  Random  Access  Channel，ＰＲＡＣＨ）リソースがフィードバックのために使用される場合に、ネットワークデバイスは、ダウンリンクビーム情報を暗黙的に通知され得る。ＰＲＡＣＨリソース及びダウンリンク参照信号は対応（関連付け）関係にあるので、ネットワークデバイスは、要求を受信する特定のＰＲＡＣＨリソースを識別して、端末によって識別されるダウンリンク参照信号を知ることができる。ＰＵＣＣＨリソースがフィードバックのために使用される場合に、ネットワークデバイスは、参照信号リソースインデックスを明示的に通知され得る。アップリンクビームとダウンリンクビームとの間に相互関係が存在する場合に、端末は、良い品質を有している識別された端末受信ビームに対応する端末送信ビームを使用することによって、リンク再設定要求情報を送信し得る。アップリンクビームとダウンリンクビームとの間に相互関係が存在しない場合に、たとえネットワークデバイスのダウンリンク（すなわち、基地局送信ビーム）が機能しないとしても、リンク故障はアップリンクでは起こり得ず、端末は、ビーム故障回復要求を送るか、あるいは、ビーム走査を通じてリンク再設定要求情報を送る、すなわち、複数のアップリンクビームを使用することによってリンク再設定要求情報を送るために、前のアップリンクビームを引き続き使用し得る。これは、本願において制限されない。本願において、ビームが良い品質を有するとは、ビームに対応する参照信号の信号品質が前もってセットされた閾値よりも高いことを意味する。
【０１３８】
Ｓ７０２．ネットワークデバイスは、第１情報に基づいて、時点ｎの後の第１期間中にＰＤＣＣＨを送信し、端末デバイスは、第１情報に基づいて、時点ｎの後の第１期間中にＰＤＣＣＨを検出し、このとき、第１情報は、第１参照信号及び第２参照信号のＱＣＬ情報を含み、第１参照信号は、ＰＤＣＣＨを復調するために使用され、第２参照信号は、第１閾値を満足する参照信号である。
【０１３９】
本願において、端末デバイスが第１情報に基づいてＰＤＣＣＨを検出するとは、端末デバイスが１つ以上の特定の受信ビームを使用して第２参照信号を受信する場合に、端末デバイスがその１つ以上の特定の受信ビームを使用してＰＤＣＣＨを受信することを意味する。言い換えると、ＰＤＣＣＨ及び第２参照信号は、ＱＣＬ関係を満足し、あるいは、ＰＤＣＣＨのＤＭＲＳ及び第２参照信号は、ＱＣＬ関係を満足する。具体的に言えば、ＰＤＣＣＨは、第２参照信号のそれと同じ空間受信パラメータ（Spatial  Rx  parameter）を使用することによって受信される。
【０１４０】
ここで、第１期間の開始時点は、時点ｎであり、第１期間の終了時点は、端末デバイスがネットワークデバイスによって送信された第１シグナリングを受信する時点であり、第１シグナリングは、ＰＤＣＣＨのＱＣＬ情報を示すために使用される。第１シグナリングは、端末デバイスによって送信されたリンク再設定要求情報を受信した後に端末デバイスのためにネットワークデバイスによって再設定されたＱＣＬ情報である。第１シグナリングは、レイヤ−３シグナリング（ＲＲＣシグナリングを含むが限られない）、レイヤ−２シグナリング（ＭＡＣ−ＣＥシグナリングを含むが限られない）、及びレイヤ−１シグナリング（ＤＣＩシグナリングを含むが限られない）のうちの少なくとも１つを含む。
【０１４１】
本願において、第２参照信号は、リンク再設定要求情報に関連したダウンリンク参照信号を含む。リンク再設定要求情報に関連したダウンリンク参照信号は、チャネル品質が良くかつステップ６０１で端末デバイスによって識別されるダウンリンク参照信号を意味する。この場合に、端末デバイスが１つ以上の特定の端末送信ビーム（例えば、ビーム２）を使用してリンク再設定要求情報を送信する場合に、端末デバイスは、その１つ以上の特定の端末送信ビーム（ビーム２）に対応する１つ以上の端末受信ビームを使用して、ＰＤＣＣＨを受信してよい。
【０１４２】
本願において、第２参照信号は、チャネル品質が第１閾値よりも高く、端末デバイスによって、リンク故障が起きた後かつリンク再設定要求情報が送信される前に受信される参照信号を含む。
【０１４３】
代替的に、第２参照信号は、チャネル品質が第１閾値よりも高く、かつ、端末デバイスによって、リンク故障が起きた後かつリンク再設定要求情報が送信される前に受信される参照信号の中で、チャネル品質が最も良い参照信号を含む。
【０１４４】
これら２つの場合に、リンク故障がネットワークデバイスのダウンリンクビームで起こったことを端末デバイスが検出した後、かつ、端末デバイスがリンク再設定要求情報を送信する前に、端末デバイスは、新しいビームを識別し得る。例えば、ネットワークデバイスは、ダウンリンク参照信号を周期的に送信し、通信のためにネットワークデバイスによって目下使用されているダウンリンクビームでリンク障害／故障が起こったことを端末デバイスが検出した後、端末デバイスは、ネットワークデバイスによって送信されたダウンリンク参照信号のチャネル品質を測定して、チャネル品質が第１閾値よりも高い参照信号を識別し、それから、端末デバイスは、チャネル品質が第１閾値よりも高い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が第１閾値よりも高い参照信号を受信する場合に、端末デバイスがその特定の受信ビーム（ビーム２）を使用して、ネットワークデバイスによって送信されたＰＤＣＣＨを受信することを意味する。代替的に、通信のためにネットワークデバイスによって目下使用されているダウンリンクビームでリンク障害／故障が起こったことを端末デバイスが検出した後、端末デバイスは、ネットワークデバイスによって送信されたダウンリンク参照信号のチャネル品質を測定して、チャネル品質が第１閾値よりも高い参照信号の中でチャネル品質が最も良い参照信号を識別し、それから、端末デバイスは、チャネル品質が最も良い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が最も良い参照信号を受信する場合に、端末デバイスがその特定の受信ビーム（ビーム２）を使用して、ネットワークデバイスによって送信されたＰＤＣＣＨを受信することを意味する。ここで、チャネル品質が最も良いダウンリンク参照信号は、チャネル品質が第１閾値よりも高くかつ端末デバイスによって測定される複数の参照信号の中で最良のチャネル品質を有している参照信号を意味する。
【０１４５】
代替的に、上記の第２参照信号は、チャネル品質が第１閾値よりも高く、端末デバイスによって第１期間中に受信される参照信号を含む。
【０１４６】
代替的に、上記の第２参照信号は、チャネル品質が第１閾値よりも高くかつ端末デバイスによって第１期間中に受信される参照信号の中で、チャネル品質が最も良い参照信号を含む。
【０１４７】
これら２つの場合に、端末デバイスは、端末デバイスがリンク再設定要求情報を送信した後に、新しいビームを訓練し得る。具体的に言えば、端末デバイスによって送信されたリンク再設定要求情報を受信した後、ネットワークデバイスはダウンリンク参照信号を送信し、端末デバイスは、ネットワークデバイスによって送信されたダウンリンク参照信号のチャネル品質を測定して、チャネル品質が第１閾値よりも高い参照信号を識別し、それから、端末デバイスは、チャネル品質が第１閾値よりも高い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が第１閾値よりも高い参照信号を受信する場合に、端末デバイスがその特定の受信ビーム（ビーム２）を使用して、ネットワークデバイスによって送信されたＰＤＣＣＨを受信することを意味する。代替的に、端末デバイスは、ネットワークデバイスによって送信されたダウンリンク参照信号のチャネル品質を測定して、チャネル品質が最も良い参照信号を識別し、それから、端末デバイスは、チャネル品質が最も良い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が最も良い参照信号を受信する場合に、端末デバイスがその特定の受信ビーム（ビーム２）を使用して、ネットワークデバイスによって送信されたＰＤＣＣＨを受信することを意味する。ここで、チャネル品質が最も良いダウンリンク参照信号は、端末デバイスによって測定される複数の参照信号の中で最良のチャネル品質を有している参照信号を意味する。
【０１４８】
本願に、第１閾値は、ネットワークデバイスによって設定されてよく、あるいは、事前に定義されてよい。
【０１４９】
任意に、第１期間の終了時点の後に、すなわち、端末デバイスが、ネットワークデバイスによって再設定されたＰＤＣＣＨ  ＱＣＬ情報を受信した後に、端末デバイスは、ネットワークデバイスによって再設定されたＰＤＣＣＨ  ＱＣＬ情報に基づいて、ネットワークデバイスによって送信されたＰＤＣＣＨを検出する。
【０１５０】
図８を参照すると、図８は、本願に従う情報指示方法の略フローチャートである。方法は、ネットワークデバイスのダウンリンクビームでリンク故障／リンク障害が起きた後かつ端末デバイスがネットワークデバイスによって再設定されたＱＣＬ情報を受け取る前の期間中に、端末デバイスがネットワークデバイスによって送信されたＰＤＳＣＨをいかにして受信／検出するか、に焦点を当てる。図８に示されるように、方法は、次のステップを含む。
【０１５１】
Ｓ８０１．端末デバイスは、時点ｎでネットワークデバイスへリンク再設定要求情報を送信し、ネットワークデバイスは、時点ｎで端末デバイスによって送信されたリンク再設定要求情報を受信し、このとき、リンク再設定要求情報は、リンク再設定を開始するために使用される。
【０１５２】
本願におけるステップＳ８０１に関する記載については、ステップＳ７０１における記載を参照されたい。詳細は、ここで再び記載されない。
【０１５３】
Ｓ８０２．ネットワークデバイスは、第２情報に基づいて、時点ｎの後の第２期間中にＰＤＣＣＨを送信し、端末デバイスは、第２情報に基づいて、時点ｎの後の第２期間中にＰＤＳＣＨを検出し、このとき、第２情報は、第３参照信号及び第４参照信号のＱＣＬ情報を含み、第３参照信号は、ＰＤＳＣＨを復調するために使用され、第４参照信号は、第２閾値を満足する参照信号である。
【０１５４】
本願において、端末デバイスが第２情報に基づいてＰＤＳＣＨを検出するとは、端末デバイスが１つ以上の特定の受信ビームを使用して第４参照信号を受信する場合に、端末デバイスがその１つ以上の特定の受信ビームを使用してＰＤＳＣＨを受信することを意味する。言い換えると、ＰＤＳＣＨ及び第４参照信号は、ＱＣＬ関係を満足し、あるいは、ＰＤＣＣＨのＤＭＲＳ及び第４参照信号は、ＱＣＬ関係を満足する。具体的に言えば、ＰＤＳＣＨは、第４参照信号のそれと同じ空間受信パラメータ（Spatial  Rx  parameter）を使用することによって受信される。
【０１５５】
ここで、第２期間の開始時点は、時点ｎであり、第２期間の終了時点は、端末デバイスがネットワークデバイスによって送信された第３シグナリングを受信する時点であり、第３シグナリングは、ＰＤＳＣＨのＴＣＩテーブルを示すために使用され、ＴＣＩテーブルは、ＰＤＳＣＨの候補ＱＣＬ情報を示すために使用される。ここで、ＴＣＩテーブルは、端末デバイスのためにネットワークデバイスによって再設定されたＴＣＩテーブルである。具体的に、２つのタイプの制御リソースセット（Control  resource  set，ＣＯＲＥＳＥＴ）、すなわち、前のＣＯＲＥＳＥＴ及び専用のＣＯＲＥＳＥＴ、が本願では使用される。前のＣＯＲＥＳＥＴは、データスケジューリングのために使用され、以前に、通信がビームリンクにおいて正常である場合に、端末デバイスのためにネットワークデバイスによって割り当てられた制御リソースセットに対応し、専用のＣＯＲＥＳＥＴは、リンク故障が起きた後にダウンリンク通信のために使用され、主として、リンク再設定応答情報を送信するためにネットワークデバイスによって使用される。ＣＯＲＥＳＥＴは、次のように説明される：制御チャネル上で端末デバイスによって実行されるブラインド検出の効率を改善するために、ＣＯＲＥＳＥＴの概念は、ＮＲ標準が策定されるプロセスで提案される。言い換えると、１つ以上の制御リソースセットは、制御エリアにおいて端末デバイスごとに分割される。ネットワークデバイスは、端末デバイスに対応するいずれか１つの制御リソースセットにおいて端末デバイスへ制御チャネルを送信し得る。その上、ネットワークデバイスは、制御リソースセットに関連した他の設定、例えば、探索空間、を端末デバイスに通知する必要がある。制御エリアにおける分割を通じて得られる複数の制御リソースセットにおいて、制御リソースセットは設定情報において異なり、例えば、周波数領域幅が異なり、時間領域長さが異なる。本願において第３シグナリングによって示されるＰＤＳＣＨ  ＴＣＩテーブルは、実際には、リンク障害／リンク故障が以前に起きた前のＣＯＲＥＳＥＴにおけるＴＣＩテーブルを意味する。ネットワークデバイスが前のＣＯＲＥＳＥＴについてＴＣＩテーブルを再設定した後、それは、以前に機能不全となったリンクが再び正常に回復されることを示す。
【０１５６】
ここで、第３シグナリングは、レイヤ−３シグナリング（ＲＲＣシグナリングを含むが限られない）及びレイヤ−２シグナリング（ＭＡＣ−ＣＥシグナリングを含むが限られない）のうちの少なくとも１つを含む。
【０１５７】
本願において、上記の第４参照信号は、リンク再設定要求情報に関連したダウンリンク参照信号を含む。リンク再設定要求情報に関連したダウンリンク参照信号は、チャネル品質が良くかつステップ６０１で端末デバイスによって識別されるダウンリンク参照信号を意味する。この場合に、端末デバイスが１つ以上の特定の送信ビーム（例えば、ビーム２）を使用してリンク再設定要求情報を送信する場合に、端末デバイスは、その１つ以上の特定の送信ビーム（ビーム２）に対応する１つ以上の受信ビームを使用して、ＰＤＳＣＨを受信してよい。
【０１５８】
本願において、上記の第４参照信号は、チャネル品質が第２閾値よりも高く、端末デバイスによって、リンク故障が起きた後かつリンク再設定要求情報が送信される前に受信される参照信号を含む。
【０１５９】
代替的に、上記の第４参照信号は、チャネル品質が第２閾値よりも高く、かつ、端末デバイスによって、リンク故障が起きた後かつリンク再設定要求情報が送信される前に受信される参照信号の中で、チャネル品質が最も良い参照信号を含む。
【０１６０】
これら２つの場合に、リンク故障がネットワークデバイスのダウンリンクビームで起こったことを端末デバイスが検出した後、かつ、端末デバイスがリンク再設定要求情報を送信する前に、端末デバイスは新しいビームを識別し得る。具体的に言えば、ネットワークデバイスは、ダウンリンク参照信号を周期的に送信し、通信のためにネットワークデバイスによって目下使用されているダウンリンクビームでリンク障害／故障が起きたことを端末デバイスが検出した後、端末デバイスは、ネットワークデバイスによって送信されたダウンリンク参照信号のチャネル品質を測定して、チャネル品質が第２閾値よりも高い参照信号を識別し、それから、端末デバイスは、チャネル品質が第２閾値よりも高い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号はＱＣＬ関係を満足すると仮定する。ここで、ＱＣＬ関係を満足するとは、端末デバイスが特定の受信ビーム（例えば、ビーム２）を使用して、チャネル品質が第２閾値よりも高い参照信号を受信する場合に、端末デバイスがその特定の受信ビーム（ビーム２）を使用して、ネットワークデバイスによって送信されたＰＤＳＣＨを受信することを意味する。代替的に、通信のためにネットワークデバイスによって目下使用されているダウンリンクビームでリンク障害／故障が起こったことを端末デバイスが検出した後、端末デバイスは、ネットワークデバイスによって送信されたダウンリンク参照信号のチャネル品質を測定して、チャネル品質が第２閾値よりも高い参照信号の中でチャネル品質が最良である参照信号を識別し、それから、端末デバイスは、チャネル品質が最も良い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が最も良い参照信号を受信する場合に、端末デバイスがその特定の受信ビーム（ビーム２）を使用して、ネットワークデバイスによって送信されたＰＤＳＣＨを受信することを意味する。ここで、チャネル品質が最も良いダウンリンク参照信号は、端末デバイスによって測定される複数のダウンリンク参照信号の中で最良のチャネル品質を有している参照信号を意味する。第２閾値及び上記の第１閾値及びは、同じであってよく、あるいは、異なってもよい。
【０１６１】
代替的に、上記の第４参照信号は、チャネル品質が第２閾値よりも高く、端末デバイスによって第２期間中に受信される参照信号を含む。
【０１６２】
代替的に、上記の第４参照信号は、チャネル品質が第２閾値よりも高くかつ端末デバイスによって第２期間中に受信される参照信号の中で、チャネル品質が最も良い参照信号を含む。
【０１６３】
これら２つの場合に、端末デバイスは、端末デバイスがリンク再設定要求情報を送信した後に、新しいビームを訓練し得る。具体的に言えば、端末デバイスによって送信されたリンク再設定要求情報を受信した後、ネットワークデバイスはダウンリンク参照信号を送信し、端末デバイスは、ネットワークデバイスによって送信されたダウンリンク参照信号のチャネル品質を測定して、チャネル品質が第２閾値よりも高い参照信号を識別し、それから、端末デバイスは、チャネル品質が第２閾値よりも高い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が第２閾値よりも高い参照信号を受信する場合に、端末デバイスがその特定の受信ビーム（ビーム２）を使用して、ネットワークデバイスによって送信されたＰＤＳＣＨを受信することを意味する。代替的に、端末デバイスは、ネットワークデバイスによって送信されたダウンリンク参照信号のチャネル品質を測定して、チャネル品質が第２閾値よりも高い参照信号の中でチャネル品質が最良である参照信号を識別し、それから、端末デバイスは、チャネル品質が最も良い参照信号の受信ビームを使用して、ネットワークデバイスによって送信されたＰＤＳＣＨを受信する。言い換えると、この時点で、端末デバイスは、ＰＤＳＣＨのＤＭＲＳ及び参照信号がＱＣＬ関係を満足すると仮定する。ここで、ＱＣＬ関係を満足するとは、端末デバイスが特定の受信ビーム（例えば、ビーム２）を使用して、チャネル品質が最も良い参照信号を受信する場合に、端末デバイスがその特定の受信ビーム（ビーム２）を使用して、ネットワークデバイスによって送信されたＰＤＳＣＨを受信することを意味する。ここで、チャネル品質が最も良いダウンリンク参照信号は、端末デバイスによって測定される複数のダウンリンク参照信号の中で最良のチャネル品質を有している参照信号を意味する。第２閾値及び上記の第１閾値及びは、同じであってよく、あるいは、異なってもよい。
【０１６４】
任意に、第２期間の前記終了時点の後に、すなわち、端末デバイスがネットワークデバイスによって再設定されたＰＤＳＣＨ  ＱＣＬ情報を受信した後に、端末デバイスは、ネットワークデバイスによって再設定されたＰＤＳＣＨ  ＱＣＬ情報に基づいて、ネットワークデバイスによって送信されたＰＤＳＣＨを検出する。ここで、再設定されたＱＣＬは、リンク障害／リンク故障が以前に起こった前のＣＯＲＥＳＥＴについてネットワークデバイスによって再設定されたＱＣＬ情報を意味する。具体的に、ネットワークデバイスに再設定されたＰＤＳＣＨ  ＱＣＬ情報は、ＴＣＩ状態である。端末デバイスによって送信されたリンク再設定要求情報を受信した後に、ネットワークデバイスは、ＴＣＩテーブルを端末デバイスへ送る。ＴＣＩテーブルは、ＲＲＣシグナリングを使用することによって送信されてよく、あるいは、ＭＡＣ  ＣＥシグナリングを使用することによって送信されてよい。ＴＣＩテーブルは、端末のためにネットワークデバイスによって設定されるＰＤＳＣＨの複数の候補ＱＣＬ情報を示すために使用される。次いで、ネットワークデバイスは、ＴＣＩ状態を端末デバイスへ動的に送信し、ＴＣＩ状態は、ＰＤＳＣＨのＱＣＬを示すために使用され、ＴＣＩ状態は、ＴＣＩテーブル内の状態である。ネットワークデバイスによって送信されたＴＣＩ状態を受信する場合に、端末デバイスは、ＴＣＩ状態によって示されているＰＤＳＣＨ  ＱＣＬ情報に基づいて、ネットワークデバイスによって送信されたＰＤＳＣＨを検出する。ここで、端末デバイスが、ＰＤＳＣＨ  ＱＣＬ情報に基づいて、ネットワークデバイスによって送信されたＰＤＳＣＨを検出するとは、ネットワークデバイスが、ＰＤＳＣＨを検出／受信するために特定の受信ビームを使用するよう端末デバイスに指示することを意味する。
【０１６５】
任意に、ネットワークデバイスのダウンリンクビームでリンク障害／故障が起きていることを端末デバイスが検出した後、ネットワークデバイスが端末デバイスへＴＣＩ状態を送信してない場合には、端末デバイスは、デフォルト様式でＰＤＳＣＨを検出する。デフォルト様式は、通信プロトコルにおいて定義されてよい。この場合に、第２閾値を満足する参照信号は、ＰＤＣＣＨとのＱＣＬ関係を満足する参照信号を含む。言い換えると、端末デバイスが１つ以上の特定の受信ビームを使用してＰＤＣＣＨを受信する場合に、端末デバイスは、その１つ以上の特定の受信ビームを使用してＰＤＳＣＨを受信する。端末デバイスが１つ以上の特定の受信ビームを使用してＰＤＣＣＨを受信する具体的な実施については、ステップＳ７０２における記載を参照されたい。詳細は、ここで再び記載されない。代替的に、第２閾値を満足する参照信号は、初期アクセスプロセスにおいて端末デバイスによって受信される参照信号を含む。言い換えると、端末デバイスが初期アクセスプロセスにおいて参照信号を受信するために１つ以上の特定の受信ビームを使用する場合に、端末デバイスは、その１つ以上の特定の受信ビームを使用してＰＤＳＣＨを受信する。ここで、初期アクセスプロセスにおいて端末デバイスによって受信される参照信号は、制限なしに、ダウンリンク同期信号ブロック（Synchronization  Signal  block，ＳＳブロック）を含み、ＳＳブロックは、次の：セカンダリ同期信号（Secondary  Synchronization  Signal，ＳＳＳ）、プライマリ同期信号（Primary  Synchronization  Signal，ＰＳＳ）、及び物理ブロードキャストチャネル（Physical  Broadcast  Channel，ＰＢＣＨ）、のうちの少なくとも１つを含む。
【０１６６】
任意に、上記の第４参照信号は、伝送設定指示テーブルＴＣＩテーブルにおいてデフォルト状態で示され、ＴＣＩテーブルは、ネットワークデバイスによって、端末デバイスのために、第２期間の終了時点の前に設定される。デフォルト状態で示される、第２閾値を満足する参照信号は、ＰＤＣＣＨとのＱＣＬ関係を満足する参照信号、又は初期アクセスプロセスにおいて端末デバイスによって受信される参照信号を含む。この場合は、ネットワークデバイスによって送信されるＴＣＩテーブルがデフォルト状態を含むことを意味し、デフォルト状態に対応するＴＣＩ状態のインデックス値は、例えば、００であってよい。端末デバイスは、デフォルト状態で示される受信方式を使用することによって、ＰＤＳＣＨを検出する。この場合に、第２閾値を満足する参照信号は、ＰＤＣＣＨとのＱＣＬ関係を満足する参照信号を含む。言い換えると、端末デバイスがＰＤＣＣＨを受信するために１つ以上の特定の受信ビームを使用する場合に、端末デバイスは、その１つ以上の特定の受信ビームを使用してＰＤＳＣＨを受信する。端末デバイスがＰＤＣＣＨを受信するために１つ以上の特定の受信ビームを使用する具体的な実施については、ステップＳ７０２における記載を参照されたい。詳細は、ここで再び記載されない。代替的に、第２閾値を満足する参照信号は、初期アクセスプロセスにおいて端末デバイスによって受信される参照信号を含む。言い換えると、端末デバイスが初期アクセスプロセスにおいて参照信号を受信するために１つ以上の特定の受信ビームを使用する場合に、端末デバイスは、その１つ以上の特定の受信ビームを使用してＰＤＳＣＨを受信する。ここで、初期アクセスプロセスにおいて端末デバイスによって受信される参照信号は、制限なしに、ダウンリンク同期信号ブロック（Synchronization  Signal  block，ＳＳブロック）を含み、ＳＳブロックは、次の：セカンダリ同期信号（Secondary  Synchronization  Signal，ＳＳＳ）、プライマリ同期信号（Primary  Synchronization  Signal，ＰＳＳ）、及び物理ブロードキャストチャネル（Physical  Broadcast  Channel，ＰＢＣＨ）、のうちの少なくとも１つを含む。
【０１６７】
任意に、端末デバイスが、第２情報に基づいて、時点ｎの後の第２期間中にＰＤＳＣＨを検出する前に、方法は、端末デバイスによって、第２期間中に、ネットワークデバイスによって送信された第２シグナリングを受信することを更に含む。第２シグナリングは、レイヤ−１シグナリング（ＤＣＩシグナリングを含むが限られない）を含む。第２シグナリングは、伝送設定指示状態ＴＣＩ状態を示すために使用され、ＴＣＩ状態は、ＰＤＳＣＨのＱＣＬを示すために使用され、ＴＣＩ状態は、ＴＣＩテーブル内の状態であり、ＴＣＩテーブルは、ネットワークデバイスによって、端末デバイスのために、第２期間の終了時点の前に設定される。この場合に、実施は次の通りである：端末デバイスによって受信されたＴＣＩ状態がデフォルト状態を示す場合に、端末デバイスは、ＴＣＩ状態を有効と識別し、次いで、デフォルト状態によって示される受信方式を使用することによってＰＤＳＣＨを検出し、あるいは、端末デバイスによって受信されたＴＣＩ状態がデフォルト以外の他の状態を示す場合に、端末デバイスは、デフォルト状態によって示される受信方式を使用することによってＰＤＳＣＨを検出するか、又はＴＣＩ状態が無効であると決定し、次いで、デフォルト状態によって示される受信方式を使用することによってＰＤＳＣＨを検出する。他の実施は、次の通りである：受け取られたＴＣＩ状態によってデフォルト状態が示されるかどうかにかかわらず、端末デバイスは、自動的にＴＣＩ状態をデフォルト状態と解釈し、次いで、デフォルト状態によって示される受信方式を使用することによってＰＤＳＣＨを検出する。ここで、デフォルト状態によって示される受信方式を使用することによってＰＤＳＣＨを検出することは：端末デバイスが１つ以上の特定の送信ビームを使用してリンク再設定要求情報を送信する場合に、端末デバイスが、その１つ以上の特定の送信ビームに対応する１つ以上の受信ビームを使用してＰＤＳＣＨを受信することを含む。代替的に、デフォルト状態によって示される受信方式を使用することによってＰＤＳＣＨを検出することは：端末デバイスが１つ以上の特定の受信ビームを使用して、チャネル品質が第２閾値よりも高い参照信号を受信する場合に、端末デバイスが、その１つ以上の特定の受信ビームを使用して、ネットワークデバイスによって送信されたＰＤＳＣＨを受信することを含む。代替的に、デフォルト状態によって示される受信方式を使用することによってＰＤＳＣＨを検出することは：端末デバイスが１つ以上の特定の受信ビームを使用して、チャネル品質が最も良い参照信号を受信する場合に、端末デバイスが、その１つ以上の特定の受信ビームを使用して、ネットワークデバイスによって送信されたＰＤＳＣＨを受信することを含む。代替的に、デフォルト状態によって示される受信方式を使用することによってＰＤＳＣＨを検出することは：端末デバイスが１つ以上の特定の受信ビームを使用して、チャネル品質が第２閾値よりも高い参照信号を受信する場合に、端末デバイスが、その１つ以上の特定の受信ビームを使用して、ネットワークデバイスによって送信されたＰＤＳＣＨを受信することを含む。代替的に、デフォルト状態によって示される受信方式を使用することによってＰＤＳＣＨを検出することは：端末デバイスが１つ以上の特定の受信ビームを使用してＰＤＣＣＨを受信する場合に、端末デバイスが、その１つ以上の特定の受信ビームを使用してＰＤＳＣＨを受信することを含む。代替的に、デフォルト状態によって示される受信方式を使用することによってＰＤＳＣＨを検出することは：端末デバイスが１つ以上の特定の受信ビームを使用して、初期アクセスプロセスにおいて参照信号を受信する場合に、端末デバイスが、その１つ以上の特定の受信ビームを使用してＰＤＳＣＨを受信することを含む。これらの方法の詳細な内容については、上記の説明を参照されたい。詳細は、ここで再び記載されない。
【０１６８】
第２閾値は、ネットワークデバイスによって設定されてよく、あるいは、事前に定義されてよい。
【０１６９】
任意に、第２期間の終了時点の後、端末デバイスは、ネットワークデバイスによって送信された第４シグナリングを受信する。第４シグナリングは、第３シグナリングによって示されるＴＣＩテーブル内のＴＣＩ状態を示すために使用され、ＴＣＩ状態は、ＰＤＳＣＨのＱＣＬ情報を示すために使用される。言い換えると、端末デバイスは、ネットワークデバイスによって再設定されたＰＤＳＣＨ  ＱＣＬ情報を受信する。それから、端末デバイスは、第４シグナリングによって示されるＰＤＳＣＨ  ＱＣＬ情報に基づいてＰＤＳＣＨを検出する。第４シグナリングは、レイヤ−１シグナリング（ＤＣＩシグナリングを含むが限られない）を含む。
【０１７０】
任意に、端末デバイスは、第１期間中に第１制御リソースセットを検出し、このとき、第１制御リソースセットは、ネットワークデバイスによって端末デバイスのために設定されたリソースセットであり、リンク再設定応答情報を送信するために使用される。
【０１７１】
任意に、端末デバイスは、第１期間の終了時点の後に第２制御リソースセットを検出する。第２制御リソースセットは、リンク故障が起きているリソースセット（すなわち、前のＣＯＲＥＳＥＴ）である。この場合は、ネットワークデバイスが、第２制御リソースセットの時間周波数リソースを変更せず、第２制御リソースセットについてＱＣＬを再設定して、第２制御リソースセットを回復することを意味する。このようにして、第１期間が経過した後、端末デバイスは、第２制御リソースセットを使用することによって伝送される制御情報を適切に検出することができる。他の実施では、第２制御リソースセットは、ネットワークデバイスによって再設定されたリソースセットである。言い換えると、リンク故障が起きているリソースセットは捨てられ、新しいリソースセットが、制御情報を伝送するために設定される。新しいリソースセットにおける時間周波数リソース及びＱＣＬは両方とも、リンク故障が起きているリソースセットにおけるそれらとは異なる。
【０１７２】
任意に、端末デバイスは、第１制御リソースセットを使用することによってネットワークデバイスによって送信される、第２制御リソースセットのＱＣＬ情報を受信する。
【０１７３】
任意に、第２制御リソースセットのＱＣＬ情報は、第１シグナリングによって示される上記のＰＤＣＣＨ  ＱＣＬ情報である。
【０１７４】
本願において、ＣＯＲＥＳＥＴは、制御情報を伝送するために使用されかつネットワークデバイスによって端末デバイスのために割り当てられる時間領域リソースである。
【０１７５】
本願が実施される場合に、リンク故障が起きた後かつリンク通信が正常に回復される前の期間中に、端末デバイスは、ネットワークデバイスによって配信されたＰＤＣＣＨ／ＰＤＳＣＨを適切に受信することができ、それによって、リンク信頼性は改善される。
【０１７６】
図９を参照すると、図９は、本願に従う端末デバイスのブロック図を示す。図９に示されるように、端末４００は、送信ユニット４０１及び第１検出ユニット４０２を含んでよい。
【０１７７】
送信ユニット４０１は、時点ｎでネットワークデバイスへリンク再設定要求情報を送信するよう構成されてよく、リンク再設定要求情報は、リンク再設定を開始するために使用される。
【０１７８】
第１検出ユニット４０２は、第１情報に基づいて、時点ｎの後の第１期間中に物理ダウンリンク制御チャネルＰＤＣＣＨを検出し、かつ／あるいは、第２情報に基づいて、時点ｎの後の第２期間中に物理ダウンリンク共有チャネルＰＤＳＣＨを検出するよう構成されてよい。
【０１７９】
第１情報は、第１参照信号及び第２参照信号の疑似コロケーションＱＣＬ仮定情報を含み、第１参照信号は、ＰＤＣＣＨを復調するために使用され、第２参照信号は、第１閾値を満足する参照信号である。
【０１８０】
第２情報は、第３参照信号及び第４参照信号の疑似コロケーションＱＣＬ仮定情報を含み、第３参照信号は、ＰＤＳＣＨを復調するために使用され、第４参照信号は、第２閾値を満足する参照信号である。
【０１８１】
任意に、第２参照信号は、リンク再設定要求情報に関連したダウンリンク参照信号を含む。
【０１８２】
任意に、第２参照信号は、チャネル品質が第１閾値よりも高く、端末デバイスによって、リンク故障が起きた後かつリンク再設定要求情報が送信される前に受信される参照信号を含む。
【０１８３】
代替的に、第２参照信号は、チャネル品質が第１閾値よりも高く、かつ、端末デバイスによって、リンク故障が起きた後かつリンク再設定要求情報が送信される前に受信される参照信号の中で、チャネル品質が最も良い参照信号を含む。
【０１８４】
代替的に、第２参照信号は、チャネル品質が第１閾値よりも高く、端末デバイスによって第１期間中に受信される参照信号を含む。
【０１８５】
代替的に、第２参照信号は、チャネル品質が第１閾値よりも高くかつ端末デバイスによって第１期間中に受信される参照信号の中で、チャネル品質が最も良い参照信号を含む。
【０１８６】
任意に、第１期間の終了時点は、端末デバイスがネットワークデバイスによって送信された第１シグナリングを受信する時点であり、第１シグナリングは、レイヤ−３シグナリング、レイヤ−２シグナリング、及びレイヤ−１シグナリングのうちの少なくとも１つを有し、第１シグナリングは、ＰＤＣＣＨのＱＣＬ情報を示すために使用される。
【０１８７】
任意に、端末デバイス４００は、
第１期間の終了時点の後に、第１シグナリングによって示されたＰＤＣＣＨ  ＱＣＬ情報に基づいてＰＤＣＣＨを検出するよう構成される第２検出ユニットを更に含む。
【０１８８】
任意に、第４参照信号は、リンク再設定要求情報に関連したダウンリンク参照信号を含む。
【０１８９】
任意に、第４参照信号は、ＰＤＣＣＨとのＱＣＬ関係を満足する参照信号を含む。
【０１９０】
代替的に、第４参照信号は、初期アクセスプロセスにおいて端末デバイスによって受信される参照信号を含む。
【０１９１】
任意に、第４参照信号は、チャネル品質が第２閾値よりも高く、端末デバイスによって、リンク故障が起きた後かつリンク再設定要求情報が送信される前に受信される参照信号を含む。
【０１９２】
代替的に、第４参照信号は、チャネル品質が第２閾値よりも高く、かつ、端末デバイスによって、リンク故障が起きた後かつリンク再設定要求情報が送信される前に受信される参照信号の中で、チャネル品質が最も良い参照信号を含む。
【０１９３】
代替的に、第４参照信号は、チャネル品質が第２閾値よりも高く、端末デバイスによって第２期間中に受信される参照信号を含む。
【０１９４】
代替的に、第４参照信号は、チャネル品質が第２閾値よりも高くかつ端末デバイスによって第２期間中に受信される参照信号の中で、チャネル品質が最も良い参照信号を含む。
【０１９５】
任意に、第４参照信号は、伝送設定指示テーブルＴＣＩテーブルにおいてデフォルト状態で示され、ＴＣＩテーブルは、ネットワークデバイスによって、端末デバイスのために、第２期間の終了時点の前に設定される。
【０１９６】
デフォルト状態で示される第４参照信号は、ＰＤＣＣＨとのＱＣＬ関係を満足する参照信号、又は初期アクセスプロセスにおいて端末デバイスによって受信される参照信号を含む。
【０１９７】
任意に、端末デバイス４００は、
第２期間中に、ネットワークデバイスによって送信された第２シグナリングを受信するよう構成される第１受信ユニットを更に含み、
第２シグナリングは、レイヤ−１シグナリングを含み、第２シグナリングは、伝送設定指示状態ＴＣＩ状態を示すために使用され、ＴＣＩ状態は、ＰＤＳＣＨのＱＣＬを示すために使用され、ＴＣＩ状態は、ＴＣＩテーブル内の状態であり、ＴＣＩテーブルは、ネットワークデバイスによって、端末デバイスのために、第２期間の終了時点の前に設定される。
【０１９８】
第１検出ユニット４０２が第２情報に基づいて時点ｎの後の第２期間中に物理ダウンリンク共有チャネルＰＤＳＣＨを検出するよう構成されることは、デフォルトＱＣＬ情報に基づいて、時点ｎの後の第２期間中に前記ＰＤＳＣＨを検出することを含み、このとき、デフォルトＱＣＬ情報が第２情報である。
【０１９９】
代替的に、第１検出ユニット４０２が第２情報に基づいて時点ｎの後の第２期間中に物理ダウンリンク共有チャネルＰＤＳＣＨを検出するよう構成されることは、時点ｎの後の第２期間中に、ＴＣＩ状態によって示されるＰＤＳＣＨ  ＱＣＬが無効であると仮定し、デフォルトＱＣＬに基づいてＰＤＳＣＨを検出することを含み、このとき、デフォルトＱＣＬ情報が第２情報である。
【０２００】
任意に、第２期間の終了時点は、端末デバイスがネットワークデバイスによって送信された第３シグナリングを受信する時点であり、第３シグナリングは、レイヤ−３シグナリング及びレイヤ−２シグナリングのうちの少なくとも１つを含み、第３シグナリングは、ＰＤＳＣＨのＴＣＩテーブルを示すために使用され、ＴＣＩテーブルは、ＰＤＳＣＨの候補ＱＣＬ情報を示すために使用される。
【０２０１】
任意に、端末デバイス４００は、
第２期間の終了時点の後に、ネットワークデバイスによって送信された第４シグナリングを受信するよう構成される第２受信ユニットであり、第４シグナリングは、レイヤ−１シグナリングを含み、第４シグナリングは、第３シグナリングによって示されるＴＣＩテーブル内のＴＣＩ状態を示すために使用され、ＴＣＩ状態は、ＰＤＳＣＨのＱＣＬ情報を示すために使用される、第２受信ユニットと
第４シグナリングによって示されるＰＤＳＣＨ  ＱＣＬ情報に基づいてＰＤＳＣＨを検出するよう構成される第３検出ユニットと
を更に含む。
【０２０２】
任意に、端末デバイス４００は、
第１期間中に第１制御リソースセットを検出するよう構成される第４検出ユニットを更に含み、
第１制御リソースセットは、ネットワークデバイスによって端末デバイスのために設定されたリソースセットであり、リンク再設定応答情報を送信するために使用される。
【０２０３】
任意に、端末デバイス４００は、第１期間の終了時点の後に第２制御リソースセットを検出するよう構成される第４検出ユニットを更に含む。第２制御リソースセットは、リンク故障が起きているリソースセットである。
【０２０４】
任意に、端末デバイス４００は、第１制御リソースセットを使用することによってネットワークデバイスによって送信される、第２制御リソースセットのＱＣＬ情報を受信するよう構成される第３検出ユニットを更に含む。
【０２０５】
任意に、第１閾値及び第２閾値は、ネットワークデバイスによって設定されてよく、あるいは、事前に定義されてよい。上記の第１閾値及び第２閾値は、等しくてよく、あるいは、等しくなくてもよい。
【０２０６】
明らかなように、端末４００に含まれる機能ユニットの詳細な実施については、上記の実施形態を参照されたい。詳細は、ここで再び記載されない。
【０２０７】
図１０を参照すると、図１０は、本願に従うネットワークデバイスのブロック図を示す。図１０に示されるように、ネットワーク５００は、受信ユニット５０１及び送信ユニット５０２を含んでよい。
【０２０８】
受信ユニット５０１は、時点ｎで端末デバイスによって送信されたリンク再設定要求情報を受信するよう構成され、リンク再設定要求情報は、リンク再設定を開始するために使用される。
【０２０９】
送信ユニット５０２は、第１情報に基づいて時点ｎの後の第１期間中に物理ダウンリンク制御チャネルＰＤＣＣＨを送信するよう構成され、第１情報は、第１参照信号及び第２参照信号の疑似コロケーションＱＣＬ仮定情報を含み、第１参照は、ＰＤＣＣＨを復調するために使用され、第２参照信号は、第１閾値を満足する参照信号であり、かつ／あるいは、
送信ユニット５０２は、第２情報に基づいて時点ｎの後の第１期間中に物理ダウンリンク共有チャネルＰＤＳＣＨを送信するよう構成され、第２情報は、第３参照情報及び第４参照信号の疑似コロケーションＱＣＬ仮定情報を含み、第３参照情報は、ＰＤＳＣＨを復調するために使用され、第４参照信号は、第２閾値を満足する参照信号である。
【０２１０】
任意に、第１閾値を満足する参照信号は、リンク再設定要求情報に関連したダウンリンク参照信号を含む。
【０２１１】
代替的に、第２参照信号は、チャネル品質が第１閾値よりも高く、端末デバイスによって、リンク故障が起きた後かつリンク再設定要求情報が送信される前に受信される参照信号を含む。
【０２１２】
代替的に、第２参照信号は、チャネル品質が第１閾値よりも高く、かつ、端末デバイスによって、リンク故障が起きた後かつリンク再設定要求情報が送信される前に受信される参照信号の中で、チャネル品質が最も良い参照信号を含む。
【０２１３】
代替的に、第２参照信号は、チャネル品質が第１閾値よりも高く、端末デバイスによって第１期間中に受信される参照信号を含む。
【０２１４】
代替的に、第２参照信号は、チャネル品質が第１閾値よりも高くかつ端末デバイスによって第１期間中に受信される参照信号の中で、チャネル品質が最も良い参照信号を含む。
【０２１５】
任意に、第１期間の終了時点は、端末デバイスがネットワークデバイスによって送信された第１シグナリングを受信する時点であり、第１シグナリングは、レイヤ−３シグナリング、レイヤ−２シグナリング、及びレイヤ−１シグナリングのうちの少なくとも１つを含み、第１シグナリングは、ＰＤＣＣＨのＱＣＬ情報を示すために使用される。
【０２１６】
任意に、送信ユニット５０２は、第１期間の終了時点の後に、第１シグナリングによって示されたＰＤＣＣＨ  ＱＣＬ情報に基づいてＰＤＣＣＨを送信するよう更に構成される。
【０２１７】
任意に、第４参照信号は、リンク再設定要求情報に関連したダウンリンク参照信号を含む。
【０２１８】
代替的に、第４参照信号は、ＰＤＣＣＨとのＱＣＬ関係を満足する参照信号を含む。
【０２１９】
代替的に、第４参照信号は、初期アクセスプロセスにおいて端末デバイスによって受信される参照信号を含む。
【０２２０】
代替的に、第４参照信号は、チャネル品質が第２閾値よりも高く、端末デバイスによって、リンク故障が起きた後かつリンク再設定要求情報が送信される前に受信される参照信号を含む。
【０２２１】
代替的に、第４参照信号は、チャネル品質が第２閾値よりも高く、かつ、端末デバイスによって、リンク故障が起きた後かつリンク再設定要求情報が送信される前に受信される参照信号の中で、チャネル品質が最も良い参照信号を含む。
【０２２２】
代替的に、第４参照信号は、チャネル品質が第２閾値よりも高く、端末デバイスによって第２期間中に受信される参照信号を含む。
【０２２３】
代替的に、第４参照信号は、チャネル品質が第２閾値よりも高くかつ端末デバイスによって第２期間中に受信される参照信号の中で、チャネル品質が最も良い参照信号を含む。
【０２２４】
代替的に、第４参照信号は、伝送設定指示テーブルＴＣＩテーブルにおいてデフォルト状態で示され、ＴＣＩテーブルは、ネットワークデバイスによって、端末デバイスのために、第２期間の終了時点の前に設定される。
【０２２５】
デフォルト状態で示される第４参照信号は、ＰＤＣＣＨとのＱＣＬ関係を満足する参照信号、又は初期アクセスプロセスにおいて端末デバイスによって受信される参照信号を含む。
【０２２６】
任意に、送信ユニット５０２は、ネットワークデバイスによって第２期間中に端末デバイスへ第２シグナリングを送信するよう更に構成され、第２シグナリングは、レイヤ−１シグナリングを含み、第２シグナリングは、伝送設定指示状態ＴＣＩ状態を示すために使用され、ＴＣＩ状態は、ＰＤＳＣＨのＱＣＬ情報を示すために使用され、ＴＣＩ状態は、ＴＣＩテーブル内の状態であり、ＴＣＩテーブルは、ネットワークデバイスによって、端末デバイスのために、第２期間の終了時点の前に設定される。
【０２２７】
任意に、第２期間の終了時点は、端末デバイスがネットワークデバイスによって送信された第３シグナリングを受信する時点であり、第３シグナリングは、レイヤ−３シグナリング及びレイヤ−２シグナリングのうちの少なくとも１つを含み、第３シグナリングは、ＰＤＳＣＨのＴＣＩテーブルを示すために使用され、ＴＣＩテーブルは、ＰＤＳＣＨの候補ＱＣＬ情報を示すために使用される。
【０２２８】
任意に、送信ユニット５０２は、第２期間の終了時点の後に端末デバイスへ第４シグナリングを送信し、第４シグナリングは、レイヤ−１シグナリングを含み、第４シグナリングは、第３シグナリングによって示されるＴＣＩテーブル内のＴＣＩ状態を示すために使用され、ＴＣＩ状態は、ＰＤＳＣＨのＱＣＬ情報を示すために使用され、
第４シグナリングによって示されるＰＤＳＣＨ  ＱＣＬ情報に基づいてＰＤＳＣＨを送信する
よう更に構成される。
【０２２９】
任意に、送信ユニット５０２は、ネットワークデバイスによって第１期間中に第１制御リソースセットを送信するよう更に構成され、第１制御リソースセットは、ネットワークデバイスによって端末デバイスのために設定されたリソースセットであり、リンク再設定応答情報を送信するために使用される。
【０２３０】
任意に、送信ユニット５０２は、ネットワークデバイスによって第１期間の終了時点の後に第２制御リソースセットを送信するよう更に構成され、第２制御リソースセットは、リンク故障が起きているリソースセットである。
【０２３１】
任意に、送信ユニット５０２は、ネットワークデバイスによって、第１制御リソースセットを使用することによって端末デバイスへ第２制御リソースセットのＱＣＬ情報を送信するよう更に構成される。
【０２３２】
明らかなように、ネットワークデバイス５００に含まれる機能ユニットの詳細な実施については、上記の実施形態を参照されたい。詳細は、ここで再び記載されない。
【０２３３】
まとめると、本願で提供される技術的解決法が実施される場合に、リンク故障が起きた後かつリンク通信が正常に回復される前の期間中に、端末デバイスは、ネットワークデバイスによって配信されたＰＤＣＣＨ／ＰＤＳＣＨを適切に受信することができ、それによって、リンク信頼性は改善される。
【０２３４】
本発明のこの実施形態で開示される内容と組み合わせて記載される方法又はアルゴリズムステップは、ハードウェアによって実施されてよく、あるいは、ソフトウェア命令を実行することによってプロセッサによって実施されてよい。ソフトウェア命令は、対応するソフトウェアモジュールを含んでよい。ソフトウェアモジュールは、ＲＡＭ、フラッシュメモリ、ＲＯＭ、消去可能なプログラム可能リード・オンリー・メモリ（Erasable  Programmable  ROM，ＥＰＲＯＭ）、電気的消去可能なプログラム可能リード・オンリー・メモリ（Electrically  EPROM，ＥＥＰＲＯＭ）、レジスタ、ハードディスク、リムーバブル・ハード・ディスク、コンパクト・ディスク・リード・オンリー・メモリ（ＣＤ−ＲＯＭ）、又は当該技術でよく知られているあらゆる他の形態の記憶媒体に記憶されてもよい。例えば、記憶媒体はプロセッサへ結合され、それにより、プロセッサは、記憶媒体から情報を読み出すこと、又は情報を記憶媒体に書き込むことができる。確かに、記憶媒体は、プロセッサの構成要素であってもよい。プロセッサ及び記憶媒体は、ＡＳＩＣに位置してもよい。その上、ＡＳＩＣは、トランシーバ又はリレーデバイスに位置してよい。確かに、プロセッサ及び記憶媒体は、無線アクセスネットワークデバイス又は端末デバイス内のディスクリート部品として機能を果たしてもよい。
【０２３５】
当業者であれば、上記の１つ以上の例において、本発明の実施形態で記載される機能はハードウェア、ソフトウェア、ファームウェア、又はそれらの任意の組み合わせによって実施されてよいと気づくはずである。本発明がソフトウェアによって実施される場合に、機能は、コンピュータ可読媒体に記憶されても、あるいは、コンピュータ可読媒体において１つ以上の命令として伝送されてもよい。コンピュータ可読媒体には、コンピュータ記憶媒体と、通信媒体とがあり、通信媒体には、１つの場所から他の場所へコンピュータプログラムが伝送されることを可能にする如何なる媒体も含まれる。記憶媒体は、汎用又は専用のコンピュータがアクセス可能な如何なる利用可能な媒体であってもよい。
【０２３６】
本発明の実施形態の目的、技術的解決法、及び有利な効果は、上記の具体的な実施において詳細に更に記載される。上記の説明は、本発明の実施形態の具体的な実施にすぎず、本発明の実施形態の保護範囲を制限する意図はないことが理解されるべきである。本発明の実施形態の技術的解決法に基づき行われる如何なる変更、均等置換、又は改善も、本発明の実施形態の保護範囲内にあるべきである。
【図１】
2021503811.tif 000003
【図２Ａ】
2021503811.tif 000004
【図２Ｂ】
2021503811.tif 000005
【図２Ｃ】
2021503811.tif 000006
【図２Ｄ】
2021503811.tif 000007
【図３】
2021503811.tif 000008
【図４】
2021503811.tif 000009
【図５】
2021503811.tif 000010
【図６】
2021503811.tif 000011
【図７】
2021503811.tif 000012
【図８】
2021503811.tif 000013
【図９】
2021503811.tif 000014
【図１０】
2021503811.tif 000015
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
信号伝送方法であって、
端末デバイスによって、時点ｎでリンク再設定要求情報をネットワークデバイスへ送信することと、
前記端末デバイスによって第１情報に基づいて前記時点ｎの後の第１期間中に物理ダウンリンク制御チャネル（ＰＤＣＣＨ）を検出することであり、前記第１情報は、前記ＰＤＣＣＨを復調するために使用される第１参照信号と、第１閾値を満足する参照信号である第２参照信号との疑似コロケーション（ＱＣＬ）情報を有する、前記ＰＤＣＣＨを検出することと
を有する方法。
【請求項２】
前記第２参照信号は、前記リンク再設定要求情報に関連したダウンリンク参照信号を有する、
請求項１に記載の方法。
【請求項３】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項１又は２に記載の方法。
【請求項４】
前記端末デバイスによって、前記第１期間の前記終了時点の後に、前記第１シグナリングによって示された前記ＰＤＣＣＨ  ＱＣＬ情報に基づいて前記ＰＤＣＣＨを検出することを更に有する、
請求項３に記載の方法。
【請求項５】
前記端末デバイスによって前記第１期間中に第１制御リソースセットを検出することを更に有し、
前記第１制御リソースセットは、前記ネットワークデバイスによって前記端末デバイスのために設定されたリソースセットであり、リンク再設定応答情報を送信するために使用される、
請求項３に記載の方法。
【請求項６】
前記端末デバイスによって前記第１期間の前記終了時点の後に第２制御リソースセットを検出することを更に有し、
前記第２制御リソースセットは、リンク故障が起きているリソースセットである、
請求項５に記載の方法。
【請求項７】
前記第１参照信号は、復調参照信号（ＤＭＲＳ）である、
請求項１乃至６のうちいずれか一項に記載の方法。
【請求項８】
信号伝送方法であって、
ネットワークデバイスによって、時点ｎで端末デバイスによって送信されたリンク再設定要求情報を受信することと、
前記ネットワークデバイスによって第１情報に基づいて前記時点ｎの後の第１期間中に物理ダウンリンク制御チャネル（ＰＤＣＣＨ）を送信することであり、前記第１情報は、前記ＰＤＣＣＨを復調するために使用される第１参照信号と、第１閾値を満足する参照信号である第２参照信号との疑似コロケーション（ＱＣＬ）情報を有する、前記ＰＤＣＣＨを送信することと
を有する方法。
【請求項９】
前記第２参照信号は、前記リンク再設定要求情報に関連したダウンリンク参照信号を有する、
請求項８に記載の方法。
【請求項１０】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項７又は８に記載の方法。
【請求項１１】
前記ネットワークデバイスによって、前記第１期間の前記終了時点の後に、前記ＰＤＣＣＨを送信することを更に有する、
請求項１０に記載の方法。
【請求項１２】
前記ネットワークデバイスによって前記第１期間中に第１制御リソースセットを送信することを更に有し、
前記第１制御リソースセットは、前記ネットワークデバイスによって前記端末デバイスのために設定されたリソースセットであり、リンク再設定応答情報を送信するために使用される、
請求項１０に記載の方法。
【請求項１３】
前記ネットワークデバイスによって前記第１期間の前記終了時点の後に第２制御リソースセットを送信することを更に有し、
前記第２制御リソースセットは、リンク故障が起きているリソースセットである、
請求項１２に記載の方法。
【請求項１４】
前記第１参照信号は、復調参照信号（ＤＭＲＳ）である、
請求項８乃至１３のうちいずれか一項に記載の方法。
【請求項１５】
時点ｎでリンク再設定要求情報をネットワークデバイスへ送信するよう構成される送信ユニットと、
第１情報に基づいて前記時点ｎの後の第１期間中に物理ダウンリンク制御チャネル（ＰＤＣＣＨ）を検出するよう構成され、前記第１情報は、前記ＰＤＣＣＨを復調するために使用される第１参照信号と、第１閾値を満足する参照信号である第２参照信号との疑似コロケーション（ＱＣＬ）情報を有する、検出ユニットと
を有する端末デバイス。
【請求項１６】
前記第２参照信号は、前記リンク再設定要求情報に関連したダウンリンク参照信号を有する、
請求項１５に記載の端末デバイス。
【請求項１７】
前記端末デバイスは、前記ネットワークデバイスから第１シグナリングを受信するよう構成される受信ユニットを更に有し、前記第１期間の終了時点は、前記端末デバイスが前記第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項１５又は１６に記載の端末デバイス。
【請求項１８】
前記検出ユニットは、前記第１期間の前記終了時点の後に、前記第１シグナリングによって示された前記ＰＤＣＣＨ  ＱＣＬ情報に基づいて前記ＰＤＣＣＨを検出するよう更に構成される、
請求項１７に記載の端末デバイス。
【請求項１９】
前記検出ユニットは、前記第１期間中に第１制御リソースセットを検出するよう更に構成され、
前記第１制御リソースセットは、前記ネットワークデバイスによって前記端末デバイスのために設定されたリソースセットであり、リンク再設定応答情報を送信するために使用される、
請求項１７に記載の端末デバイス。
【請求項２０】
前記検出ユニットは、前記第１期間の前記終了時点の後に第２制御リソースセットを検出するよう更に構成され、
前記第２制御リソースセットは、リンク故障が起きているリソースセットである、
請求項１９に記載の端末デバイス。
【請求項２１】
前記第１参照信号は、復調参照信号（ＤＭＲＳ）である、
請求項１５乃至２０のうちいずれか一項に記載の端末デバイス。
【請求項２２】
時点ｎで端末デバイスによって送信されたリンク再設定要求情報を受信するよう構成される受信ユニットと、
第１情報に基づいて前記時点ｎの後の第１期間中に物理ダウンリンク制御チャネル（ＰＤＣＣＨ）を送信するよう構成され、前記第１情報は、前記ＰＤＣＣＨを復調するために使用される第１参照信号と、第１閾値を満足する参照信号である第２参照信号との疑似コロケーション（ＱＣＬ）情報を有する、送信ユニットと
を有するネットワークデバイス。
【請求項２３】
前記第２参照信号は、前記リンク再設定要求情報に関連したダウンリンク参照信号を有する、
請求項２２に記載のネットワークデバイス。
【請求項２４】
前記第１期間の終了時点は、前記端末デバイスが前記ネットワークデバイスによって送信された第１シグナリングを受信する時点であり、前記第１シグナリングは、レイヤ−３シグナリング、レイヤ−２シグナリング、及びレイヤ−１シグナリングのうちの少なくとも１つを有し、前記第１シグナリングは、前記ＰＤＣＣＨのＱＣＬ情報を示すために使用される、
請求項２２又は２３に記載のネットワークデバイス。
【請求項２５】
前記送信ユニットは、前記第１期間の前記終了時点の後に、前記ＰＤＣＣＨを送信するよう更に構成される、
請求項２４に記載のネットワークデバイス。
【請求項２６】
前記送信ユニットは、前記第１期間中に第１制御リソースセットを送信するよう更に構成され、
前記第１制御リソースセットは、前記ネットワークデバイスによって前記端末デバイスのために設定されたリソースセットであり、リンク再設定応答情報を送信するために使用される、
請求項２４に記載のネットワークデバイス。
【請求項２７】
前記送信ユニットは、前記第１期間の前記終了時点の後に第２制御リソースセットを送信するよう更に構成され、
前記第２制御リソースセットは、リンク故障が起きているリソースセットである、
請求項２６に記載のネットワークデバイス。
【請求項２８】
前記第１参照信号は、復調参照信号（ＤＭＲＳ）である、
請求項２２乃至２７のうちいずれか一項に記載のネットワークデバイス。
【請求項２９】
端末デバイス及びネットワークデバイスを有し、
前記端末デバイスは、請求項１５乃至２１のうちいずれか一項に記載の端末デバイスであり、前記ネットワークデバイスは、請求項２２乃至２８のうちいずれか一項に記載のネットワークデバイスである、
通信システム。
【請求項３０】
コンピュータプログラムを記憶しており、該コンピュータプログラムがプロセッサによって実行される場合に、請求項１乃至１４のうちいずれか一項に記載の方法が実行される、
コンピュータ記憶媒体。
【請求項３１】
命令を有するコンピュータ可読媒体であって、
前記コンピュータ可読媒体がコンピュータで実行される場合に、該コンピュータは、請求項１乃至１４のうちいずれか一項に記載の方法を実行する、
コンピュータ可読媒体。
【請求項３２】
プロセッサと、該プロセッサと結合された１つ以上のインターフェイスとを有し、
前記プロセッサは、メモリからプログラムコードを呼び出して、請求項１乃至１４のうちいずれか一項に記載の方法を実行するよう構成され、
前記インターフェイスは、前記プロセッサの処理結果を出力するよう構成される、
装置。
【請求項３３】
プロセッサによって実行される場合に、該プロセッサに、請求項１乃至１４のうちいずれか一項に記載の方法を実行させる命令が記録されている非一時的なコンピュータ可読記憶媒体。
【請求項３４】
命令を記憶するよう構成される１つ以上のメモリと、
前記命令を実行して、請求項１乃至１４のうちいずれか一項に記載の方法を実行するよう構成される１つ以上のプロセッサと
を有する通信デバイス。
【手続補正２】
【補正対象書類名】明細書
【補正対象項目名】０００６
【補正方法】変更
【補正の内容】
【０００６】
第１の態様に従って、本願は、信号伝送方法を提供する。方法は端末側に適用され、端末デバイスによって、時点ｎで、リンク再設定を開始するために使用されるリンク再設定要求情報をネットワークデバイスへ送信することと、端末デバイスによって第１情報に基づいて時点ｎの後の第１期間中にＰＤＣＣＨを検出すること、及び／又は端末デバイスによって第２情報に基づいて時点ｎの後の第２期間中にＰＤＳＣＨを検出することとを含んでよい。ここで、第１情報は、第１参照情報及び第２参照情報の疑似コロケーション（Quasi  Co-location，ＱＣＬ）仮定情報を含む。第１参照情報は、ＰＤＣＣＨを復調するために使用され、言い換えると、第１参照信号は、ＰＤＣＣＨの復調参照信号（Demodulation  Reference  Signal，ＤＭＲＳ）である。第２参照信号は、第１閾値を満足する参照信号である。第２情報は、第３参照信号及び第４参照信号のＱＣＬ情報（ＱＣＬ仮定情報）を含む。第３参照信号は、ＰＤＳＣＨを復調するために使用され、言い換えると、第３参照信号は、ＰＤＳＣＨのＤＭＲＳである。第４参照信号は、第２閾値を満足する参照信号である。
【手続補正３】
【補正対象書類名】明細書
【補正対象項目名】０００７
【補正方法】変更
【補正の内容】
【０００７】
第２の態様に従って、本願は、信号伝送方法を提供する。方法はネットワークデバイス側に適用され、ネットワークデバイスによって、時点ｎで端末デバイスによって送信された、リンク再設定を開始するために使用されるリンク再設定要求情報を受信することと、ネットワークデバイスによって第１情報に基づいて時点ｎの後の第１期間中に物理ダウンリンク制御チャネルＰＤＣＣＨを送信すること、及び／又はネットワークデバイスによって第２情報に基づいて時点ｎの後の第２期間中に物理ダウンリンク共有チャネルＰＤＳＣＨを送信することとを含んでよい。ここで、第１情報は、第１参照信号及び第２参照信号の疑似コロケーション（Quasi  Co-location，ＱＣＬ）仮定情報を含む。第１参照信号は、ＰＤＣＣＨを復調するために使用され、言い換えると、第１参照信号は、ＰＤＣＣＨの復調参照信号（Demodulation  Reference  Signal，ＤＭＲＳ）である。第２参照信号は、第１閾値を満足する参照信号である。第２情報は、第３参照信号及び第４参照信号のＱＣＬ情報を含む。第３参照信号は、ＰＤＳＣＨを復調するために使用され、言い換えると、第３参照信号は、ＰＤＳＣＨのＤＭＲＳである。第４参照信号は、第２閾値を満足する参照信号である。
【手続補正４】
【補正対象書類名】明細書
【補正対象項目名】００１１
【補正方法】変更
【補正の内容】
【００１１】
任意に、ＱＣＬ情報はまた、いくつかの空間特徴パラメータ、例えば、到来角（angle  of  arrival，ＡｏＡ）、ドミナント到来角（Dominant  AoA）、平均到来角、到来角のパワー角スペクトル（Power  angular  spectrum  (PAS)  of  AoA）、発射角ＡｏＤ（angle  of  departure）、ドミナント発射角、平均発射角、発射角のパワー角スペクトル、端末送信ビームフォーミング、端末受信ビームフォーミング、空間チャネル相関、基地局送信ビームフォーミング、基地局受信ビームフォーミング、平均チャネル利得、平均チャネル遅延、遅延拡散（delay  spread）、ドップラー拡散（Doppler  spread）、及び空間受信パラメータ（spatial  Rx  parameters）を含んでもよい。これらの空間特徴パラメータは、第１参照信号のアンテナポートと第２参照信号のアンテナポートとの間の空間チャネルの特徴を記述する。これは、端末がＱＣＬ情報に基づいて受信側での受信処理プロセス又はビームフォーミングプロセスを完了することを助ける。
【手続補正５】
【補正対象書類名】明細書
【補正対象項目名】００１２
【補正方法】変更
【補正の内容】
【００１２】
本願で、端末デバイスが第１情報に基づいてＰＤＣＣＨを検出することは、端末デバイスが１つ以上の特定の受信ビームを使用して第２参照信号を受信する場合に、端末デバイスがその１つ以上の特定の受信ビームを使用してＰＤＣＣＨを受信／復調することを意味する。言い換えると、ＰＤＣＣＨ及び第２参照信号は、ＱＣＬ関係を満足し、あるいは、ＰＤＣＣＨのＤＭＲＳ及び第２参照信号は、ＱＣＬ関係を満足する。
【手続補正６】
【補正対象書類名】明細書
【補正対象項目名】００１３
【補正方法】変更
【補正の内容】
【００１３】
本願で、端末デバイスが第２情報に基づいてＰＤＳＣＨを検出することは、端末デバイスが１つ以上の特定の受信ビームを使用して第４参照信号を受信する場合に、端末デバイスがその１つ以上の特定の受信ビームを使用してＰＤＳＣＨを受信／復調することを意味する。言い換えると、ＰＤＳＣＨ及び第４参照信号は、ＱＣＬ関係を満足し、あるいは、ＰＤＳＣＨのＤＭＲＳ及び第４参照信号は、ＱＣＬ関係を満足する。
【手続補正７】
【補正対象書類名】明細書
【補正対象項目名】００２１
【補正方法】変更
【補正の内容】
【００２１】
この場合に、通信リンク障害（又は通信リンク故障、ビーム障害、ビーム故障、リンク障害、リンク故障、通信障害、通信故障、などと呼ばれる）がネットワークデバイスのダウンリンクビームで起こったことを端末デバイスが検出した後、かつ、端末デバイスがリンク再設定要求情報を送信する前に、端末デバイスは新しいビームを識別し得る。具体的に言えば、ネットワークデバイスは、ダウンリンク参照信号を周期的に送信し、通信のためにネットワークデバイスによって目下使用されているダウンリンクビームで通信リンク障害が起きたことを端末デバイスが検出した後、端末デバイスは、ネットワークデバイスによって送信されたダウンリンク参照信号のチャネル品質を測定して、チャネル品質が第１閾値よりも高い参照信号を識別し、それから、端末デバイスは、チャネル品質が第１閾値よりも高い参照信号の受信ビームを使用して、ネットワークデバイスによって送信されたＰＤＣＣＨを受信する。言い換えると、この時点で、端末デバイスは、ＰＤＣＣＨのＤＭＲＳ及び参照信号はＱＣＬ関係を満足すると仮定する。ここで、ＱＣＬ関係を満足するとは、端末デバイスが特定の受信ビームを使用して、チャネル品質が第１閾値よりも高い参照信号を受信する場合に、端末デバイスがその特定の受信ビームを使用して、ネットワークデバイスによって送信されたＰＤＣＣＨを受信することを意味する。
【手続補正８】
【補正対象書類名】明細書
【補正対象項目名】００３４
【補正方法】変更
【補正の内容】
【００３４】
この場合に、端末デバイスが特定の送信ビームを使用してリンク再設定要求情報を送信する場合に、端末デバイスは、その特定の送信ビームに対応する受信ビームを使用して、ネットワークデバイスによって送信されたＰＤＳＣＨを受信する。
【手続補正９】
【補正対象書類名】明細書
【補正対象項目名】００４７
【補正方法】変更
【補正の内容】
【００４７】
場合８：方法は、ネットワークデバイスによって、第２期間中に、端末デバイスへ第２シグナリングを送信することと、端末デバイスによって、第２期間中に、ネットワークデバイスによって送信された第２シグナリングを受信することとを更に含む。第２シグナリングは、レイヤ−１シグナリング（ＤＣＩシグナリングを含むが限られない）を含む。第２シグナリングは、伝送設定指示状態（ＴＣＩ状態）を示すために使用され、ＴＣＩ状態は、ＰＤＳＣＨのＱＣＬ情報を示すために使用され、ＴＣＩ状態は、ＴＣＩテーブル内の状態であり、ＴＣＩテーブルは、ネットワークデバイスによって、端末デバイスのために、第２期間の終了時点の前に設定される。ここで、ＴＣＩテーブルは、実際には、専用のＣＯＲＥＳＥＴに対応するＴＣＩテーブルを意味する。この場合に、実施は次の通りである：端末デバイスは、デフォルトＱＣＬ情報に基づいて、時点ｎの後の第２期間中にＰＤＳＣＨを検出する。デフォルトＱＣＬ情報は、シナリオ２における場合１乃至場合６のうちのいずれか１つで記載される、第４参照信号及び第３参照信号のＱＣＬ仮定情報を含む。この実施は、受け取られたＴＣＩ状態によってデフォルト状態が示されるかどうかにかかわらず、端末デバイスが自動的にＴＣＩ状態をデフォルト状態と解釈し、それから、デフォルト状態によって示される受信方式を使用することによってＰＤＳＣＨを検出することを意味する。ここで、デフォルト状態によって示される受信方式を使用することによってＰＤＳＣＨを検出することは、シナリオ２における場合１乃至場合６でのいずれか１つのＰＤＳＣＨ検出方式を含む。
【手続補正１０】
【補正対象書類名】明細書
【補正対象項目名】００４９
【補正方法】変更
【補正の内容】
【００４９】
本願において、第２期間の開始時点は、時点ｎであり、第２期間の終了時点は、端末デバイスがネットワークデバイスによって送信された第３シグナリングを受信する時点であり、第３シグナリングは、ＰＤＳＣＨのＴＣＩテーブルを示すために使用され、ＴＣＩテーブルは、ＰＤＳＣＨの候補ＱＣＬ情報を示すために使用される。ここで、ＴＣＩテーブルは、ネットワークデバイスによって端末デバイスのために再設定されたＴＣＩテーブルである。具体的に、２つのタイプの制御リソースセット（Control  resource  set，ＣＯＲＥＳＥＴ）、すなわち、前のＣＯＲＥＳＥＴ及び専用のＣＯＲＥＳＥＴ、が本願では使用される。前のＣＯＲＥＳＥＴは、データスケジューリングのために使用され、以前に、通信がビームリンクにおいて正常である場合に、端末デバイスのためにネットワークデバイスによって割り当てられた制御リソースセットに対応し、専用のＣＯＲＥＳＥＴは、リンク故障が起きた後にダウンリンク通信のために使用され、主として、リンク再設定応答情報を送信するためにネットワークデバイスによって使用される。ＣＯＲＥＳＥＴは、次のように説明される：制御チャネル上で端末デバイスによって実行されるブラインド検出の効率を改善するために、ＣＯＲＥＳＥＴの概念は、ＮＲ標準が策定されるプロセスで提案される。言い換えると、１つ以上の制御リソースセットは、制御エリアにおいて端末デバイスごとに分割される。ネットワークデバイスは、端末デバイスに対応するいずれか１つの制御リソースセットにおいて端末デバイスへ制御チャネルを送信し得る。その上、ネットワークデバイスは、制御リソースセットに関連した他の設定、例えば、探索空間、を端末デバイスに通知する必要がある。制御エリアにおける分割を通じて得られる複数の制御リソースセットにおいて、制御リソースセットは設定情報において異なり、例えば、周波数領域幅が異なり、時間領域長さが異なる。本願において第３シグナリングによって示されるＰＤＳＣＨ  ＴＣＩテーブルは、実際には、リンク障害／リンク故障が以前に起きた前のＣＯＲＥＳＥＴにおけるＴＣＩテーブルを意味する。ネットワークデバイスが前のＣＯＲＥＳＥＴについてＴＣＩテーブルを再設定した後、それは、以前に機能不全となったリンクが再び正常に回復されることを示す。ここで、第３シグナリングは、レイヤ−３シグナリング（ＲＲＣシグナリングを含むが限られない）及びレイヤ−２シグナリング（ＭＡＣ−ＣＥシグナリングを含むが限られない）のうちの少なくとも１つを含む。
【手続補正１１】
【補正対象書類名】明細書
【補正対象項目名】００６０
【補正方法】変更
【補正の内容】
【００６０】
第６の態様に従って、本願は、第２の態様で提供される信号伝送方法を実行するよう構成されたネットワークデバイスを提供する。ネットワークデバイスは、メモリ、メモリと結合されたプロセッサと、トランシーバとを含んでよい。トランシーバは、他の通信デバイス（例えば、端末デバイス）と通信するよう構成される。メモリは、第２の態様で提供される信号伝送方法を実施するためのコードを記憶するよう構成される。プロセッサは、メモリ内に記憶されているプログラムコードを実行、すなわち、第２の態様で提供される信号伝送方法又は第２の態様の可能な実施のいずれか１つで提供される信号伝送方法を実行するよう構成される。
【手続補正１２】
【補正対象書類名】明細書
【補正対象項目名】００８２
【補正方法】変更
【補正の内容】
【００８２】
図２Ｄは、ネットワークデバイス１０１が複数の伝送ビーム（例えば、ビームａ及びビームｂ）を使用してＰＤＣＣＨを端末１０３へ送信し、端末１０３が同じ受信ビーム（例えば、ビーム１）を使用してＰＤＣＣＨを受信することを示す。図２Ｄに示されるシナリオでは、ビームａ及びビーム１がペアにされ、ビームｂ及びビーム１がペアにされる。
【手続補正１３】
【補正対象書類名】明細書
【補正対象項目名】００８５
【補正方法】変更
【補正の内容】
【００８５】
図２Ａ乃至図２Ｄに示されるペアをなす基地局送信ビーム及び端末受信ビーム並びにペアをなす端末送信ビーム及び基地局受信ビームは、ビーム訓練プロセスでペアにされる。図３を参照すると、図３は、本願で使用されるビーム訓練プロセスである。図３に示される（ｅ）は、ネットワークデバイスによって送信されるビームが訓練されるプロセスである。ネットワークデバイスは複数のビームを送信し、端末は、ネットワークデバイスによって送信された複数のビームを測定し、ネットワークデバイスによって送信された複数のビームの中で比較的に最適であるビームをネットワークデバイスに通知する。対照的に、図３に示される（ｄ）は、端末によって送信されるビームが訓練されるプロセスである。端末は複数のビームを送信し、ネットワークデバイスは、端末によって送信された複数のビームを測定し、端末によって送信された複数のビームで比較的に最適であるビームを端末に通知する。ビーム訓練プロセスを通じて、ネットワークデバイスは、端末との通信において比較的に最適であるＮ個のビーム対（Beam  Pair  Link，ＢＰＬ）を取得する。ビーム対ＢＰＬ＜Ｂｘ，Ｂ´ｘ＞において、Ｂｘは、ネットワークデバイスの送信ビームを表し、Ｂ´ｘは、端末の受信ビームを表す。ビーム対ＢＰＬ＜Ｂｙ，Ｂ´ｙ＞において、Ｂｙは、端末の送信ビームを表し、Ｂ´ｙは、ネットワークデバイスの受信ビームを表す。端末との通信のその後のプロセスで、ネットワークデバイスは、データ伝送を実行するためにＮ個のＢＰＬを使用する。ここで言及されている比較的に最適なビームとは、ビームがチャネル品質情報（例えば、参照信号受信電力（Reference  Signal  Received  Power，ＲＳＲＰ）又はチャネル品質インジケータ（Channel  Quality  Indicator，ＣＱＩ））で示される比較的に高い品質を有していることを意味する。
【手続補正１４】
【補正対象書類名】明細書
【補正対象項目名】００９１
【補正方法】変更
【補正の内容】
【００９１】
ビームが遮られる場合にリンクを直ちに回復するために、ネットワークデバイスは、ビーム故障検出のために使用される参照信号リソースセット（beam  failure  detection  RS  set）及び端末デバイスとネットワークデバイスとの間のリンクを回復するために使用される参照信号リソースセット（candidate  beam  identification  RS  set）（候補参照信号リソースセットとも呼ばれる）を端末のために設定する必要がある。beam  failure  detection  RS  setの中のＲＳと、物理ダウンリンク制御チャネルＰＤＣＣＨの参照信号とは、ＱＣＬ関係を満足する。セットの中の一部又は全部の参照信号のチャネル品質情報（例えば、ＲＳＲＰ又はＣＱＩ）が、前もってセットされた閾値よりも低い場合に、通信リンク障害が起きていると決定される。本願において、通信リンク障害は、通信リンク故障、ビーム障害、ビーム故障、リンク障害、リンク故障、通信障害、通信故障、などとも呼ばれ得る。本明細書中、それらの概念は、同じ意味を有している。通信リンク障害が起きた後、端末は、通信リンクを回復するために、候補参照信号セットから、前もってセットされた閾値よりも高いチャネル品質情報（例えば、ＲＳＲＰ又はＣＱＩ）を有している参照信号を選択する必要がある。ここで、beam  failure  detection  RS  setは、ネットワークデバイスの送信ビームのチャネル品質を検出するために端末によって使用される。送信ビームは、端末と通信するときにネットワークデバイスによって使用されるビームである。candidate  beam  identification  RS  setは、通信リンク障害がネットワークデバイスの送信ビームで起きていることを端末が決定した後にリンク再設定を開始するために使用される参照信号である。本願において、リンク再設定はまた、ネットワークデバイスと端末デバイスとの間の通信の回復とも呼ばれ得る。具体的な実施では、ビーム故障検出のために使用される参照信号リソースセット及び端末デバイスとネットワークデバイスとの間のリンクを回復するために使用される参照信号リソースセットは、他の名称を有してもよい。これは、本願において特に制限されない。
【手続補正１５】
【補正対象書類名】明細書
【補正対象項目名】００９４
【補正方法】変更
【補正の内容】
【００９４】
図４を参照すると、図４は、本願のいくつかの実施形態で提供される端末２００を示す。図４に示されるように、端末２００は、１つ以上の端末プロセッサ２０１、メモリ２０２、通信インターフェイス２０３、受信器２０５、送信器２０６、結合器２０７、アンテナ２０８、端末インターフェイス２０９、及び入出力モジュール（音声入出力モジュール２１０、キー入力モジュール２１１、ディスプレイ２１２、などを含む）を含んでよい。これらのコンポーネントは、バス２０４を使用することによって、又は他の方法で、接続されてよい。図４では、例えば、コンポーネントは、バスを使用することによって接続されている。
【手続補正１６】
【補正対象書類名】明細書
【補正対象項目名】００９６
【補正方法】変更
【補正の内容】
【００９６】
送信器２０６は、端末プロセッサ２０１によって出力された信号を送信、例えば、ビームフォーミングを通じて指向性送信を実行するよう構成されてよい。受信器２０５は、アンテナ２０８によって受信された移動体通信信号を受信、例えば、ビームフォーミングを通じて指向性受信を実行するよう構成されてよい。本願のいくつかの実施形態で、送信器２０６／受信器２０５は、信号の指向性送信／受信を制御するように、送信される信号／受信される信号に重みベクトルＷ１，・・・，Ｗｍを乗じるよう構成されたビームフォーミングコントローラを含んでよい。本願で言及されている基地局ビームスイッチングは、信号／受信信号に重みベクトルを乗じるよう送信器２０６／受信器２０５内のビームフォーミングコントローラを使用することによって実施されてよい。
【手続補正１７】
【補正対象書類名】明細書
【補正対象項目名】０１０２
【補正方法】変更
【補正の内容】
【０１０２】
端末プロセッサ２０１は、コンピュータ読み出し可能な命令を読み出し実行するよう構成されてよい。具体的に、端末プロセッサ２０１は、メモリ２０２に記憶されているプログラム、例えば、本願の１つ以上の実施形態で提供される信号伝送方法を端末２００側で実装するためのプログラムを呼び出し、プログラムに含まれている命令を実行するよう構成されてよい。
【手続補正１８】
【補正対象書類名】明細書
【補正対象項目名】０１１７
【補正方法】変更
【補正の内容】
【０１１７】
具体的に、端末は、送信ビームを使用することによってネットワークデバイスによって送信されたダウンリンク参照信号の信号品質が悪化していることを検出し、これは、ネットワークデバイスの送信ビームで通信リンク障害が起きていることを示す。ここで、送信ビームは、端末デバイスと通信するためにネットワークデバイスによって使用される送信ビームである。ネットワークデバイスの送信ビームにおける通信リンク障害の発生の原因には、制限なしに、次がある：通信プロセスにおける障害による遮断及び高周波チャネル上の回折能力の悪さのために、現在のサービスのビームが遮られ、信号伝送は継続不可能である。信号品質が悪化することは、チャネル品質情報（例えば、ＲＳＲＰ又はＣＱＩ）が前もってセットされた閾値よりも低いことであってよい。
【手続補正１９】
【補正対象書類名】明細書
【補正対象項目名】０１１８
【補正方法】変更
【補正の内容】
【０１１８】
リンク障害が起きた後、端末は、ネットワークデバイスによって配信されたダウンリンク参照信号を引き続き検出し、ダウンリンク参照信号の信号品質を測定して、良いチャネル／信号品質を有しているダウンリンク参照信号を識別（又は選択）する。良いチャネル／信号品質を有しているダウンリンク参照信号を識別するとは、良いチャネル品質を有している基地局送信ビームを識別することを意味する。良いチャネル品質を有している基地局送信ビームは、基地局送信ビームのチャネル品質情報（例えば、ＲＳＲＰ又はＣＱＩ）が前もってセットされた閾値よりも高いこと、又は端末が複数の基地局送信ビームのチャネル品質を成功裏に測定し、特定の基地局送信ビームのチャネル品質が複数のビームの中で最良であること、を意味する。この場合に、チャネル品質が最良である基地局送信ビームは、良いチャネル品質を有している識別された基地局送信ビームである。ここで、ネットワークデバイスは、ダウンリンク参照信号を別々に送信するために複数の送信ビームを使用してもよい。この場合に、端末は、複数の送信ビームを使用することによってネットワークデバイスによって夫々送信されたダウンリンク参照信号に基づいて複数の送信ビームのチャネル品質を測定し、良いチャネル品質を有している基地局送信ビームを選択する。本願では、チャネル品質が良いビームと、チャネル／信号品質が良いダウンリンク参照信号とは、同等の意味を有している。
【手続補正２０】
【補正対象書類名】明細書
【補正対象項目名】０１２３
【補正方法】変更
【補正の内容】
【０１２３】
本願において、基地局送信ビームは、端末受信ビームに対応している。端末の各受信ビームは、端末の１つの送信ビームに対応している。ここで、端末受信ビームが端末送信ビームに対応しているとは、同じ指向性を有していることを意味する。任意に、端末受信ビーム及び端末受信ビームに対応している端末送信ビームは、同じビームであってよく、同じトランシーバ装置を共有することができる。任意に、端末受信ビームに対応するアンテナポート及び対応する端末送信ビームに対応するアンテナポートは、疑似コロケート（ＱＣＬ）されてよい。任意に、疑似コロケーションは、次のパラメータ：到来角（angle  of  arrival、ＡｏＡ）、ドミナント到来角（Dominant  AoA）、平均到来角、到来角のパワー角スペクトル（Power  angular  spectrum  (PAS)  of  AoA）、発射角ＡｏＤ（angle  of  departure）、ドミナント発射角、平均発射角、発射角のパワー角スペクトル、端末送信ビームフォーミング、端末受信ビームフォーミング、空間チャネル相関、基地局送信ビームフォーミング、基地局受信ビームフォーミング、平均チャネル利得、平均チャネル遅延、遅延拡散（delay  spread）、ドップラー拡散（Doppler  spread）、など、のうちの少なくとも１つが同じであるか、あるいは、決定された対応を有していることを意味する。
【手続補正２１】
【補正対象書類名】明細書
【補正対象項目名】０１２８
【補正方法】変更
【補正の内容】
【０１２８】
端末デバイスは、複数の基地局送信ビームのチャネル品質を測定し、Ｍ個の比較的に最適な基地局送信ビームを選択して、ビームチャネル品質を報告する。ここで、比較的に最適なチャネル品質を有している基地局送信ビームは、基地局送信ビームのチャネル品質情報（例えば、ＲＳＲＰ又はＣＱＩ）が前もってセットされた閾値よりも高いこと、又は端末デバイスが複数の基地局送信ビームのチャネル品質を成功裏に測定し、特定の基地局送信ビームのチャネル品質が複数の基地局送信ビームの中で最良であることを意味する。この場合に、最良のチャネル品質を有している基地局送信ビームは、良いチャネル品質を有している識別された基地局送信ビームである。
【手続補正２２】
【補正対象書類名】明細書
【補正対象項目名】０１２９
【補正方法】変更
【補正の内容】
【０１２９】
本願は、リンク故障／リンク障害がネットワークデバイスの送信ビームで起きた後かつ端末デバイスがネットワークデバイスによって再設定されたＱＣＬ情報を受信する前の期間中に、端末デバイスがＰＤＣＣＨ／ＰＤＳＣＨをいかにして受信／検出するか、に焦点を当てる。ここで、ネットワークデバイスの送信ビームは、端末デバイスと通信するために現在のネットワークデバイスによって使用された基地局送信ビームを意味する。リンク故障／リンク障害がビームで起きるとは、基地局によって送信されたダウンリンク参照信号のチャネル品質情報（例えば、ＲＳＲＰ又はＣＱＩ）が前もってセットされた閾値よりも低いことを端末デバイスが検出することを意味する。
【手続補正２３】
【補正対象書類名】明細書
【補正対象項目名】０１５３
【補正方法】変更
【補正の内容】
【０１５３】
Ｓ８０２．ネットワークデバイスは、第２情報に基づいて、時点ｎの後の第２期間中にＰＤＳＣＨを送信し、端末デバイスは、第２情報に基づいて、時点ｎの後の第２期間中にＰＤＳＣＨを検出し、このとき、第２情報は、第３参照信号及び第４参照信号のＱＣＬ情報を含み、第３参照信号は、ＰＤＳＣＨを復調するために使用され、第４参照信号は、第２閾値を満足する参照信号である。
【手続補正２４】
【補正対象書類名】明細書
【補正対象項目名】０１５４
【補正方法】変更
【補正の内容】
【０１５４】
本願において、端末デバイスが第２情報に基づいてＰＤＳＣＨを検出するとは、端末デバイスが１つ以上の特定の受信ビームを使用して第４参照信号を受信する場合に、端末デバイスがその１つ以上の特定の受信ビームを使用してＰＤＳＣＨを受信することを意味する。言い換えると、ＰＤＳＣＨ及び第４参照信号は、ＱＣＬ関係を満足し、あるいは、ＰＤＳＣＨのＤＭＲＳ及び第４参照信号は、ＱＣＬ関係を満足する。具体的に言えば、ＰＤＳＣＨは、第４参照信号のそれと同じ空間受信パラメータ（Spatial  Rx  parameter）を使用することによって受信される。
【手続補正２５】
【補正対象書類名】明細書
【補正対象項目名】０１６４
【補正方法】変更
【補正の内容】
【０１６４】
任意に、第２期間の前記終了時点の後に、すなわち、端末デバイスがネットワークデバイスによって再設定されたＰＤＳＣＨ  ＱＣＬ情報を受信した後に、端末デバイスは、ネットワークデバイスによって再設定されたＰＤＳＣＨ  ＱＣＬ情報に基づいて、ネットワークデバイスによって送信されたＰＤＳＣＨを検出する。ここで、再設定されたＱＣＬは、リンク障害／リンク故障が以前に起こった前のＣＯＲＥＳＥＴについてネットワークデバイスによって再設定されたＱＣＬ情報を意味する。具体的に、ネットワークデバイスに再設定されたＰＤＳＣＨ  ＱＣＬ情報は、ＴＣＩ状態である。端末デバイスによって送信されたリンク再設定要求情報を受信した後に、ネットワークデバイスは、ＴＣＩテーブルを端末デバイスへ送る。ＴＣＩテーブルは、ＲＲＣシグナリングを使用することによって送信されてよく、あるいは、ＭＡＣ  ＣＥシグナリングを使用することによって送信されてよい。ＴＣＩテーブルは、端末のためにネットワークデバイスによって設定されるＰＤＳＣＨの複数の候補ＱＣＬ情報を示すために使用される。次いで、ネットワークデバイスは、ＴＣＩ状態を端末デバイスへ動的に送信し、ＴＣＩ状態は、ＰＤＳＣＨのＱＣＬ情報を示すために使用され、ＴＣＩ状態は、ＴＣＩテーブル内の状態である。ネットワークデバイスによって送信されたＴＣＩ状態を受信する場合に、端末デバイスは、ＴＣＩ状態によって示されているＰＤＳＣＨ  ＱＣＬ情報に基づいて、ネットワークデバイスによって送信されたＰＤＳＣＨを検出する。ここで、端末デバイスが、ＰＤＳＣＨ  ＱＣＬ情報に基づいて、ネットワークデバイスによって送信されたＰＤＳＣＨを検出するとは、ネットワークデバイスが、ＰＤＳＣＨを検出／受信するために特定の受信ビームを使用するよう端末デバイスに指示することを意味する。
【手続補正２６】
【補正対象書類名】明細書
【補正対象項目名】０１６６
【補正方法】変更
【補正の内容】
【０１６６】
任意に、上記の第４参照信号は、伝送設定指示テーブル（ＴＣＩテーブル）においてデフォルト状態で示され、ＴＣＩテーブルは、ネットワークデバイスによって、端末デバイスのために、第２期間の終了時点の前に設定される。デフォルト状態で示される、第２閾値を満足する参照信号は、ＰＤＣＣＨとのＱＣＬ関係を満足する参照信号、又は初期アクセスプロセスにおいて端末デバイスによって受信される参照信号を含む。この場合は、ネットワークデバイスによって送信されるＴＣＩテーブルがデフォルト状態を含むことを意味し、デフォルト状態に対応するＴＣＩ状態のインデックス値は、例えば、００であってよい。端末デバイスは、デフォルト状態で示される受信方式を使用することによって、ＰＤＳＣＨを検出する。この場合に、第２閾値を満足する参照信号は、ＰＤＣＣＨとのＱＣＬ関係を満足する参照信号を含む。言い換えると、端末デバイスがＰＤＣＣＨを受信するために１つ以上の特定の受信ビームを使用する場合に、端末デバイスは、その１つ以上の特定の受信ビームを使用してＰＤＳＣＨを受信する。端末デバイスがＰＤＣＣＨを受信するために１つ以上の特定の受信ビームを使用する具体的な実施については、ステップＳ７０２における記載を参照されたい。詳細は、ここで再び記載されない。代替的に、第２閾値を満足する参照信号は、初期アクセスプロセスにおいて端末デバイスによって受信される参照信号を含む。言い換えると、端末デバイスが初期アクセスプロセスにおいて参照信号を受信するために１つ以上の特定の受信ビームを使用する場合に、端末デバイスは、その１つ以上の特定の受信ビームを使用してＰＤＳＣＨを受信する。ここで、初期アクセスプロセスにおいて端末デバイスによって受信される参照信号は、制限なしに、ダウンリンク同期信号ブロック（Synchronization  Signal  block，ＳＳブロック）を含み、ＳＳブロックは、次の：セカンダリ同期信号（Secondary  Synchronization  Signal，ＳＳＳ）、プライマリ同期信号（Primary  Synchronization  Signal，ＰＳＳ）、及び物理ブロードキャストチャネル（Physical  Broadcast  Channel，ＰＢＣＨ）、のうちの少なくとも１つを含む。
【手続補正２７】
【補正対象書類名】明細書
【補正対象項目名】０１６７
【補正方法】変更
【補正の内容】
【０１６７】
任意に、端末デバイスが、第２情報に基づいて、時点ｎの後の第２期間中にＰＤＳＣＨを検出する前に、方法は、端末デバイスによって、第２期間中に、ネットワークデバイスによって送信された第２シグナリングを受信することを更に含む。第２シグナリングは、レイヤ−１シグナリング（ＤＣＩシグナリングを含むが限られない）を含む。第２シグナリングは、伝送設定指示状態（ＴＣＩ状態）を示すために使用され、ＴＣＩ状態は、ＰＤＳＣＨのＱＣＬ情報を示すために使用され、ＴＣＩ状態は、ＴＣＩテーブル内の状態であり、ＴＣＩテーブルは、ネットワークデバイスによって、端末デバイスのために、第２期間の終了時点の前に設定される。この場合に、実施は次の通りである：端末デバイスによって受信されたＴＣＩ状態がデフォルト状態を示す場合に、端末デバイスは、ＴＣＩ状態を有効と識別し、次いで、デフォルト状態によって示される受信方式を使用することによってＰＤＳＣＨを検出し、あるいは、端末デバイスによって受信されたＴＣＩ状態がデフォルト以外の他の状態を示す場合に、端末デバイスは、デフォルト状態によって示される受信方式を使用することによってＰＤＳＣＨを検出するか、又はＴＣＩ状態が無効であると決定し、次いで、デフォルト状態によって示される受信方式を使用することによってＰＤＳＣＨを検出する。他の実施は、次の通りである：受け取られたＴＣＩ状態によってデフォルト状態が示されるかどうかにかかわらず、端末デバイスは、自動的にＴＣＩ状態をデフォルト状態と解釈し、次いで、デフォルト状態によって示される受信方式を使用することによってＰＤＳＣＨを検出する。ここで、デフォルト状態によって示される受信方式を使用することによってＰＤＳＣＨを検出することは：端末デバイスが１つ以上の特定の送信ビームを使用してリンク再設定要求情報を送信する場合に、端末デバイスが、その１つ以上の特定の送信ビームに対応する１つ以上の受信ビームを使用してＰＤＳＣＨを受信することを含む。代替的に、デフォルト状態によって示される受信方式を使用することによってＰＤＳＣＨを検出することは：端末デバイスが１つ以上の特定の受信ビームを使用して、チャネル品質が第２閾値よりも高い参照信号を受信する場合に、端末デバイスが、その１つ以上の特定の受信ビームを使用して、ネットワークデバイスによって送信されたＰＤＳＣＨを受信することを含む。代替的に、デフォルト状態によって示される受信方式を使用することによってＰＤＳＣＨを検出することは：端末デバイスが１つ以上の特定の受信ビームを使用して、チャネル品質が最も良い参照信号を受信する場合に、端末デバイスが、その１つ以上の特定の受信ビームを使用して、ネットワークデバイスによって送信されたＰＤＳＣＨを受信することを含む。代替的に、デフォルト状態によって示される受信方式を使用することによってＰＤＳＣＨを検出することは：端末デバイスが１つ以上の特定の受信ビームを使用して、チャネル品質が第２閾値よりも高い参照信号を受信する場合に、端末デバイスが、その１つ以上の特定の受信ビームを使用して、ネットワークデバイスによって送信されたＰＤＳＣＨを受信することを含む。代替的に、デフォルト状態によって示される受信方式を使用することによってＰＤＳＣＨを検出することは：端末デバイスが１つ以上の特定の受信ビームを使用してＰＤＣＣＨを受信する場合に、端末デバイスが、その１つ以上の特定の受信ビームを使用してＰＤＳＣＨを受信することを含む。代替的に、デフォルト状態によって示される受信方式を使用することによってＰＤＳＣＨを検出することは：端末デバイスが１つ以上の特定の受信ビームを使用して、初期アクセスプロセスにおいて参照信号を受信する場合に、端末デバイスが、その１つ以上の特定の受信ビームを使用してＰＤＳＣＨを受信することを含む。これらの方法の詳細な内容については、上記の説明を参照されたい。詳細は、ここで再び記載されない。
【手続補正２８】
【補正対象書類名】明細書
【補正対象項目名】０１９５
【補正方法】変更
【補正の内容】
【０１９５】
任意に、第４参照信号は、伝送設定指示テーブル（ＴＣＩテーブル）においてデフォルト状態で示され、ＴＣＩテーブルは、ネットワークデバイスによって、端末デバイスのために、第２期間の終了時点の前に設定される。
【手続補正２９】
【補正対象書類名】明細書
【補正対象項目名】０１９７
【補正方法】変更
【補正の内容】
【０１９７】
任意に、端末デバイス４００は、
第２期間中に、ネットワークデバイスによって送信された第２シグナリングを受信するよう構成される第１受信ユニットを更に含み、
第２シグナリングは、レイヤ−１シグナリングを含み、第２シグナリングは、伝送設定指示状態（ＴＣＩ状態）を示すために使用され、ＴＣＩ状態は、ＰＤＳＣＨのＱＣＬを示すために使用され、ＴＣＩ状態は、ＴＣＩテーブル内の状態であり、ＴＣＩテーブルは、ネットワークデバイスによって、端末デバイスのために、第２期間の終了時点の前に設定される。
【手続補正３０】
【補正対象書類名】明細書
【補正対象項目名】０２０７
【補正方法】変更
【補正の内容】
【０２０７】
図１０を参照すると、図１０は、本願に従うネットワークデバイスのブロック図を示す。図１０に示されるように、ネットワークデバイス５００は、受信ユニット５０１及び送信ユニット５０２を含んでよい。
【手続補正３１】
【補正対象書類名】明細書
【補正対象項目名】０２０９
【補正方法】変更
【補正の内容】
【０２０９】
送信ユニット５０２は、第１情報に基づいて時点ｎの後の第１期間中に物理ダウンリンク制御チャネルＰＤＣＣＨを送信するよう構成され、第１情報は、第１参照信号及び第２参照信号の疑似コロケーションＱＣＬ仮定情報を含み、第１参照は、ＰＤＣＣＨを復調するために使用され、第２参照信号は、第１閾値を満足する参照信号であり、かつ／あるいは、
送信ユニット５０２は、第２情報に基づいて時点ｎの後の第２期間中に物理ダウンリンク共有チャネルＰＤＳＣＨを送信するよう構成され、第２情報は、第３参照情報及び第４参照信号の疑似コロケーションＱＣＬ仮定情報を含み、第３参照情報は、ＰＤＳＣＨを復調するために使用され、第４参照信号は、第２閾値を満足する参照信号である。
【手続補正３２】
【補正対象書類名】明細書
【補正対象項目名】０２２４
【補正方法】変更
【補正の内容】
【０２２４】
代替的に、第４参照信号は、伝送設定指示テーブル（ＴＣＩテーブル）においてデフォルト状態で示され、ＴＣＩテーブルは、ネットワークデバイスによって、端末デバイスのために、第２期間の終了時点の前に設定される。
【手続補正３３】
【補正対象書類名】明細書
【補正対象項目名】０２２６
【補正方法】変更
【補正の内容】
【０２２６】
任意に、送信ユニット５０２は、第２期間中に端末デバイスへ第２シグナリングを送信するよう更に構成され、第２シグナリングは、レイヤ−１シグナリングを含み、第２シグナリングは、伝送設定指示状態（ＴＣＩ状態）を示すために使用され、ＴＣＩ状態は、ＰＤＳＣＨのＱＣＬ情報を示すために使用され、ＴＣＩ状態は、ＴＣＩテーブル内の状態であり、ＴＣＩテーブルは、ネットワークデバイスによって、端末デバイスのために、第２期間の終了時点の前に設定される。
【手続補正３４】
【補正対象書類名】明細書
【補正対象項目名】０２２９
【補正方法】変更
【補正の内容】
【０２２９】
任意に、送信ユニット５０２は、第１期間中に第１制御リソースセットを送信するよう更に構成され、第１制御リソースセットは、ネットワークデバイスによって端末デバイスのために設定されたリソースセットであり、リンク再設定応答情報を送信するために使用される。
【手続補正３５】
【補正対象書類名】明細書
【補正対象項目名】０２３０
【補正方法】変更
【補正の内容】
【０２３０】
任意に、送信ユニット５０２は、第１期間の終了時点の後に第２制御リソースセットを送信するよう更に構成され、第２制御リソースセットは、リンク故障が起きているリソースセットである。
【国際調査報告】
2021503811.tif 000016
2021503811.tif 000017
2021503811.tif 000018
2021503811.tif 000019